(57)【要約】【課題】合成繊維に優れた摩擦特性と解舒性を付与し、加工時の綾落ちを抑える合成繊維用処理剤を提供する。【解決手段】合成繊維に付着させて用いられる合成繊維用処理剤は、ポリマー鎖の末端ケイ素原子に直接、ヒドロキシ基が結合したヒドロキシ末端ポリジメチルシロキサンを含む。【選択図】なし【特許請求の範囲】
【請求項１】
合成繊維に付着させて用いられる合成繊維用処理剤であって、
ポリマー鎖の末端ケイ素原子に直接、ヒドロキシ基が結合したヒドロキシ末端ポリジメチルシロキサンを含むことを特徴とする合成繊維用処理剤。
【請求項２】
前記ヒドロキシ末端ポリジメチルシロキサンの２５℃における動粘度が、１０〜１００００ｍｍ２／ｓである請求項１に記載の合成繊維用処理剤。
【請求項３】
前記合成繊維用処理剤の２５℃における動粘度が、２〜１００ｍｍ２／ｓである請求項１又は２に記載の合成繊維用処理剤。
【請求項４】
更に、前記ヒドロキシ末端ポリジメチルシロキサン以外のシリコーン、鉱物油及びエステルから選ばれる少なくとも一つを含む請求項１〜３のいずれか一項に記載の合成繊維用処理剤。
【請求項５】
前記ヒドロキシ末端ポリジメチルシロキサン、前記ヒドロキシ末端ポリジメチルシロキサン以外のシリコーン、前記鉱物油及び前記エステルの含有割合の合計を１００質量部とした場合、前記ヒドロキシ末端ポリジメチルシロキサン及び前記ヒドロキシ末端ポリジメチルシロキサン以外のシリコーンの含有割合の合計が１０〜１００質量部である請求項４に記載の合成繊維用処理剤。
【請求項６】
前記合成繊維が弾性繊維である請求項１〜５のいずれか一項に記載の合成繊維用処理剤。
【請求項７】
請求項１〜６のいずれか一項に記載の合成繊維用処理剤が付着していることを特徴とする合成繊維。
【発明の詳細な説明】
【技術分野】
【０００１】
本発明は、合成繊維に優れた摩擦特性と解舒性を付与し、加工時の綾落ちが抑えられる合成繊維用処理剤及びかかる合成繊維用処理剤が付着している合成繊維に関する。
【背景技術】
【０００２】
従来、合成繊維用処理剤として、２５℃における動粘度が２〜５０ｃＳｔのジメチルシリコーンおよび／または鉱物油９０〜９９．９８重量％、高級脂肪酸の金属塩が０．０１〜５質量％とポリエーテル変性シリコーン０．０１〜５重量％よりなるポリウレタン弾性繊維用油剤（例えば、特許文献１参照）等の提案がある。しかし、これら従来の合成繊維用処理剤では解舒性、摩擦特性は良好なものの、加工時において表層の綾落ちによる断糸が発生する問題がある。このため、現状の技術では優れた解舒性、摩擦特性を保ちつつ加工時の綾落ちを抑制することを同時に達成することなどの問題に十分対応できていなかった。
【先行技術文献】
【特許文献】
【０００３】
【特許文献１】特開２０００−３２８４５９号公報
【発明の概要】
【発明が解決しようとする課題】
【０００４】
本発明が解決しようとする課題は、合成繊維に優れた摩擦特性と解舒性を付与し、加工時の綾落ちを抑えられる合成繊維用処理剤及びかかる合成繊維用処理剤が付着している合成繊維を提供する処にある。
【課題を解決するための手段】
【０００５】
しかして本発明者らは、前記の課題を解決するべく研究した結果、ポリマー鎖の末端ケイ素原子に直接、ヒドロキシ基が結合したヒドロキシ末端ポリジメチルシロキサンを含有して成る合成繊維用処理剤が正しく好適であることを見出した。
【０００６】
上記課題を解決する合成繊維用処理剤は、合成繊維に付着させて用いられる合成繊維用処理剤であって、ポリマー鎖の末端ケイ素原子に直接、ヒドロキシ基が結合したヒドロキシ末端ポリジメチルシロキサンを含む。
【０００７】
前記ヒドロキシ末端ポリジメチルシロキサンの２５℃における動粘度が、１０〜１００００ｍｍ２／ｓであることが好ましい。
前記合成繊維用処理剤の２５℃における動粘度が、２〜１００ｍｍ２／ｓであることが好ましい。
【０００８】
前記ヒドロキシ末端ポリジメチルシロキサン以外のシリコーン、鉱物油及びエステルから選ばれる少なくとも一つを含むことが好ましい。
前記ヒドロキシ末端ポリジメチルシロキサン、前記ヒドロキシ末端ポリジメチルシロキサン以外のシリコーン、前記鉱物油及び前記エステルの含有割合の合計を１００質量部とした場合、前記ヒドロキシ末端ポリジメチルシロキサン及び前記ヒドロキシ末端ポリジメチルシロキサン以外のシリコーンの含有割合の合計が１０〜１００質量部であることが好ましい。
【０００９】
前記合成繊維が弾性繊維であることが好ましい。
上記課題を解決する合成繊維は、上記合成繊維用処理剤が付着している。
【発明の効果】
【００１０】
本発明によれば、合成繊維に優れた制電性と解舒性を付与し、加工時の摩擦変動と綾落ちが同時に抑えられる。
【発明を実施するための形態】
【００１１】
本発明は、特定のヒドロキシ末端ポリジメチルシロキサンを含有して成る合成繊維用処理剤に係る。また、本発明はかかる合成繊維用処理剤が付着している合成繊維に係る。
先ず、本発明に係る合成繊維用処理剤（以下、本発明の処理剤という）について説明する。
【００１２】
本発明の処理剤は、特定のヒドロキシ末端ポリジメチルシロキサンを含有する。また、本発明の処理剤は、特定のヒドロキシ末端ポリジメチルシロキサン以外のシリコーン、鉱物油及びエステルを含有することができ、これらのうちの少なくとも一つを含有することが好ましい。
【００１３】
（特定ヒドロキシ末端ポリジメチルシロキサン）
本発明の処理剤に使用するヒドロキシ末端ポリジメチルシロキサンは、ポリマー鎖の末端ケイ素原子に直接、ヒドロキシ基（シラノール基とも表現する）が結合したジメチルシロキサン化合物である。以下では、ポリマー鎖の末端ケイ素原子に直接、ヒドロキシ基が結合したジメチルシロキサン化合物を特定ヒドロキシ末端ポリジメチルシロキサンと記載する。特定ヒドロキシ末端ポリジメチルシロキサンは、公知の製造方法で容易に製造できる。その動粘度に特に制限はないが、２５℃で１０〜１００００ｍｍ２／ｓであるものが好ましい。特定ヒドロキシ末端ポリジメチルシロキサンとしては、例えば信越化学工業株式会社製の商品名ＫＦ９７０１、信越化学工業株式会社製の商品名Ｘ−２１−３１５３、信越化学工業株式会社製の商品名Ｘ−２１−５８４１、モメンティブ・パフォーマンス・マテリアルズ社製の商品名ＸＣ９６−７２３、モメンティブ・パフォーマンス・マテリアルズ社製の商品名ＹＦ３８００、モメンティブ・パフォーマンス・マテリアルズ社製の商品名ＸＦ３９０５、モメンティブ・パフォーマンス・マテリアルズ社製の商品名ＹＦ３０５７、モメンティブ・パフォーマンス・マテリアルズ社製の商品名ＹＦ３８０７、モメンティブ・パフォーマンス・マテリアルズ社製の商品名ＹＦ３８０２、モメンティブ・パフォーマンス・マテリアルズ社製の商品名ＹＦ３８９７等が挙げられる。特定ヒドロキシ末端ポリジメチルシロキサンは、１種を単独で使用してもよく、２種以上を併用してもよい。
【００１４】
（特定ヒドロキシ末端ポリジメチルシロキサン以外のシリコーン）
本発明の処理剤に使用する特定ヒドロキシ末端ポリジメチルシロキサン以外のシリコーンとしては特定ヒドロキシ末端ポリジメチルシロキサン以外であれば特に限定は無いが、例えば、信越化学工業株式会社製の商品名ＫＦ−９６−１０ｃｓ、信越化学工業株式会社製の商品名ＫＦ−９６−２０ｃｓ、信越化学工業株式会社製の商品名ＫＦ−９６−５０ｃｓ、信越化学工業株式会社製の商品名ＫＦ−９６−１００ｃｓ、信越化学工業株式会社製の商品名ＫＦ−９６−１０００ｃｓ、信越化学工業株式会社製の商品名ＫＦ−９６−１万ｃｓ、信越化学工業株式会社製の商品名ＫＦ−５０−１００ｃｓ、信越化学工業株式会社製の商品名ＫＦ−４００３、信越化学工業株式会社製の商品名ＫＦ−４９１７、モメンティブ・パフォーマンス・マテリアルズ社製の商品名ＴＳＦ４５１−１０、モメンティブ・パフォーマンス・マテリアルズ社製の商品名ＴＳＦ４５１−２０、東レ・ダウコーニング株式会社製の商品名ＳＨ２００−１０ＣＳ、東レ・ダウコーニング株式会社製の商品名ＳＨ５１０−１００ＣＳ、旭化成ワッカーシリコーン株式会社製の商品名ＷＡＣＫＥＲ  ＳＩＬＩＣＯＮＥ  ＦＬＵＩＤ  ＡＫ１０、旭化成ワッカーシリコーン株式会社製の商品名ＷＡＣＫＥＲ  ＳＩＬＩＣＯＮＥ  ＦＬＵＩＤ  ＡＫ２０、旭化成ワッカーシリコーン株式会社製の商品名ＷＡＣＫＥＲ  ＳＩＬＩＣＯＮＥ  ＦＬＵＩＤ  ＡＫ５０等のポリジメチルシロキサン、ポリアルキルシロキサン、ポリアルキルフェニルシロキサン等を挙げることができ、１種または２種以上を併用してもよい。
【００１５】
（鉱物油）
本発明の処理剤に使用する鉱物油としては、例えば、ｓｏｎｎｅｂｏｒｎ社製の商品名Ｓｅｍｔｏｌ４０、ｓｏｎｎｅｂｏｒｎ社製の商品名Ｃａｒｎａｔｉｏｎ、コスモ石油ルブリカンツ株式会社製の商品名コスモピュアスピンＤ、コスモ石油ルブリカンツ株式会社製の商品名コスモピュアスピンＲＣ、コスモ石油ルブリカンツ株式会社製の商品名コスモピュアスピンＲＢ、富士興産株式会社製の商品名フッコールＮＴ−６０、富士興産株式会社製の商品名フッコールＮＴ−１００、Ｓ−ＯＩＬ社製の商品名Ｕｌｔｒａ−Ｓ  ２、Ｓ−ＯＩＬ社製の商品名Ｕｌｔｒａ−Ｓ  ３、ＳＫ  Ｌｕｂｒｉｃａｎｔｓ社製の商品名ＹＵＢＡＳＥ  ３、ＳＫ  Ｌｕｂｒｉｃａｎｔｓ社製の商品名ＹＵＢＡＳＥ  ４、出光興産株式会社製の商品名ダイアナフレシア  Ｗ８、出光興産株式会社製の商品名ダイアナフレシア  Ｗ３２、出光興産株式会社製の商品名ダイアナフレシア  Ｇ９、出光興産株式会社製の商品名ダイアナフレシア  Ｋ８、エクソンモービル社製の商品名クリストール  Ｎ７２、日本サン石油社製の商品名ＳＵＮ  ６０Ｎ等の２５℃における動粘度が２〜１００ｍｍ２／ｓのスピンドル油や流動パラフィン、ポリαオレフィン等を挙げることができ、１種または２種以上を併用してもよい。
【００１６】
本発明の処理剤に使用するポリαオレフィンとしては、例えば、エチレン、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン等のαオレフィンから合成されたものが挙げられる。具体的には新日鉄住金化学社製の商品名ＰＡＯ２０１、新日鉄住金化学社製の商品名ＰＡＯ４０１、新日鉄住金化学社製の商品名ＰＡＯ６０１、新日鉄住金化学社製の商品名ＰＡＯ８０１、ライオン・スペシャリティ・ケミカルズ株式会社製の商品名リポルーブ４０、ライオン・スペシャリティ・ケミカルズ株式会社製の商品名リポルーブ６０、ライオン・スペシャリティ・ケミカルズ株式会社製の商品名リポルーブ８０等が挙げられる。
【００１７】
（エステル）
本発明の処理剤に使用するエステルとしては、例えば、ブチルステアラート、オクチルステアラート、オレイルラウラート、オレイルオレアート、イソトリデシルステアラート、イソペンタコサニルイソステアラート、パルミチン酸２−エチルヘキシル等の脂肪族１価アルコールと脂肪族モノカルボン酸とのエステル、１，６−ヘキサンジオールジデカノアート、トリメチロールプロパンモノオレアートモノラウラート、トリメチロールプロパントリラウラート、ひまし油等の天然油脂等の脂肪族多価アルコールと脂肪族モノカルボン酸とのエステル、アジピン酸ジラウリル、アゼライン酸ジオレイル等の脂肪族１価アルコールと脂肪族多価カルボン酸とのエステル等が挙げられる。エステルは、１種を単独で使用してもよく、２種以上を併用してもよい。
【００１８】
（特定ヒドロキシ末端ポリジメチルシロキサン、特定ヒドロキシ末端ポリジメチルシロキサン以外のシリコーン、鉱物油、エステルの含有割合）
本発明の処理剤における特定ヒドロキシ末端ポリジメチルシロキサンの含有割合に特に制限は無いが、特定ヒドロキシ末端ポリジメチルシロキサン、特定ヒドロキシ末端ポリジメチルシロキサン以外のシリコーン、鉱物油、エステル、及びその他成分（後述する帯電防止剤、膠着防止剤、及びその他の成分）を含めた処理剤全体を１００質量部とした場合に、当該処理剤全体中に占める特定ヒドロキシ末端ポリジメチルシロキサンの含有割合が０．０１〜５０質量部であることが好ましい。
【００１９】
また、特定ヒドロキシ末端ポリジメチルシロキサン、特定ヒドロキシ末端ポリジメチルシロキサン以外のシリコーン、鉱物油及びエステルの含有割合の合計を１００質量部とした場合、特定ヒドロキシ末端ポリジメチルシロキサンの含有割合は、０．０１〜１００質量部であることが好ましく、０．０１〜５０質量部であることがより好ましい。
【００２０】
本発明の処理剤における特定ヒドロキシ末端ポリジメチルシロキサン以外のシリコーン、鉱物油及びエステルの含有割合に特に制限は無いが、特定ヒドロキシ末端ポリジメチルシロキサン、特定ヒドロキシ末端ポリジメチルシロキサン以外のシリコーン、鉱物油及びエステルの含有割合の合計を１００質量部とした場合、特定ヒドロキシ末端ポリジメチルシロキサン及び特定ヒドロキシ末端ポリジメチルシロキサン以外のシリコーンの含有割合の合計が１０〜１００質量部であり、鉱物油及びエステルの含有割合の合計が、残りの０〜９０質量部であることが好ましい。
【００２１】
（帯電防止剤）
本発明の処理剤には制電性を強化する目的で用いられる帯電防止剤が含有されていてもよい。帯電防止剤はイオン性の剤が挙げられるが、なかでもリン酸エステル、リン酸エステルの金属塩、リン酸エステルのアミン塩、スルホン酸の金属塩、スルホン酸のオニウム塩、ジメチル硫酸４級化物及びジエチル硫酸４級化物が好ましい。リン酸エステル、リン酸エステルの金属塩、リン酸エステルのアミン塩としては、例えば、有機アルコール及び有機アルコール１モルに対し炭素数２〜４のアルキレンオキシドを１〜１０モルの割合で付加させた化合物から選ばれる少なくとも一つと、五酸化二リン又はオキシハロゲン化リンとを反応させて得られるリン酸エステル、リン酸エステルの金属塩、リン酸エステルのアミン塩である。具体的には以下の化合物から選ばれる少なくとも一つが挙げられる。
【００２２】
（１）ヘキシルリン酸エステルナトリウム塩、オクチルリン酸エステルナトリウム塩、デシルリン酸エステルナトリウム塩、ドデシルリン酸エステルナトリウム塩、トリデシルリン酸エステルナトリウム塩、テトラデシルリン酸エステルナトリウム塩、ペンタデシルリン酸エステルナトリウム塩、ヘキサデシルリン酸エステルナトリウム塩、ヘプタデシルリン酸エステルナトリウム塩、オクタデシルリン酸エステルナトリウム塩、ベヘニルリン酸エステルナトリウム塩、トリオクタコサニルリン酸エステルナトリウム塩、オクタデセニルリン酸エステルナトリウム塩、ヘキシルリン酸エステルカリウム塩、オクチルリン酸エステルカリウム塩、デシルリン酸エステルカリウム塩、ドデシルリン酸エステルカリウム塩、トリデシルリン酸エステルカリウム塩、テトラデシルリン酸エステルカリウム塩、ペンタデシルリン酸エステルカリウム塩、ヘキサデシルリン酸エステルカリウム塩、ヘプタデシルリン酸エステルカリウム塩、オクタデシルリン酸エステルカリウム塩、ベヘニルリン酸エステルカリウム塩、トリオクタコサニルリン酸エステルカリウム塩、オクタデセニルリン酸エステルカリウム塩等の脂肪族アルコールが直鎖アルコールのリン酸エステルアルカリ金属塩。
【００２３】
（２）ヘキシルリン酸エステルマグネシウム塩、オクチルリン酸エステルマグネシウム塩、デシルリン酸エステルマグネシウム塩、ドデシルリン酸エステルマグネシウム塩、トリデシルリン酸エステルマグネシウム塩、テトラデシルリン酸エステルマグネシウム塩、ペンタデシルリン酸エステルマグネシウム塩、ヘキサデシルリン酸エステルマグネシウム塩、ヘプタデシルリン酸エステルマグネシウム塩、オクタデシルリン酸エステルマグネシウム塩、ベヘニルリン酸エステルマグネシウム塩、トリオクタコサニルリン酸エステルマグネシウム塩、オクタデセニルリン酸エステルマグネシウム塩、ヘキシルリン酸エステルカルシウム塩、オクチルリン酸エステルカルシウム塩、デシルリン酸エステルカルシウム塩、ドデシルリン酸エステルカルシウム塩、トリデシルリン酸エステルカルシウム塩、テトラデシルリン酸エステルカルシウム塩、ペンタデシルリン酸エステルカルシウム塩、ヘキサデシルリン酸エステルカルシウム塩、ヘプタデシルリン酸エステルカルシウム塩、オクタデシルリン酸エステルカルシウム塩、ベヘニルリン酸エステルカルシウム塩、トリオクタコサニルリン酸エステルカルシウム塩、オクタデセニルリン酸エステルカルシウム塩等の脂肪族アルコールが直鎖アルコールであるリン酸エステルアルカリ土類金属塩。
【００２４】
（３）ヘキシルリン酸エステルオクチルアミン塩、オクチルリン酸エステルオクチルアミン塩、デシルリン酸エステルオクチルアミン塩、ドデシルリン酸エステルオクチルアミン塩、トリデシルリン酸エステルオクチルアミン塩、テトラデシルリン酸エステルオクチルアミン塩、ペンタデシルリン酸エステルオクチルアミン塩、ヘキサデシルリン酸エステルオクチルアミン塩、ヘプタデシルリン酸エステルオクチルアミン塩、オクタデシルリン酸エステルオクチルアミン塩、ベヘニルリン酸エステルオクチルアミン塩、トリオクタコサニルリン酸エステルオクチルアミン塩、オクタデセニルリン酸エステルオクチルアミン塩、ヘキシルリン酸エステルジオクチルアミン塩、オクチルリン酸エステルジオクチルアミン塩、デシルリン酸エステルジオクチルアミン塩、ドデシルリン酸エステルジオクチルアミン塩、トリデシルリン酸エステルジオクチルアミン塩、テトラデシルリン酸エステルジオクチルアミン塩、ペンタデシルリン酸エステルジオクチルアミン塩、ヘキサデシルリン酸エステルジオクチルアミン塩、ヘプタデシルリン酸エステルジオクチルアミン塩、オクタデシルリン酸エステルジオクチルアミン塩、ベヘニルリン酸エステルジオクチルアミン塩、トリオクタコサニルリン酸エステルジオクチルアミン塩、オクタデセニルリン酸エステルジオクチルアミン塩、ヘキシルリン酸エステルジメチルドデシルアミン塩、オクチルリン酸エステルジメチルドデシルアミン塩、デシルリン酸エステルジメチルドデシルアミン塩、ドデシルリン酸エステルジメチルドデシルアミン塩、トリデシルリン酸エステルジメチルドデシルアミン塩、テトラデシルリン酸エステルジメチルドデシルアミン塩、ペンタデシルリン酸エステルジメチルドデシルアミン塩、ヘキサデシルリン酸エステルジメチルドデシルアミン塩、ヘプタデシルリン酸エステルジメチルドデシルアミン塩、オクタデシルリン酸エステルジメチルドデシルアミン塩、ベヘニルリン酸エステルジメチルドデシルアミン塩、トリオクタコサニルリン酸エステルジメチルドデシルアミン塩、オクタデセニルリン酸エステルジメチルドデシルアミン塩、ヘキシルリン酸エステルジブチルエタノールアミン塩、オクチルリン酸エステルジブチルエタノールアミン塩、デシルリン酸エステルジブチルエタノールアミン塩、ドデシルリン酸エステルジブチルエタノールアミン塩、トリデシルリン酸エステルジブチルエタノールアミン塩、テトラデシルリン酸エステルジブチルエタノールアミン塩、ペンタデシルリン酸エステルジブチルエタノールアミン塩、ヘキサデシルリン酸エステルジブチルエタノールアミン塩、ヘプタデシルリン酸エステルジブチルエタノールアミン塩、オクタデシルリン酸エステルジブチルエタノールアミン塩、ベヘニルリン酸エステルジブチルエタノールアミン塩、トリオクタコサニルリン酸エステルジブチルエタノールアミン塩、オクタデセニルリン酸エステルジブチルエタノールアミン塩、ヘキシルリン酸エステルドデシルジエタノールアミン塩、オクチルリン酸エステルドデシルジエタノールアミン塩、デシルリン酸エステルドデシルジエタノールアミン塩、ドデシルリン酸エステルドデシルジエタノールアミン塩、トリデシルリン酸エステルドデシルジエタノールアミン塩、テトラデシルリン酸エステルドデシルジエタノールアミン塩、ペンタデシルリン酸エステルドデシルジエタノールアミン塩、ヘキサデシルリン酸エステルドデシルジエタノールアミン塩、ヘプタデシルリン酸エステルドデシルジエタノールアミン塩、オクタデシルリン酸エステルドデシルジエタノールアミン塩、ベヘニルリン酸エステルドデシルジエタノールアミン塩、トリオクタコサニルリン酸エステルドデシルジエタノールアミン塩、オクタデセニルリン酸エステルドデシルジエタノールアミン塩等の脂肪族アルコールが直鎖アルコールであるリン酸エステルアミン塩。
【００２５】
（４）２−エチル−１−ヘキシルリン酸エステルカリウム塩、６−メチル−１−ヘキシルリン酸エステルカリウム塩、７−メチル−１−へプチルリン酸エステルカリウム塩、２，６−ジメチル−４−ヘプチルリン酸エステルカリウム塩、２−プロピル−１−へプチルリン酸エステルカリウム塩、１０−メチル−１−デシルリン酸エステルカリウム塩、２−ブチル−１−オクチルリン酸エステルカリウム塩、２−ブチル−１−デシルリン酸エステルカリウム塩、１１−メチル−１−ドデシルリン酸エステルカリウム塩、２−ヘキシル−１−オクチルリン酸エステルカリウム塩、２−ヘキシル−１−デシルリン酸エステルカリウム塩、２−ヘキシル−１−ドデシルリン酸エステルカリウム塩、２−オクチル−１−デシルリン酸エステルカリウム塩、２−オクチル−１−ドデシルリン酸エステルカリウム塩、２−デシル−１−テトラデシルリン酸エステルカリウム塩、２−（１，３，３−トリメチルブチル）−５，７，７−トリメチル−１−オクチルリン酸エステルカリウム塩、２−（４−メチルヘキシル）−８−メチル−１−デシルリン酸エステルカリウム塩、２−（１，５−ジメチルヘキシル）−５，９−ジメチル−１−デシルリン酸エステルカリウム塩、２−エチル−１−ヘキシルリン酸エステルナトリウム塩、６−メチル−１−ヘキシルリン酸エステルナトリウム塩、７−メチル−１−へプチルリン酸エステルナトリウム塩、２，６−ジメチル−４−ヘプチルリン酸エステルナトリウム塩、２−プロピル−１−へプチルリン酸エステルナトリウム塩、１０−メチル−１−デシルリン酸エステルナトリウム塩、２−ブチル−１−オクチルリン酸エステルナトリウム塩、２−ブチル−１−デシルリン酸エステルナトリウム塩、１１−メチル−１−ドデシルリン酸エステルナトリウム塩、２−ヘキシル−１−オクチルリン酸エステルナトリウム塩、２−ヘキシル−１−デシルリン酸エステルナトリウム塩、２−ヘキシル−１−ドデシルリン酸エステルナトリウム塩、２−オクチル−１−デシルリン酸エステルナトリウム塩、２−オクチル−１−ドデシルリン酸エステルナトリウム塩、２−デシル−１−テトラデシルリン酸エステルナトリウム塩、２−（１，３，３−トリメチルブチル）−５，７，７−トリメチル−１−オクチルリン酸エステルナトリウム塩、２−（４−メチルヘキシル）−８−メチル−１−デシルリン酸エステルナトリウム塩、２−（１，５−ジメチルヘキシル）−５，９−ジメチル−１−デシルリン酸エステルナトリウム塩等の脂肪族アルコールが分岐アルコールであるリン酸エステルアルカリ金属塩。
【００２６】
（５）２−エチル−１−ヘキシルリン酸エステルマグネシウム塩、６−メチル−１−ヘキシルリン酸エステルマグネシウム塩、７−メチル−１−へプチルリン酸エステルマグネシウム塩、２，６−ジメチル−４−ヘプチルリン酸エステルマグネシウム塩、２−プロピル−１−へプチルリン酸エステルマグネシウム塩、１０−メチル−１−デシルリン酸エステルマグネシウム塩、２−ブチル−１−オクチルリン酸エステルマグネシウム塩、２−ブチル−１−デシルリン酸エステルマグネシウム塩、１１−メチル−１−ドデシルリン酸エステルマグネシウム塩、２−ヘキシル−１−オクチルリン酸エステルマグネシウム塩、２−ヘキシル−１−デシルリン酸エステルマグネシウム塩、２−ヘキシル−１−ドデシルリン酸エステルマグネシウム塩、２−オクチル−１−デシルリン酸エステルマグネシウム塩、２−オクチル−１−ドデシルリン酸エステルマグネシウム塩、２−デシル−１−テトラデシルリン酸エステルマグネシウム塩、２−（１，３，３−トリメチルブチル）−５，７，７−トリメチル−１−オクチルリン酸エステルマグネシウム塩、２−（４−メチルヘキシル）−８−メチル−１−デシルリン酸エステルマグネシウム塩、２−（１，５−ジメチルヘキシル）−５，９−ジメチル−１−デシルリン酸エステルマグネシウム塩、２−エチル−１−ヘキシルリン酸エステルカルシウム塩、６−メチル−１−ヘキシルリン酸エステルカルシウム塩、７−メチル−１−へプチルリン酸エステルカルシウム塩、２，６−ジメチル−４−ヘプチルリン酸エステルカルシウム塩、２−プロピル−１−へプチルリン酸エステルカルシウム塩、１０−メチル−１−デシルリン酸エステルカルシウム塩、２−ブチル−１−オクチルリン酸エステルカルシウム塩、２−ブチル−１−デシルリン酸エステルカルシウム塩、１１−メチル−１−ドデシルリン酸エステルカルシウム塩、２−ヘキシル−１−オクチルリン酸エステルカルシウム塩、２−ヘキシル−１−デシルリン酸エステルカルシウム塩、２−ヘキシル−１−ドデシルリン酸エステルカルシウム塩、２−オクチル−１−デシルリン酸エステルカルシウム塩、２−オクチル−１−ドデシルリン酸エステルカルシウム塩、２−デシル−１−テトラデシルリン酸エステルカルシウム塩、２−（１，３，３−トリメチルブチル）−５，７，７−トリメチル−１−オクチルリン酸エステルカルシウム塩、２−（４−メチルヘキシル）−８−メチル−１−デシルリン酸エステルカルシウム塩、２−（１，５−ジメチルヘキシル）−５，９−ジメチル−１−デシルリン酸エステルカルシウム塩、等の脂肪族アルコールが分岐アルコールであるリン酸エステルアルカリ土類金属塩。
【００２７】
（６）２−エチル−１−ヘキシルリン酸エステルオクチルアミン塩、６−メチル−１−ヘキシルリン酸エステルオクチルアミン塩、７−メチル−１−へプチルリン酸エステルオクチルアミン塩、２，６−ジメチル−４−ヘプチルリン酸エステルオクチルアミン塩、２−プロピル−１−へプチルリン酸エステルオクチルアミン塩、１０−メチル−１−デシルリン酸エステルオクチルアミン塩、２−ブチル−１−オクチルリン酸エステルオクチルアミン塩、２−ブチル−１−デシルリン酸エステルオクチルアミン塩、１１−メチル−１−ドデシルリン酸エステルオクチルアミン塩、２−ヘキシル−１−オクチルリン酸エステルオクチルアミン塩、２−ヘキシル−１−デシルリン酸エステルオクチルアミン塩、２−ヘキシル−１−ドデシルリン酸エステルオクチルアミン塩、２−オクチル−１−デシルリン酸エステルオクチルアミン塩、２−オクチル−１−ドデシルリン酸エステルオクチルアミン塩、２−デシル−１−テトラデシルリン酸エステルオクチルアミン塩、２−（１，３，３−トリメチルブチル）−５，７，７−トリメチル−１−オクチルリン酸エステルオクチルアミン塩、２−（４−メチルヘキシル）−８−メチル−１−デシルリン酸エステルオクチルアミン塩、２−（１，５−ジメチルヘキシル）−５，９−ジメチル−１−デシルリン酸エステルオクチルアミン塩、２−エチル−１−ヘキシルリン酸エステルジオクチルアミン塩、６−メチル−１−ヘキシルリン酸エステルジオクチルアミン塩、７−メチル−１−へプチルリン酸エステルジオクチルアミン塩、２，６−ジメチル−４−ヘプチルリン酸エステルジオクチルアミン塩、２−プロピル−１−へプチルリン酸エステルジオクチルアミン塩、１０−メチル−１−デシルリン酸エステルジオクチルアミン塩、２−ブチル−１−オクチルリン酸エステルジオクチルアミン塩、２−ブチル−１−デシルリン酸エステルジオクチルアミン塩、１１−メチル−１−ドデシルリン酸エステルジオクチルアミン塩、２−ヘキシル−１−オクチルリン酸エステルジオクチルアミン塩、２−ヘキシル−１−デシルリン酸エステルジオクチルアミン塩、２−ヘキシル−１−ドデシルリン酸エステルジオクチルアミン塩、２−オクチル−１−デシルリン酸エステルジオクチルアミン塩、２−オクチル−１−ドデシルリン酸エステルジオクチルアミン塩、２−デシル−１−テトラデシルリン酸エステルジオクチルアミン塩、２−（１，３，３−トリメチルブチル）−５，７，７−トリメチル−１−オクチルリン酸エステルジオクチルアミン塩、２−（４−メチルヘキシル）−８−メチル−１−デシルリン酸エステルジオクチルアミン塩、２−（１，５−ジメチルヘキシル）−５，９−ジメチル−１−デシルリン酸エステルジオクチルアミン塩、２−エチル−１−ヘキシルリン酸エステルジメチルドデシルアミン塩、６−メチル−１−ヘキシルリン酸エステルジメチルドデシルアミン塩、７−メチル−１−へプチルリン酸エステルジメチルドデシルアミン塩、２，６−ジメチル−４−ヘプチルリン酸エステルジメチルドデシルアミン塩、２−プロピル−１−へプチルリン酸エステルジメチルドデシルアミン塩、１０−メチル−１−デシルリン酸エステルジメチルドデシルアミン塩、２−ブチル−１−オクチルリン酸エステルジメチルドデシルアミン塩、２−ブチル−１−デシルリン酸エステルジメチルドデシルアミン塩、１１−メチル−１−ドデシルリン酸エステルジメチルドデシルアミン塩、２−ヘキシル−１−オクチルリン酸エステルジメチルドデシルアミン塩、２−ヘキシル−１−デシルリン酸エステルジメチルドデシルアミン塩、２−ヘキシル−１−ドデシルリン酸エステルジメチルドデシルアミン塩、２−オクチル−１−デシルリン酸エステルジメチルドデシルアミン塩、２−オクチル−１−ドデシルリン酸エステルジメチルドデシルアミン塩、２−デシル−１−テトラデシルリン酸エステルジメチルドデシルアミン塩、２−（１，３，３−トリメチルブチル）−５，７，７−トリメチル−１−オクチルリン酸エステルジメチルドデシルアミン塩、２−（４−メチルヘキシル）−８−メチル−１−デシルリン酸エステルジメチルドデシルアミン塩、２−（１，５−ジメチルヘキシル）−５，９−ジメチル−１−デシルリン酸エステルジメチルドデシルアミン塩、２−エチル−１−ヘキシルリン酸エステルジブチルエタノールアミン塩、６−メチル−１−ヘキシルリン酸エステルジブチルエタノールアミン塩、７−メチル−１−へプチルリン酸エステルジブチルエタノールアミン塩、２，６−ジメチル−４−ヘプチルリン酸エステルジブチルエタノールアミン塩、２−プロピル−１−へプチルリン酸エステルジブチルエタノールアミン塩、１０−メチル−１−デシルリン酸エステルジブチルエタノールアミン塩、２−ブチル−１−オクチルリン酸エステルジブチルエタノールアミン塩、２−ブチル−１−デシルリン酸エステルジブチルエタノールアミン塩、１１−メチル−１−ドデシルリン酸エステルジブチルエタノールアミン塩、２−ヘキシル−１−オクチルリン酸エステルジブチルエタノールアミン塩、２−ヘキシル−１−デシルリン酸エステルジブチルエタノールアミン塩、２−ヘキシル−１−ドデシルリン酸エステルジブチルエタノールアミン塩、２−オクチル−１−デシルリン酸エステルジブチルエタノールアミン塩、２−オクチル−１−ドデシルリン酸エステルジブチルエタノールアミン塩、２−デシル−１−テトラデシルリン酸エステルジブチルエタノールアミン塩、２−（１，３，３−トリメチルブチル）−５，７，７−トリメチル−１−オクチルリン酸エステルジブチルエタノールアミン塩、２−（４−メチルヘキシル）−８−メチル−１−デシルリン酸エステルジブチルエタノールアミン塩、２−（１，５−ジメチルヘキシル）−５，９−ジメチル−１−デシルリン酸エステルジブチルエタノールアミン塩、２−エチル−１−ヘキシルリン酸エステルドデシルジエタノールアミン塩、６−メチル−１−ヘキシルリン酸エステルドデシルジエタノールアミン塩、７−メチル−１−へプチルリン酸エステルドデシルジエタノールアミン塩、２，６−ジメチル−４−ヘプチルリン酸エステルドデシルジエタノールアミン塩、２−プロピル−１−へプチルリン酸エステルドデシルジエタノールアミン塩、１０−メチル−１−デシルリン酸エステルドデシルジエタノールアミン塩、２−ブチル−１−オクチルリン酸エステルドデシルジエタノールアミン塩、２−ブチル−１−デシルリン酸エステルドデシルジエタノールアミン塩、１１−メチル−１−ドデシルリン酸エステルドデシルジエタノールアミン塩、２−ヘキシル−１−オクチルリン酸エステルドデシルジエタノールアミン塩、２−ヘキシル−１−デシルリン酸エステルドデシルジエタノールアミン塩、２−ヘキシル−１−ドデシルリン酸エステルドデシルジエタノールアミン塩、２−オクチル−１−デシルリン酸エステルドデシルジエタノールアミン塩、２−オクチル−１−ドデシルリン酸エステルドデシルジエタノールアミン塩、２−デシル−１−テトラデシルリン酸エステルドデシルジエタノールアミン塩、２−（１，３，３−トリメチルブチル）−５，７，７−トリメチル−１−オクチルリン酸エステルドデシルジエタノールアミン塩、２−（４−メチルヘキシル）−８−メチル−１−デシルリン酸エステルドデシルジエタノールアミン塩、２−（１，５−ジメチルヘキシル）−５，９−ジメチル−１−デシルリン酸エステルドデシルジエタノールアミン塩等の脂肪族アルコールが分岐アルコールであるリン酸エステルアミン塩。
【００２８】
（７）ポリオキシエチレン２モル付加ドデシルエーテルリン酸エステルナトリウム塩、ポリオキシエチレン４モル付加デシルエーテルリン酸エステルナトリウム塩、ポリオキシエチレン２モル付加ドデシルエーテルリン酸エステルカリウム塩、ポリオキシエチレン４モル付加デシルエーテルリン酸エステルカリウム塩等の直鎖アルコール１モルに対し炭素数２〜４のアルキレンオキサイドを１〜１０モルの割合で付加させたものを原料としたリン酸エステルのアルカリ金属塩
（８）ポリオキシエチレン２モル付加ドデシルエーテルリン酸エステルマグネシウム塩、ポリオキシエチレン４モル付加デシルエーテルリン酸エステルマグネシウム塩、ポリオキシエチレン２モル付加ドデシルエーテルリン酸エステルカルシウム塩、ポリオキシエチレン４モル付加デシルエーテルリン酸エステルカルシウム塩等の直鎖アルコール１モルに対し炭素数２〜４のアルキレンオキサイドを１〜１０モルの割合で付加させたものを原料としたリン酸エステルのアルカリ土類金属塩
（９）ポリオキシエチレン２モル付加ドデシルエーテルリン酸エステルオクチルアミン塩、ポリオキシエチレン４モル付加デシルエーテルリン酸エステルオクチルアミン塩、ポリオキシエチレン２モル付加ドデシルエーテルリン酸エステルジオクチルアミン塩、ポリオキシエチレン４モル付加デシルエーテルリン酸エステルジオクチルアミン塩、ポリオキシエチレン２モル付加ドデシルエーテルリン酸エステルジメチルドデシルアミン塩、ポリオキシエチレン４モル付加デシルエーテルリン酸エステルジメチルドデシルアミン塩、ポリオキシエチレン２モル付加ドデシルエーテルリン酸エステルジブチルエタノールアミン塩、ポリオキシエチレン４モル付加デシルエーテルリン酸エステルジブチルエタノールアミン塩、ポリオキシエチレン２モル付加ドデシルエーテルリン酸エステルドデシルジエタノールアミン塩、ポリオキシエチレン４モル付加デシルエーテルリン酸エステルドデシルジエタノールアミン塩等の直鎖アルコール１モルに対し炭素数２〜４のアルキレンオキサイドを１〜１０モルの割合で付加させたものを原料としたリン酸エステルのアミン塩。
【００２９】
（１０）ポリオキシエチレン２モル付加２−エチル−１−ヘキシルエーテルリン酸エステルカリウム塩、ポリオキシエチレン２モル付加２−ヘキシル−１−デシルエーテルリン酸エステルカリウム塩、ポリオキシエチレン２モル付加２−オクチル−１−デシルエーテルリン酸エステルカリウム塩、ポリオキシエチレン２モル付加２−ヘキシル−１−ドデシルエーテルリン酸エステルカリウム塩、ポリオキシエチレン２モル付加２−オクチル−１−ドデシルエーテルリン酸エステルカリウム塩、ポリオキシエチレン５モル付加２−ヘキシル−１−デシルエーテルリン酸エステルカリウム塩、ポリオキシエチレン４モル付加ポリオキシプロピレン３モル付加２−ブチル−１−オクチルエーテルリン酸エステルカリウム塩、ポリオキシエチレン２モル付加２−エチル−１−ヘキシルエーテルリン酸エステルナトリウム塩、ポリオキシエチレン２モル付加２−ヘキシル−１−デシルエーテルリン酸エステルナトリウム塩、ポリオキシエチレン２モル付加２−オクチル−１−デシルエーテルリン酸エステルナトリウム塩、ポリオキシエチレン２モル付加２−ヘキシル−１−ドデシルエーテルリン酸エステルナトリウム塩、ポリオキシエチレン２モル付加２−オクチル−１−ドデシルエーテルリン酸エステルナトリウム塩、ポリオキシエチレン５モル付加２−ヘキシル−１−デシルエーテルリン酸エステルナトリウム塩、ポリオキシエチレン４モル付加ポリオキシプロピレン３モル付加２−ブチル−１−オクチルエーテルリン酸エステルナトリウム塩等の分岐アルコール１モルに対し炭素数２〜４のアルキレンオキサイドを１〜１０モルの割合で付加させたものを原料としたリン酸エステルのアルカリ金属塩。
【００３０】
（１１）ポリオキシエチレン２モル付加２−エチル−１−ヘキシルエーテルリン酸エステルマグネシウム塩、ポリオキシエチレン２モル付加２−ヘキシル−１−デシルエーテルリン酸エステルマグネシウム塩、ポリオキシエチレン２モル付加２−オクチル−１−デシルエーテルリン酸エステルマグネシウム塩、ポリオキシエチレン２モル付加２−ヘキシル−１−ドデシルエーテルリン酸エステルマグネシウム塩、ポリオキシエチレン２モル付加２−オクチル−１−ドデシルエーテルリン酸エステルマグネシウム塩、ポリオキシエチレン５モル付加２−ヘキシル−１−デシルエーテルリン酸エステルマグネシウム塩、ポリオキシエチレン４モル付加ポリオキシプロピレン３モル付加２−ブチル−１−オクチルエーテルリン酸エステルマグネシウム塩、ポリオキシエチレン２モル付加２−エチル−１−ヘキシルエーテルリン酸エステルカルシウム塩、ポリオキシエチレン２モル付加２−ヘキシル−１−デシルエーテルリン酸エステルカルシウム塩、ポリオキシエチレン２モル付加２−オクチル−１−デシルエーテルリン酸エステルカルシウム塩、ポリオキシエチレン２モル付加２−ヘキシル−１−ドデシルエーテルリン酸エステルカルシウム塩、ポリオキシエチレン２モル付加２−オクチル−１−ドデシルエーテルリン酸エステルカルシウム塩、ポリオキシエチレン５モル付加２−ヘキシル−１−デシルエーテルリン酸エステルカルシウム塩、ポリオキシエチレン４モル付加ポリオキシプロピレン３モル付加２−ブチル−１−オクチルエーテルリン酸エステルカルシウム塩等の分岐アルコール１モルに対し炭素数２〜４のアルキレンオキサイドを１〜１０モルの割合で付加させたものを原料としたリン酸エステルのアルカリ土類金属塩。
【００３１】
（１２）ポリオキシエチレン２モル付加２−エチル−１−ヘキシルエーテルリン酸エステルオクチルアミン塩、ポリオキシエチレン２モル付加２−ヘキシル−１−デシルエーテルリン酸エステルオクチルアミン塩、ポリオキシエチレン２モル付加２−オクチル−１−デシルエーテルリン酸エステルオクチルアミン塩、ポリオキシエチレン２モル付加２−ヘキシル−１−ドデシルエーテルリン酸エステルオクチルアミン塩、ポリオキシエチレン２モル付加２−オクチル−１−ドデシルエーテルリン酸エステルオクチルアミン塩、ポリオキシエチレン５モル付加２−ヘキシル−１−デシルエーテルリン酸エステルオクチルアミン塩、ポリオキシエチレン４モル付加ポリオキシプロピレン３モル付加２−ブチル−１−オクチルエーテルリン酸エステルオクチルアミン塩、ポリオキシエチレン２モル付加２−エチル−１−ヘキシルエーテルリン酸エステルジオクチルアミン塩、ポリオキシエチレン２モル付加２−ヘキシル−１−デシルエーテルリン酸エステルジオクチルアミン塩、ポリオキシエチレン２モル付加２−オクチル−１−デシルエーテルリン酸エステルジオクチルアミン塩、ポリオキシエチレン２モル付加２−ヘキシル−１−ドデシルエーテルリン酸エステルジオクチルアミン塩、ポリオキシエチレン２モル付加２−オクチル−１−ドデシルエーテルリン酸エステルジオクチルアミン塩、ポリオキシエチレン５モル付加２−ヘキシル−１−デシルエーテルリン酸エステルジオクチルアミン塩、ポリオキシエチレン４モル付加ポリオキシプロピレン３モル付加２−ブチル−１−オクチルエーテルリン酸エステルジオクチルアミン塩、ポリオキシエチレン２モル付加２−エチル−１−ヘキシルエーテルリン酸エステルジメチルドデシルアミン塩、ポリオキシエチレン２モル付加２−ヘキシル−１−デシルエーテルリン酸エステルジメチルドデシルアミン塩、ポリオキシエチレン２モル付加２−オクチル−１−デシルエーテルリン酸エステルジメチルドデシルアミン塩、ポリオキシエチレン２モル付加２−ヘキシル−１−ドデシルエーテルリン酸エステルジメチルドデシルアミン塩、ポリオキシエチレン２モル付加２−オクチル−１−ドデシルエーテルリン酸エステルジメチルドデシルアミン塩、ポリオキシエチレン５モル付加２−ヘキシル−１−デシルエーテルリン酸エステルジメチルドデシルアミン塩、ポリオキシエチレン４モル付加ポリオキシプロピレン３モル付加２−ブチル−１−オクチルエーテルリン酸エステルジメチルドデシルアミン塩、ポリオキシエチレン２モル付加２−エチル−１−ヘキシルエーテルリン酸エステルジブチルエタノールアミン塩、ポリオキシエチレン２モル付加２−ヘキシル−１−デシルエーテルリン酸エステルジブチルエタノールアミン塩、ポリオキシエチレン２モル付加２−オクチル−１−デシルエーテルリン酸エステルジブチルエタノールアミン塩、ポリオキシエチレン２モル付加２−ヘキシル−１−ドデシルエーテルリン酸エステルジブチルエタノールアミン塩、ポリオキシエチレン２モル付加２−オクチル−１−ドデシルエーテルリン酸エステルジブチルエタノールアミン塩、ポリオキシエチレン５モル付加２−ヘキシル−１−デシルエーテルリン酸エステルジブチルエタノールアミン塩、ポリオキシエチレン４モル付加ポリオキシプロピレン３モル付加２−ブチル−１−オクチルエーテルリン酸エステルジブチルエタノールアミン塩、ポリオキシエチレン２モル付加２−エチル−１−ヘキシルエーテルリン酸エステルドデシルジエタノールアミン塩、ポリオキシエチレン２モル付加２−ヘキシル−１−デシルエーテルリン酸エステルドデシルジエタノールアミン塩、ポリオキシエチレン２モル付加２−オクチル−１−デシルエーテルリン酸エステルドデシルジエタノールアミン塩、ポリオキシエチレン２モル付加２−ヘキシル−１−ドデシルエーテルリン酸エステルドデシルジエタノールアミン塩、ポリオキシエチレン２モル付加２−オクチル−１−ドデシルエーテルリン酸エステルドデシルジエタノールアミン塩、ポリオキシエチレン５モル付加２−ヘキシル−１−デシルエーテルリン酸エステルドデシルジエタノールアミン塩、ポリオキシエチレン４モル付加ポリオキシプロピレン３モル付加２−ブチル−１−オクチルエーテルリン酸エステルドデシルジエタノールアミン塩等の分岐アルコール１モルに対し炭素数２〜４のアルキレンオキサイドを１〜１０モルの割合で付加させたものを原料としたリン酸エステルのアミン塩。
【００３２】
（１３）ヘキシルリン酸エステル、オクチルリン酸エステル、デシルリン酸エステル、ドデシルリン酸エステル、トリデシルリン酸エステル、テトラデシルリン酸エステル、ペンタデシルリン酸エステル、ヘキサデシルリン酸エステル、ヘプタデシルリン酸エステル、オクタデシルリン酸エステル、ベヘニルリン酸エステル、トリオクタコサニルリン酸エステル、オクタデセニルリン酸エステル等の脂肪族アルコールが直鎖アルコールのリン酸エステル。
【００３３】
（１４）２−エチル−１−ヘキシルリン酸エステル、６−メチル−１−ヘキシルリン酸エステル、７−メチル−１−へプチルリン酸エステル、２，６−ジメチル−４−ヘプチルリン酸エステル、２−プロピル−１−へプチルリン酸エステル、１０−メチル−１−デシルリン酸エステル、２−ブチル−１−オクチルリン酸エステル、２−ブチル−１−デシルリン酸エステル、１１−メチル−１−ドデシルリン酸エステル、２−ヘキシル−１−オクチルリン酸エステル、２−ヘキシル−１−デシルリン酸エステル、２−ヘキシル−１−ドデシルリン酸エステル、２−オクチル−１−デシルリン酸エステル、２−オクチル−１−ドデシルリン酸エステル、２−デシル−１−テトラデシルリン酸エステル、２−（１，３，３−トリメチルブチル）−５，７，７−トリメチル−１−オクチルリン酸エステル、２−（４−メチルヘキシル）−８−メチル−１−デシルリン酸エステル、２−（１，５−ジメチルヘキシル）−５，９−ジメチル−１−デシルリン酸エステル等の脂肪族アルコールが分岐アルコールであるリン酸エステル。
【００３４】
（１５）メタンスルホン酸のナトリウム塩、フルオロスルホン酸のナトリウム塩、オクチルスルホン酸のナトリウム塩、ベンゼンスルホン酸のナトリウム塩、ｐ−トルエンスルホン酸のナトリウム塩、ドデシル−６−スルホン酸のナトリウム塩、テトラデシル−７−スルホン酸のナトリウム塩、ヘキサデシル−８−スルホン酸のナトリウム塩、オクタデシル−９−スルホン酸のナトリウム塩、分岐ノニルベンゼンスルホン酸のナトリウム塩、直鎖デシルベンゼンスルホン酸のナトリウム塩、分岐デシルベンゼンスルホン酸のナトリウム塩、直鎖ドデシルベンゼンスルホン酸のナトリウム塩、分岐ドデシルベンゼンスルホン酸のナトリウム塩、分岐トリデシルベンゼンスルホン酸のナトリウム塩、直鎖テトラデシルベンゼンスルホン酸のナトリウム塩、分岐テトラデシルベンゼンスルホン酸のナトリウム塩、分岐ヘキサデシルベンゼンスルホン酸のナトリウム塩、ジ（２−エチルヘキシル）スルホコハク酸のナトリウム塩、ジドデシルスルホコハク酸のナトリウム塩、メタンスルホン酸のカリウム塩、フルオロスルホン酸のカリウム塩、オクチルスルホン酸のカリウム塩、ベンゼンスルホン酸のカリウム塩、ｐ−トルエンスルホン酸のカリウム塩、ドデシル−６−スルホン酸のカリウム塩、テトラデシル−７−スルホン酸のカリウム塩、ヘキサデシル−８−スルホン酸のカリウム塩、オクタデシル−９−スルホン酸のカリウム塩、分岐ノニルベンゼンスルホン酸のカリウム塩、直鎖デシルベンゼンスルホン酸のカリウム塩、分岐デシルベンゼンスルホン酸のカリウム塩、直鎖ドデシルベンゼンスルホン酸のカリウム塩、分岐ドデシルベンゼンスルホン酸のカリウム塩、分岐トリデシルベンゼンスルホン酸のカリウム塩、直鎖テトラデシルベンゼンスルホン酸のカリウム塩、分岐テトラデシルベンゼンスルホン酸のカリウム塩、分岐ヘキサデシルベンゼンスルホン酸のカリウム塩、ジ（２−エチルヘキシル）スルホコハク酸のカリウム塩、ジドデシルスルホコハク酸のカリウム塩、メタンスルホン酸のマグネシウム塩、フルオロスルホン酸のマグネシウム塩、オクチルスルホン酸のマグネシウム塩、ベンゼンスルホン酸のマグネシウム塩、ｐ−トルエンスルホン酸のマグネシウム塩、ドデシル−６−スルホン酸のマグネシウム塩、テトラデシル−７−スルホン酸のマグネシウム塩、ヘキサデシル−８−スルホン酸のマグネシウム塩、オクタデシル−９−スルホン酸のマグネシウム塩、分岐ノニルベンゼンスルホン酸のマグネシウム塩、直鎖デシルベンゼンスルホン酸のマグネシウム塩、分岐デシルベンゼンスルホン酸のマグネシウム塩、直鎖ドデシルベンゼンスルホン酸のマグネシウム塩、分岐ドデシルベンゼンスルホン酸のマグネシウム塩、分岐トリデシルベンゼンスルホン酸のマグネシウム塩、直鎖テトラデシルベンゼンスルホン酸のマグネシウム塩、分岐テトラデシルベンゼンスルホン酸のマグネシウム塩、分岐ヘキサデシルベンゼンスルホン酸のマグネシウム塩、ジ（２−エチルヘキシル）スルホコハク酸のマグネシウム塩、ジドデシルスルホコハク酸のマグネシウム塩、メタンスルホン酸のカルシウム塩、フルオロスルホン酸のカルシウム塩、オクチルスルホン酸のカルシウム塩、ベンゼンスルホン酸のカルシウム塩、ｐ−トルエンスルホン酸のカルシウム塩、ドデシル−６−スルホン酸のカルシウム塩、テトラデシル−７−スルホン酸のカルシウム塩、ヘキサデシル−８−スルホン酸のカルシウム塩、オクタデシル−９−スルホン酸のカルシウム塩、分岐ノニルベンゼンスルホン酸のカルシウム塩、直鎖デシルベンゼンスルホン酸のカルシウム塩、分岐デシルベンゼンスルホン酸のカルシウム塩、直鎖ドデシルベンゼンスルホン酸のカルシウム塩、分岐ドデシルベンゼンスルホン酸のカルシウム塩、分岐トリデシルベンゼンスルホン酸のカルシウム塩、直鎖テトラデシルベンゼンスルホン酸のカルシウム塩、分岐テトラデシルベンゼンスルホン酸のカルシウム塩、分岐ヘキサデシルベンゼンスルホン酸のカルシウム塩、ジ（２−エチルヘキシル）スルホコハク酸のカルシウム塩、ジドデシルスルホコハク酸のカルシウム塩などのスルホン酸の金属塩。
【００３５】
（１６）メタンスルホン酸のテトラブチルアンモニウム塩、フルオロスルホン酸のテトラブチルアンモニウム塩、オクチルスルホン酸のテトラブチルアンモニウム塩、ベンゼンスルホン酸のテトラブチルアンモニウム塩、ｐ−トルエンスルホン酸のテトラブチルアンモニウム塩、ドデシル−６−スルホン酸のテトラブチルアンモニウム塩、テトラデシル−７−スルホン酸のテトラブチルアンモニウム塩、ヘキサデシル−８−スルホン酸のテトラブチルアンモニウム塩、オクタデシル−９−スルホン酸のテトラブチルアンモニウム塩、分岐ノニルベンゼンスルホン酸のテトラブチルアンモニウム塩、直鎖デシルベンゼンスルホン酸のテトラブチルアンモニウム塩、分岐デシルベンゼンスルホン酸のテトラブチルアンモニウム塩、直鎖ドデシルベンゼンスルホン酸のテトラブチルアンモニウム塩、分岐ドデシルベンゼンスルホン酸のテトラブチルアンモニウム塩、分岐トリデシルベンゼンスルホン酸のテトラブチルアンモニウム塩、直鎖テトラデシルベンゼンスルホン酸のテトラブチルアンモニウム塩、分岐テトラデシルベンゼンスルホン酸のテトラブチルアンモニウム塩、分岐ヘキサデシルベンゼンスルホン酸のテトラブチルアンモニウム塩、ジ（２−エチルヘキシル）スルホコハク酸のテトラブチルアンモニウム塩、ジドデシルスルホコハク酸のテトラブチルアンモニウム塩、メタンスルホン酸のテトラブチルホスホニウム塩、フルオロスルホン酸のテトラブチルホスホニウム塩、オクチルスルホン酸のテトラブチルホスホニウム塩、ベンゼンスルホン酸のテトラブチルホスホニウム塩、ｐ−トルエンスルホン酸のテトラブチルホスホニウム塩、ドデシル−６−スルホン酸のテトラブチルホスホニウム塩、テトラデシル−７−スルホン酸のテトラブチルホスホニウム塩、ヘキサデシル−８−スルホン酸のテトラブチルホスホニウム塩、オクタデシル−９−スルホン酸のテトラブチルホスホニウム塩、分岐ノニルベンゼンスルホン酸のテトラブチルホスホニウム塩、直鎖デシルベンゼンスルホン酸のテトラブチルホスホニウム塩、分岐デシルベンゼンスルホン酸のテトラブチルホスホニウム塩、直鎖ドデシルベンゼンスルホン酸のテトラブチルホスホニウム塩、分岐ドデシルベンゼンスルホン酸のテトラブチルホスホニウム塩、分岐トリデシルベンゼンスルホン酸のテトラブチルホスホニウム塩、直鎖テトラデシルベンゼンスルホン酸のテトラブチルホスホニウム塩、分岐テトラデシルベンゼンスルホン酸のテトラブチルホスホニウム塩、分岐ヘキサデシルベンゼンスルホン酸のテトラブチルホスホニウム塩、ジ（２−エチルヘキシル）スルホコハク酸のテトラブチルホスホニウム塩、ジドデシルスルホコハク酸のテトラブチルホスホニウム塩、メタンスルホン酸のオクチルジメチルエチルアンモニウム塩、メタンスルホン酸のジドデシルジメチルアンモニウム塩、メタンスルホン酸のジデシルジメチルアンモニウム塩、メタンスルホン酸のオクチルジメチルヒドロキシエチルアンモニウム塩、メタンスルホン酸のドデシルジメチルヒドロキシエチルアンモニウム塩、メタンスルホン酸のジデシルメチルヒドロキシエチルアンモニウム塩等のスルホン酸のオニウム塩。
【００３６】
（１７）ラウリン酸ジメチルアミノプロピルアミドのジメチル硫酸４級化物、ステアリン酸ジメチルアミノプロピルアミドのジメチル硫酸４級化物、イソステアリン酸ジメチルアミノプロピルアミドのジメチル硫酸４級化物等のジメチル硫酸４級化物、１−メチル−２−（ヘプタデセニル）−４，５−ジハイドロ−３−（２−ハイドロキシエチル）−１Ｈ−イミダゾリニウムのメチル硫酸塩、１−メチル−２−（ヘプタデシル）−４，５−ジハイドロ−３−（２−ハイドロキシエチル）−１Ｈ−イミダゾリニウムのメチル硫酸塩、１−メチル−２−（イソヘプタデシル）−４，５−ジハイドロ−３−（２−ハイドロキシエチル）−１Ｈ−イミダゾリニウムのメチル硫酸塩、１−メチル−２−（ペンタデシル）−４，５−ジハイドロ−３−（２−ハイドロキシエチル）−１Ｈ−イミダゾリニウムのメチル硫酸塩、１−メチル−２−（ヘプタデセニル）−４，５−ジハイドロ−３−（オクタデセニルアミドエチル）−１Ｈ−イミダゾリニウムのメチル硫酸塩、１−メチル−２−（ヘプタデセニル）−４，５−ジハイドロ−３−（オクタデシルアミドエチル）−１Ｈ−イミダゾリニウムのメチル硫酸塩、１−メチル−２−（ヘプタデセニル）−４，５−ジハイドロ−３−（イソオクタデシルアミドエチル）−１Ｈ−イミダゾリニウムのメチル硫酸塩、１−メチル−２−（ヘプタデシル）−４，５−ジハイドロ−３−（オクタデセニルアミドエチル）−１Ｈ−イミダゾリニウムのメチル硫酸塩、１−メチル−２−（ヘプタデシル）−４，５−ジハイドロ−３−（オクタデシルアミドエチル）−１Ｈ−イミダゾリニウムのメチル硫酸塩、３−メチル−２−（ヘプタデセニル）−４，５−ジハイドロ−３−（２−ハイドロキシエチル）−１Ｈ−イミダゾリウムのメチル硫酸塩、３−メチル−２−（ヘプタデシル）−４，５−ジハイドロ−３−（２−ハイドロキシエチル）−１Ｈ−イミダゾリウムのメチル硫酸塩、３−メチル−２−（イソヘプタデシル）−４，５−ジハイドロ−３−（２−ハイドロキシエチル）−１Ｈ−イミダゾリウムのメチル硫酸塩、３−メチル−２−（ペンタデシル）−４，５−ジハイドロ−３−（２−ハイドロキシエチル）−１Ｈ−イミダゾリニウムのメチル硫酸塩、１−メチル−３−（オクタデシル）−２，４，５−トリハイドロ−１Ｈ−イミダゾリウムのメチル硫酸塩、１−メチル−３−（イソオクタデシル）−２，４，５−トリハイドロ−１Ｈ−イミダゾリウムのメチル硫酸塩、１−メチル−３−（オクタデセニル）−２，４，５−トリハイドロ−１Ｈ−イミダゾリウムのメチル硫酸塩、１−メチル−３−（ヘキサデシル）−２，４，５−トリハイドロ−１Ｈ−イミダゾリウムのメチル硫酸塩、Ｎ−ヘキサデシル−Ｎ−メチル−モルフォリニウムのメチル硫酸塩、Ｎ−オクタデシル−Ｎ−メチル−モルフォリニウムのメチル硫酸塩、Ｎ−オクタデセニル−Ｎ−メチル−モルフォリニウムのメチル硫酸塩、Ｎ，Ｎ−ジメチル−Ｎ，Ｎ−ジオクチル−アンモニウムのメチル硫酸塩、Ｎ，Ｎ−ジメチル−Ｎ，Ｎ−ジドデシル−Ｎ−アンモニウムのメチル硫酸塩、Ｎ，Ｎ−ジメチル−Ｎ，Ｎ−ジオクタデシル−アンモニウムのメチル硫酸塩、Ｎ，Ｎ−ジメチル−Ｎ，Ｎ−ジイソオクタデシル−Ｎ−アンモニウムのメチル硫酸塩、Ｎ，Ｎ−ジメチル−Ｎ−オクチル−Ｎ−（２−ハイドロキシエチル）−アンモニウムのメチル硫酸塩、Ｎ，Ｎ−ジメチル−Ｎ−ドデシル−Ｎ−（２−ハイドロキシエチル）−アンモニウムのメチル硫酸塩、Ｎ，Ｎ−ジメチル−Ｎ−ヘキサデシル−Ｎ−（２−ハイドロキシエチル）−アンモニウムのメチル硫酸塩、Ｎ，Ｎ−ジメチル−Ｎ−オクタデシル−Ｎ−（２−ハイドロキシエチル）−アンモニウムのメチル硫酸塩、Ｎ，Ｎ−ジメチル−Ｎ−イソオクタデシル−Ｎ−（２−ハイドロキシエチル）−アンモニウムのメチル硫酸塩、オクチルジメチルエチルアンモニウムのメチル硫酸塩、ドデシルジメチルアンモニウムのメチル硫酸塩、ジデシルジメチルアンモニウムのメチル硫酸塩、オクチルジメチルエタノールアンモニウムのメチル硫酸塩、ドデシルジメチルエタノールアンモニウムのメチル硫酸塩、ジデシルメチルエタノールアンモニウムのメチル硫酸塩等のジメチル硫酸４級化物。
【００３７】
（１８）ラウリン酸ジメチルアミノプロピルアミドのジエチル硫酸４級化物、ステアリン酸ジメチルアミノプロピルアミドのジエチル硫酸４級化物、イソステアリン酸ジメチルアミノプロピルアミドのジエチル硫酸４級化物等のジエチル硫酸４級化物、１−エチル−２−（ヘプタデセニル）−４，５−ジハイドロ−３−（２−ハイドロキシエチル）−１Ｈ−イミダゾリニウムのエチル硫酸塩、１−エチル−２−（ヘプタデシル）−４，５−ジハイドロ−３−（２−ハイドロキシエチル）−１Ｈ−イミダゾリニウムのエチル硫酸塩、１−エチル−２−（イソヘプタデシル）−４，５−ジハイドロ−３−（２−ハイドロキシエチル）−１Ｈ−イミダゾリニウムのエチル硫酸塩、１−エチル−２−（ペンタデシル）−４，５−ジハイドロ−３−（２−ハイドロキシエチル）−１Ｈ−イミダゾリニウムのエチル硫酸塩、１−エチル−２−（ヘプタデセニル）−４，５−ジハイドロ−３−（オクタデセニルアミドエチル）−１Ｈ−イミダゾリニウムのエチル硫酸塩、１−エチル−２−（ヘプタデセニル）−４，５−ジハイドロ−３−（オクタデシルアミドエチル）−１Ｈ−イミダゾリニウムのエチル硫酸塩、１−エチル−２−（ヘプタデセニル）−４，５−ジハイドロ−３−（イソオクタデシルアミドエチル）−１Ｈ−イミダゾリニウムのエチル硫酸塩、１−エチル−２−（ヘプタデシル）−４，５−ジハイドロ−３−（オクタデセニルアミドエチル）−１Ｈ−イミダゾリニウムのエチル硫酸塩、１−エチル−２−（ヘプタデシル）−４，５−ジハイドロ−３−（オクタデシルアミドエチル）−１Ｈ−イミダゾリニウムのエチル硫酸塩、３−エチル−２−（ヘプタデセニル）−４，５−ジハイドロ−３−（２−ハイドロキシエチル）−１Ｈ−イミダゾリウムのエチル硫酸塩、３−エチル−２−（ヘプタデシル）−４，５−ジハイドロ−３−（２−ハイドロキシエチル）−１Ｈ−イミダゾリウムのエチル硫酸塩、３−エチル−２−（イソヘプタデシル）−４，５−ジハイドロ−３−（２−ハイドロキシエチル）−１Ｈ−イミダゾリウムのエチル硫酸塩、３−エチル−２−（ペンタデシル）−４，５−ジハイドロ−３−（２−ハイドロキシエチル）−１Ｈ−イミダゾリニウムのエチル硫酸塩、１−エチル−３−（オクタデシル）−２，４，５−トリハイドロ−１Ｈ−イミダゾリウムのエチル硫酸塩、１−エチル−３−（イソオクタデシル）−２，４，５−トリハイドロ−１Ｈ−イミダゾリウムのエチル硫酸塩、１−エチル−３−（オクタデセニル）−２，４，５−トリハイドロ−１Ｈ−イミダゾリウムのエチル硫酸塩、１−エチル−３−（ヘキサデシル）−２，４，５−トリハイドロ−１Ｈ−イミダゾリウムのエチル硫酸塩、Ｎ−ヘキサデシル−Ｎ−エチル−モルフォリニウムのエチル硫酸塩、Ｎ−オクタデシル−Ｎ−エチル−モルフォリニウムのエチル硫酸塩、Ｎ−オクタデセニル−Ｎ−エチル−モルフォリニウムのエチル硫酸塩、Ｎ−メチル−Ｎ−エチル−Ｎ，Ｎ−ジオクチル−アンモニウムのエチル硫酸塩、Ｎ−メチル−Ｎ−エチル−Ｎ，Ｎ−ジドデシル−Ｎ−アンモニウムのエチル硫酸塩、Ｎ−メチル−Ｎ−エチル−Ｎ，Ｎ−ジオクタデシル−アンモニウムのエチル硫酸塩、Ｎ−メチル−Ｎ−エチル−Ｎ，Ｎ−ジイソオクタデシル−Ｎ−アンモニウムのエチル硫酸塩、Ｎ−メチル−Ｎ−エチル−Ｎ−オクチル−Ｎ−（２−ハイドロキシエチル）−アンモニウムのエチル硫酸塩、Ｎ−メチル−Ｎ−エチル−Ｎ−ドデシル−Ｎ−（２−ハイドロキシエチル）−アンモニウムのエチル硫酸塩、Ｎ−メチル−Ｎ−エチル−Ｎ−ヘキサデシル−Ｎ−（２−ハイドロキシエチル）−アンモニウムのエチル硫酸塩、Ｎ−メチル−Ｎ−エチル−Ｎ−オクタデシル−Ｎ−（２−ハイドロキシエチル）−アンモニウムのエチル硫酸塩、Ｎ−メチル−Ｎ−エチル−Ｎ−イソオクタデシル−Ｎ−（２−ハイドロキシエチル）−アンモニウムのエチル硫酸塩等のジエチル硫酸４級化物から選ばれる少なくとも一つが挙げられる。
【００３８】
なかでも、上記の（４）、（５）、（６）、（１０）、（１１）、（１２）、（１４）、（１５）、（１６）、（１７）、（１８）に分類される化合物から選ばれる少なくとも一つであることが好ましい。
【００３９】
（膠着防止剤）
本発明には解舒性を強化する目的で用いられる膠着防止剤が含有されていてもよい。膠着防止剤としては、例えば、タルク、ハイドロタルサイト、シリカ、シリコーンレジン、固体パラフィンワックス、メチレンビスステアリルアミド、エチレンビスステアリルアミド、ウレタンワックス、モンタン酸ワックス、高級脂肪酸金属塩等が挙げられるが、なかでもシリコーンレジン、高級脂肪酸金属塩から選ばれる少なくとも１種が好ましく、ＧＰＣによる重量平均分子量が３０００〜１０００００のシリコーンレジン及び炭素数１０〜２２の脂肪酸のアルカリ土類金属塩から選ばれる少なくとも１種が更に好ましい。
【００４０】
ＧＰＣによる重量平均分子量は以下の測定条件にて求めることができる。
機種      ：ＨＬＣ−８１２０ＧＰＣ（東ソー株式会社製液体クロマトグラフ）
カラム    ：ＴＳＫ  ｇｅｌ  Ｓｕｐｅｒ  Ｈ４０００（東ソー株式会社製）
＋ＴＳＫ  ｇｅｌ  Ｓｕｐｅｒ  Ｈ３０００（東ソー株式会社製）
＋ＴＳＫ  ｇｅｌ  Ｓｕｐｅｒ  Ｈ２０００（東ソー株式会社製）
カラム温度：４０℃
検出器    ：ＲＩ（Ｒｅｆｒａｃｔｉｖｅ  Ｉｎｄｅｘ）
溶媒      ：テトラヒドロフラン
流速      ：０．５ｍｌ／分
試料濃度  ：０．２５質量％
注入量    ：１０μｌ
標準      ：ポリスチレン（東ソー株式会社製；ＴＳＫ  ＳＴＡＮＤＡＲＤ  ＰＯＬＹＳＴＹＲＥＮＥ）
シリコーンレジンに関しては、ＭＱシリコーンレジン、ＭＤＱシリコーンレジン、Ｔシリコーンレジン及びＭＴＱシリコーンレジンから選ばれる少なくとも一つであることが好ましく、Ｍ／Ｑ比が０．５〜１．５である場合のものが最も好ましい。炭素数１０〜２２の脂肪酸のアルカリ土類金属塩に関しては、ステアリン酸マグネシウムであることが好ましい。ステアリン酸マグネシウムとしては特に制限はなく、何れのメーカーの商品でも使用できるが、例えば、株式会社サンエース社製のＳＡＫ−ＭＳ−Ｐ、日油株式会社製のマグネシウムステアレートＧ、日油株式会社製のマグネシウムステアレートＧＦ−２００、日油株式会社製のマグネシウムステアレートＧＲ、日油株式会社製の工マグネシウムステアレート、日油株式会社製の日局ステアリン酸マグネシウム、日東化成工業株式会社製のＭｇ−Ｓｔ、日東化成工業株式会社製のＭｇ−ＬＦ、株式会社サンエース社製のＳＡＫ−ＭＳ−Ｐ／ＵＳＰ等の製品が挙げられる。
【００４１】
ここで、シリコーンレジンに関して記載したＭ、Ｄ、Ｔ、Ｑについて説明する。これらの表記方法はシリコーンレジンを構成する成分の表記方法として一般的に使用されており、Ｍとは、１官能性構成単位Ｒ５Ｒ６Ｒ７ＳｉＯ１／２であり、Ｄとは、２官能性構成単位Ｒ８Ｒ９ＳｉＯ２／２であり、Ｔとは、３官能性構成単位Ｒ１０ＳｉＯ３／２であり、Ｑとは、４官能性構成単位ＳｉＯ４／２である。Ｒ５〜Ｒ１０は炭素数１〜２４の炭化水素基、−ＲａＮＨＲｂＮＨ２（式中、ＲａおよびＲｂは炭素数２又は３の炭化水素基）や−ＲｃＮＨ２（式中、Ｒｃは炭素数２又は３の炭化水素基）等で示される有機アミノ基、ビニル基、カルビノール基である。
【００４２】
（その他の成分）
本発明の処理剤には、本発明の効果を損なわない範囲内にて、必要に応じその他の成分を併用することもできる。かかるその他の成分としては、アミノ変性ポリジメチルシロキサン、ポリエーテル変性ポリジメチルシロキサン、カルボキシ変性ポリジメチルシロキサン、エポキシ変性ポリジメチルシロキサン、メルカプト変性ポリジメチルシロキサン、アルキル変性ポリジメチルシロキサン、エステル変性ポリジメチルシロキサン等の変性シリコーンオイル、非イオン性界面活性剤や高級アルコールに代表されるつなぎ剤、濡れ性向上剤、紫外線吸収剤、酸化防止剤、防腐剤等、繊維処理剤として公知の成分が挙げられる。
【００４３】
以上説明した本発明の処理剤に使用される特定ヒドロキシ末端ポリジメチルシロキサン、特定ヒドロキシ末端ポリジメチルシロキサン以外のシリコーン、鉱物油、エステル、帯電防止剤、膠着防止剤等の各成分はいずれも公知の方法によって容易に製造できる。本発明の処理剤の調製それ自体には、公知の方法を適用できる。
【００４４】
本発明の処理剤の調製それ自体には、公知の方法を適用できる。
本発明の処理剤の動粘度に特に制限は無いが、給油時の処理剤の飛散や粘性抵抗による断糸発生有無の観点から２５℃で２〜１００ｍｍ２／ｓが好ましい。
【００４５】
次に、本発明に係る合成繊維（以下、本発明の合成繊維という）について説明する。本発明の合成繊維は、本発明の処理剤が付着している合成繊維である。合成繊維に対する本発明の処理剤の付着量については特に制限はないが、０．１〜１０質量％の割合で付着していることが好ましい。
【００４６】
合成繊維としては、例えば１）ポリエチレンテレフタレート、ポリプロピレンテレフタレート、ポリ乳酸エステル等のポリエステル系繊維、２）ナイロン６、ナイロン６６等のポリアミド系繊維、３）ポリアクリル、モダアクリル等のポリアクリル系繊維、４）ポリエチレン、ポリプロピレン等のポリオレフィン系繊維、５）ポリエステル、ポリアミド、ポリオレフィン、ポリウレタン等の弾性繊維等が挙げられるが、なかでも弾性繊維が好ましく、ポリウレタン系弾性繊維が更に好ましい。
【００４７】
また、本発明の処理剤の給油方法としては、希釈することなくニート給油法により、合成繊維の紡糸工程において合成繊維に付着させる方法が挙げられる。付着方法としては、ローラー給油法、ガイド給油法、スプレー給油法等の公知の方法が適用できる。給油ローラーは、通常口金から巻き取りトラバースまでの間に位置することが一般的であるが、なかでも延伸ローラーと延伸ローラーとの間に位置する給油ローラーにて本発明の処理剤をポリウレタン系弾性繊維に付着させることが効果の発現が顕著で好ましい。
【００４８】
本発明の合成繊維の製造方法は特に限定されず、公知の方法で製造が可能であるが、例えば、湿式紡糸法、溶融紡糸法、乾式紡糸法がある。なかでも、合成繊維の品質や製造効率の点から乾式紡糸法が好ましい。
【００４９】
以上説明したように、特定ヒドロキシ末端ポリジメチルシロキサンを含む本発明の処理剤によると、合成繊維に優れた制電性と解舒性を付与し、加工時の摩擦変動と綾落ちが同時に抑えられるという効果がある。
【実施例】
【００５０】
以下、本発明の構成及び効果をより具体的にするため、実施例等を挙げるが、本発明がこれらの実施例に限定されるというものではない。
試験区分１（特定ヒドロキシ末端ポリジメチルシロキサンの調製）
特定ヒドロキシ末端ポリジメチルシロキサンＳ−１の調整：特開平３−１６９８８５号公報記載の方法と同様にして特定ヒドロキシ末端ポリジメチルシロキサンＳ−１を調製した。特定ヒドロキシ末端ポリジメチルシロキサンＳ−１の２５℃における動粘度（以下、２５℃粘度という）を表１に示す。
【００５１】
特定ヒドロキシ末端ポリジメチルシロキサンＳ−２〜Ｓ−４の調整：特定ヒドロキシ末端ポリジメチルシロキサンＳ−１と同様の方法で特定ヒドロキシ末端ポリジメチルシロキサンＳ−２〜Ｓ−４を調製した。特定ヒドロキシ末端ポリジメチルシロキサンＳ−２〜Ｓ−４の２５℃粘度を表１に示す。
【００５２】
特定ヒドロキシ末端ポリジメチルシロキサンＳ−５の調整：特開平７−２２４０７２号公報記載の方法と同様にして特定ヒドロキシ末端ポリジメチルシロキサンＳ−５を調製した。特定ヒドロキシ末端ポリジメチルシロキサンＳ−５の２５℃粘度を表１に示す。
【００５３】
試験区分２（合成繊維用処理剤の調製）
実施例、比較例に用いた合成繊維用処理剤は下記調製方法により調製し、その内容を表２に纏めた。
【００５４】
実施例１：表１に示した特定ヒドロキシ末端ポリジメチルシロキサンＳ−１（５質量部）と、特定ヒドロキシ末端ポリジメチルシロキサン以外のシリコーンＡ−１（６５質量部）と、鉱物油Ａ−２（３０質量部）とをよく混合して均一にすることで実施例１の処理剤を調製し、その２５℃粘度をキャノンフェンスケにて測定した。実施例１の２５℃粘度を表２に示す。
【００５５】
実施例２〜１１、比較例１：実施例１と同様にして実施例２〜１１、比較例１の処理剤を調製し、その２５℃粘度を測定した。実施例２〜１１、比較例１の２５℃粘度を表２に示す。
【００５６】
【表１】
2020045595.tif 000002
【００５７】
【表２】
2020045595.tif 000003
表２に記載した各成分は以下のとおりである。
【００５８】
Ａ−１：ジメチルシリコーン（信越化学工業株式会社製の商品名ＫＦ９６−１０ｃｓ）、２５℃粘度：１０ｍｍ２／ｓ
Ａ−２：鉱物油（コスモ石油ルブリカンツ株式会社製の商品名コスモピュアスピンＲＣ）、２５℃粘度：１２ｍｍ２／ｓ
Ａ−３：鉱物油（出光興産株式会社製の商品名ダイアナフレシア  Ｇ９）、２５℃粘度：１２ｍｍ２／ｓ
Ａ−４：鉱物油（ＳＫ  Ｌｕｂｒｉｃａｎｔｓ社製の商品名ＹＵＢＡＳＥ  ３）、２５℃粘度：２０ｍｍ２／ｓ
Ａ−５：鉱物油（日本サン石油社製の商品名ＳＵＮ  ６０Ｎ）、２５℃粘度：１２ｍｍ２／ｓ
Ａ−６：パルミチン酸２−エチルヘキシル（当栄ケミカル株式会社製の商品名ＴＯＥＮＯＬ＃５０１６）、２５℃粘度：１２ｍｍ２／ｓ
Ｂ−１：シリコーン部分／ポリエーテル部分の質量比８０／２０、ポリエーテル部分がＥＯ／ＰＯ＝８０／２０で２５℃粘度１０００ｍｍ２／ｓであるＡＢｎ型ポリエーテル変性シリコーン
Ｂ−２：ステアリン酸マグネシウム
Ｂ−３：アミノ当量７０００、２５℃粘度３００ｍｍ２／ｓであるアミノ変性シリコーン
Ｂ−４：２−ヘキシル−１−デカノール
Ｂ−５：ドデシルスルホン酸のテトラブチルホスホニウム塩
Ｂ−６：２−エチル−１−ヘキシルリン酸エステルマグネシウム塩
Ｂ−７：２−（１，３，３−トリメチルブチル）−５，７，７−トリメチル−１−オクチルリン酸エステルジブチルエタノールアミン塩
試験区分２（合成繊維の製造）
分子量２９００のテトラメチレンエーテルグリコール、ビス−（ｐ−イソシアネートフェニル）−メタンおよびエチレンジアミンからなるポリウレタンのＮ，Ｎ−ジメチルアセトアミド溶液（３５質量％）を重合しポリマー溶液（Ａ）とした。
【００５９】
次に、酸化防止剤として、ｔ−ブチルジエタノールアミンとメチレン−ビス−（４−シクロヘキシルイソシアネート）との反応によって生成せしめたポリウレタン（デュポン社製“メタクロール”（登録商標）２４６２）とｐ−クレゾールとジビニルベンゼンの縮合重合体（デュポン社製“メタクロール”（登録商標）２３９０）との２対１（質量比）の混合物を用い、この混合物のＮ，Ｎ−ジメチルアセトアミド溶液（３５質量％）を調製し、その他添加剤溶液（Ｂ）とした。
【００６０】
上記の溶液（Ａ）、（Ｂ）それぞれを９６対４（質量比）の割合で均一に混合し、紡糸原液とした。
こうして得られた紡糸原液を用いて、公知のスパンデックスで用いられる乾式紡糸方法により、４４ｄｔｅｘ／３ｆｉｌのマルチフィラメントのポリウレタン系弾性繊維を紡糸して、巻き取り前の延伸ローラーと延伸ローラーとの間に位置する給油ローラーから、実施例１〜１１、比較例１に示す処理剤をニートの状態でローラー給油した。かくしてローラー給油したものを、巻き取り速度が６００ｍ／分で、長さ５８ｍｍの円筒状紙管に、巻き幅３８ｍｍを与えるトラバースガイドを介して、サーフェイスドライブの巻取機を用いて巻き取り、乾式紡糸ポリウレタン系弾性繊維のパッケージ５００ｇを得た。ポリウレタン系弾性繊維用処理剤の付着量の調節は、給油ローラーの回転数を調整することで何れも５質量％となるように行なった。こうして得られた乾式紡糸ポリウレタン系弾性繊維のパッケージを用いて下記の測定及び評価に供し、結果を表２にまとめて示した。
【００６１】
試験区分３（合成繊維用処理剤及び合成繊維の評価）
・綾落ち
上記で得られた紡糸直後の乾式紡糸ポリウレタン系弾性繊維パッケージ（５００ｇ巻き）を送り出し２０ｍ／分、巻き取り４０ｍ／分で１０００ｍ巻き取った場合のパッケージの綾落ちによる断糸の回数を次の基準で評価した。
【００６２】
○：綾落ちによる断糸が０回以上３回未満。
×：綾落ちによる断糸が３回以上。
・摩擦測定
摩擦測定メーター（エイコー測器社製、ＳＡＭＰＬＥ  ＦＲＩＣＴＩＯＮ  ＵＮＩＴ  ＭＯＤＥＬ  ＴＢ−１）を用い、二つのフリーローラー間に直径１ｃｍで表面粗度２Ｓのクロムメッキ梨地ピンを配置し、このクロムメッキ梨地ピンに対し、前記のパッケージ（５００ｇ巻き）から引き出したポリウレタン系弾性繊維の接触角度が９０度となるようにした。２５℃で６０％ＲＨの条件下、入側で初期張力（Ｔ１）５ｇをかけ、１００ｍ／分の速度で走行させたときの出側の２次張力（Ｔ２）を０．１秒毎に１分間測定した。下記式（１）から摩擦係数を求め、次の基準で評価した。
【００６３】
◎：摩擦係数が０．１５０以上０．２２０未満。
○：摩擦係数が０．２２０以上０．２６０未満。
△：摩擦係数が０．２６０以上０．３００未満。
【００６４】
×：摩擦係数が０．３００以上。
【００６５】
【数１】
2020045595.tif 000004
・解舒張力
片側に第１駆動ローラーとこれに常時接する第１遊離ローラーとで送り出し部を構成し、また反対側に第２駆動ローラーとこれに常時接する第２遊離ローラーとで巻き取り部を構成して、該送り出し部に対し該巻き取り部を水平方向で２０ｃｍ離して設置した。第１駆動ローラーに上記で得られた紡糸直後の乾式紡糸ポリウレタン系弾性繊維のパッケージを装着し、糸巻の厚さが２ｍｍになるまで解舒して、第２駆動ローラーに巻き取った。第１駆動ローラーからのポリウレタン系弾性繊維の送り出し速度を５０ｍ／分で固定する一方、第２駆動ローラーへのポリウレタン系弾性繊維の巻き取り速度を５０ｍ／分より徐々に上げて、ポリウレタン系弾性繊維をパッケージから強制解舒した。この強制解舒時において、送り出し部分と巻き取り部分との間でポリウレタン系弾性繊維の踊りがなくなる時点での巻き取り速度Ｖ（ｍ／分）を測定し、下記の式（２）から解舒性（％）を求め、次の基準で評価した。
【００６６】
○：解舒性が１８０％未満（糸切れの発生は無く、安定に解舒できる）
×：解舒性が１８０％以上（糸の引き出しに抵抗があり、糸切れもあって、操業に問題がある）
【００６７】
【数２】
2020045595.tif 000005
以上、表２の結果からも明らかなように、本発明によれば、合成繊維に優れた摩擦特性と解舒性を付与し、加工時の綾落ちが抑えられるという効果がある。
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
合成繊維に付着させて用いられる合成繊維用処理剤であって、
ポリマー鎖の末端ケイ素原子に直接、ヒドロキシ基が結合したヒドロキシ末端ポリジメチルシロキサンと、
前記ヒドロキシ末端ポリジメチルシロキサン以外のシリコーンとを含み、
前記合成繊維用処理剤全体を１００質量部とした場合、前記ヒドロキシ末端ポリジメチルシロキサンの含有割合が０．０１〜５０質量部であることを特徴とする合成繊維用処理剤。
【請求項２】
前記ヒドロキシ末端ポリジメチルシロキサンの２５℃における動粘度が、１０〜１００００ｍｍ２／ｓである請求項１に記載の合成繊維用処理剤。
【請求項３】
前記合成繊維用処理剤の２５℃における動粘度が、２〜１００ｍｍ２／ｓである請求項１又は２に記載の合成繊維用処理剤。
【請求項４】
更に、鉱物油及びエステルから選ばれる少なくとも一つを含む請求項１〜３のいずれか一項に記載の合成繊維用処理剤。
【請求項５】
前記ヒドロキシ末端ポリジメチルシロキサン、前記ヒドロキシ末端ポリジメチルシロキサン以外のシリコーン、前記鉱物油及び前記エステルの含有割合の合計を１００質量部とした場合、前記ヒドロキシ末端ポリジメチルシロキサン及び前記ヒドロキシ末端ポリジメチルシロキサン以外のシリコーンの含有割合の合計が１０質量部以上である請求項４に記載の合成繊維用処理剤。
【請求項６】
前記合成繊維が弾性繊維である請求項１〜５のいずれか一項に記載の合成繊維用処理剤。
【請求項７】
請求項１〜６のいずれか一項に記載の合成繊維用処理剤が付着していることを特徴とする合成繊維。
【手続補正２】
【補正対象書類名】明細書
【補正対象項目名】全文
【補正方法】変更
【補正の内容】
【発明の詳細な説明】
【技術分野】
【０００１】
本発明は、合成繊維に優れた摩擦特性と解舒性を付与し、加工時の綾落ちが抑えられる合成繊維用処理剤及びかかる合成繊維用処理剤が付着している合成繊維に関する。
【背景技術】
【０００２】
従来、合成繊維用処理剤として、２５℃における動粘度が２〜５０ｃＳｔのジメチルシリコーンおよび／または鉱物油９０〜９９．９８重量％、高級脂肪酸の金属塩が０．０１〜５質量％とポリエーテル変性シリコーン０．０１〜５重量％よりなるポリウレタン弾性繊維用油剤（例えば、特許文献１参照）等の提案がある。しかし、これら従来の合成繊維用処理剤では解舒性、摩擦特性は良好なものの、加工時において表層の綾落ちによる断糸が発生する問題がある。このため、現状の技術では優れた解舒性、摩擦特性を保ちつつ加工時の綾落ちを抑制することを同時に達成することなどの問題に十分対応できていなかった。
【先行技術文献】
【特許文献】
【０００３】
【特許文献１】特開２０００−３２８４５９号公報
【発明の概要】
【発明が解決しようとする課題】
【０００４】
本発明が解決しようとする課題は、合成繊維に優れた摩擦特性と解舒性を付与し、加工時の綾落ちを抑えられる合成繊維用処理剤及びかかる合成繊維用処理剤が付着している合成繊維を提供する処にある。
【課題を解決するための手段】
【０００５】
しかして本発明者らは、前記の課題を解決するべく研究した結果、ポリマー鎖の末端ケイ素原子に直接、ヒドロキシ基が結合したヒドロキシ末端ポリジメチルシロキサンを含有して成る合成繊維用処理剤が正しく好適であることを見出した。
【０００６】
上記課題を解決する合成繊維用処理剤は、合成繊維に付着させて用いられる合成繊維用処理剤であって、ポリマー鎖の末端ケイ素原子に直接、ヒドロキシ基が結合したヒドロキシ末端ポリジメチルシロキサンと、前記ヒドロキシ末端ポリジメチルシロキサン以外のシリコーンとを含み、前記合成繊維用処理剤全体を１００質量部とした場合、前記ヒドロキシ末端ポリジメチルシロキサンの含有割合が０．０１〜５０質量部である。
【０００７】
前記ヒドロキシ末端ポリジメチルシロキサンの２５℃における動粘度が、１０〜１００００ｍｍ２／ｓであることが好ましい。
前記合成繊維用処理剤の２５℃における動粘度が、２〜１００ｍｍ２／ｓであることが好ましい。
【０００８】
鉱物油及びエステルから選ばれる少なくとも一つを含むことが好ましい。
前記ヒドロキシ末端ポリジメチルシロキサン、前記ヒドロキシ末端ポリジメチルシロキサン以外のシリコーン、前記鉱物油及び前記エステルの含有割合の合計を１００質量部とした場合、前記ヒドロキシ末端ポリジメチルシロキサン及び前記ヒドロキシ末端ポリジメチルシロキサン以外のシリコーンの含有割合の合計が１０質量部以上であることが好ましい。
【０００９】
前記合成繊維が弾性繊維であることが好ましい。
上記課題を解決する合成繊維は、上記合成繊維用処理剤が付着している。
【発明の効果】
【００１０】
本発明によれば、合成繊維に優れた制電性と解舒性を付与し、加工時の摩擦変動と綾落ちが同時に抑えられる。
【発明を実施するための形態】
【００１１】
本発明は、特定のヒドロキシ末端ポリジメチルシロキサンを含有して成る合成繊維用処理剤に係る。また、本発明はかかる合成繊維用処理剤が付着している合成繊維に係る。
先ず、本発明に係る合成繊維用処理剤（以下、本発明の処理剤という）について説明する。
【００１２】
本発明の処理剤は、特定のヒドロキシ末端ポリジメチルシロキサンを含有する。また、本発明の処理剤は、特定のヒドロキシ末端ポリジメチルシロキサン以外のシリコーンを含有する。また、本発明の処理剤は、鉱物油及びエステルを含有することができ、これらのうちの少なくとも一つを含有することが好ましい。
【００１３】
（特定ヒドロキシ末端ポリジメチルシロキサン）
本発明の処理剤に使用するヒドロキシ末端ポリジメチルシロキサンは、ポリマー鎖の末端ケイ素原子に直接、ヒドロキシ基（シラノール基とも表現する）が結合したジメチルシロキサン化合物である。以下では、ポリマー鎖の末端ケイ素原子に直接、ヒドロキシ基が結合したジメチルシロキサン化合物を特定ヒドロキシ末端ポリジメチルシロキサンと記載する。特定ヒドロキシ末端ポリジメチルシロキサンは、公知の製造方法で容易に製造できる。その動粘度に特に制限はないが、２５℃で１０〜１００００ｍｍ２／ｓであるものが好ましい。特定ヒドロキシ末端ポリジメチルシロキサンとしては、例えば信越化学工業株式会社製の商品名ＫＦ９７０１、信越化学工業株式会社製の商品名Ｘ−２１−３１５３、信越化学工業株式会社製の商品名Ｘ−２１−５８４１、モメンティブ・パフォーマンス・マテリアルズ社製の商品名ＸＣ９６−７２３、モメンティブ・パフォーマンス・マテリアルズ社製の商品名ＹＦ３８００、モメンティブ・パフォーマンス・マテリアルズ社製の商品名ＸＦ３９０５、モメンティブ・パフォーマンス・マテリアルズ社製の商品名ＹＦ３０５７、モメンティブ・パフォーマンス・マテリアルズ社製の商品名ＹＦ３８０７、モメンティブ・パフォーマンス・マテリアルズ社製の商品名ＹＦ３８０２、モメンティブ・パフォーマンス・マテリアルズ社製の商品名ＹＦ３８９７等が挙げられる。特定ヒドロキシ末端ポリジメチルシロキサンは、１種を単独で使用してもよく、２種以上を併用してもよい。
【００１４】
（特定ヒドロキシ末端ポリジメチルシロキサン以外のシリコーン）
本発明の処理剤に使用する特定ヒドロキシ末端ポリジメチルシロキサン以外のシリコーンとしては特定ヒドロキシ末端ポリジメチルシロキサン以外であれば特に限定は無いが、例えば、信越化学工業株式会社製の商品名ＫＦ−９６−１０ｃｓ、信越化学工業株式会社製の商品名ＫＦ−９６−２０ｃｓ、信越化学工業株式会社製の商品名ＫＦ−９６−５０ｃｓ、信越化学工業株式会社製の商品名ＫＦ−９６−１００ｃｓ、信越化学工業株式会社製の商品名ＫＦ−９６−１０００ｃｓ、信越化学工業株式会社製の商品名ＫＦ−９６−１万ｃｓ、信越化学工業株式会社製の商品名ＫＦ−５０−１００ｃｓ、信越化学工業株式会社製の商品名ＫＦ−４００３、信越化学工業株式会社製の商品名ＫＦ−４９１７、モメンティブ・パフォーマンス・マテリアルズ社製の商品名ＴＳＦ４５１−１０、モメンティブ・パフォーマンス・マテリアルズ社製の商品名ＴＳＦ４５１−２０、東レ・ダウコーニング株式会社製の商品名ＳＨ２００−１０ＣＳ、東レ・ダウコーニング株式会社製の商品名ＳＨ５１０−１００ＣＳ、旭化成ワッカーシリコーン株式会社製の商品名ＷＡＣＫＥＲ  ＳＩＬＩＣＯＮＥ  ＦＬＵＩＤ  ＡＫ１０、旭化成ワッカーシリコーン株式会社製の商品名ＷＡＣＫＥＲ  ＳＩＬＩＣＯＮＥ  ＦＬＵＩＤ  ＡＫ２０、旭化成ワッカーシリコーン株式会社製の商品名ＷＡＣＫＥＲ  ＳＩＬＩＣＯＮＥ  ＦＬＵＩＤ  ＡＫ５０等のポリジメチルシロキサン、ポリアルキルシロキサン、ポリアルキルフェニルシロキサン等を挙げることができ、１種または２種以上を併用してもよい。
【００１５】
（鉱物油）
本発明の処理剤に使用する鉱物油としては、例えば、ｓｏｎｎｅｂｏｒｎ社製の商品名Ｓｅｍｔｏｌ４０、ｓｏｎｎｅｂｏｒｎ社製の商品名Ｃａｒｎａｔｉｏｎ、コスモ石油ルブリカンツ株式会社製の商品名コスモピュアスピンＤ、コスモ石油ルブリカンツ株式会社製の商品名コスモピュアスピンＲＣ、コスモ石油ルブリカンツ株式会社製の商品名コスモピュアスピンＲＢ、富士興産株式会社製の商品名フッコールＮＴ−６０、富士興産株式会社製の商品名フッコールＮＴ−１００、Ｓ−ＯＩＬ社製の商品名Ｕｌｔｒａ−Ｓ  ２、Ｓ−ＯＩＬ社製の商品名Ｕｌｔｒａ−Ｓ  ３、ＳＫ  Ｌｕｂｒｉｃａｎｔｓ社製の商品名ＹＵＢＡＳＥ  ３、ＳＫ  Ｌｕｂｒｉｃａｎｔｓ社製の商品名ＹＵＢＡＳＥ  ４、出光興産株式会社製の商品名ダイアナフレシア  Ｗ８、出光興産株式会社製の商品名ダイアナフレシア  Ｗ３２、出光興産株式会社製の商品名ダイアナフレシア  Ｇ９、出光興産株式会社製の商品名ダイアナフレシア  Ｋ８、エクソンモービル社製の商品名クリストール  Ｎ７２、日本サン石油社製の商品名ＳＵＮ  ６０Ｎ等の２５℃における動粘度が２〜１００ｍｍ２／ｓのスピンドル油や流動パラフィン、ポリαオレフィン等を挙げることができ、１種または２種以上を併用してもよい。
【００１６】
本発明の処理剤に使用するポリαオレフィンとしては、例えば、エチレン、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン等のαオレフィンから合成されたものが挙げられる。具体的には新日鉄住金化学社製の商品名ＰＡＯ２０１、新日鉄住金化学社製の商品名ＰＡＯ４０１、新日鉄住金化学社製の商品名ＰＡＯ６０１、新日鉄住金化学社製の商品名ＰＡＯ８０１、ライオン・スペシャリティ・ケミカルズ株式会社製の商品名リポルーブ４０、ライオン・スペシャリティ・ケミカルズ株式会社製の商品名リポルーブ６０、ライオン・スペシャリティ・ケミカルズ株式会社製の商品名リポルーブ８０等が挙げられる。
【００１７】
（エステル）
本発明の処理剤に使用するエステルとしては、例えば、ブチルステアラート、オクチルステアラート、オレイルラウラート、オレイルオレアート、イソトリデシルステアラート、イソペンタコサニルイソステアラート、パルミチン酸２−エチルヘキシル等の脂肪族１価アルコールと脂肪族モノカルボン酸とのエステル、１，６−ヘキサンジオールジデカノアート、トリメチロールプロパンモノオレアートモノラウラート、トリメチロールプロパントリラウラート、ひまし油等の天然油脂等の脂肪族多価アルコールと脂肪族モノカルボン酸とのエステル、アジピン酸ジラウリル、アゼライン酸ジオレイル等の脂肪族１価アルコールと脂肪族多価カルボン酸とのエステル等が挙げられる。エステルは、１種を単独で使用してもよく、２種以上を併用してもよい。
【００１８】
（特定ヒドロキシ末端ポリジメチルシロキサン、特定ヒドロキシ末端ポリジメチルシロキサン以外のシリコーン、鉱物油、エステルの含有割合）
本発明の処理剤における特定ヒドロキシ末端ポリジメチルシロキサンの含有割合は、特定ヒドロキシ末端ポリジメチルシロキサン、特定ヒドロキシ末端ポリジメチルシロキサン以外のシリコーン、鉱物油、エステル、及びその他成分（後述する帯電防止剤、膠着防止剤、及びその他の成分）を含めた処理剤全体を１００質量部とした場合に、当該処理剤全体中に占める特定ヒドロキシ末端ポリジメチルシロキサンの含有割合が０．０１〜５０質量部である。
【００１９】
また、特定ヒドロキシ末端ポリジメチルシロキサン、特定ヒドロキシ末端ポリジメチルシロキサン以外のシリコーン、鉱物油及びエステルの含有割合の合計を１００質量部とした場合、特定ヒドロキシ末端ポリジメチルシロキサンの含有割合は、０．０１〜１００質量部であることが好ましく、０．０１〜５０質量部であることがより好ましい。
【００２０】
本発明の処理剤における特定ヒドロキシ末端ポリジメチルシロキサン以外のシリコーン、鉱物油及びエステルの含有割合に特に制限は無いが、特定ヒドロキシ末端ポリジメチルシロキサン、特定ヒドロキシ末端ポリジメチルシロキサン以外のシリコーン、鉱物油及びエステルの含有割合の合計を１００質量部とした場合、特定ヒドロキシ末端ポリジメチルシロキサン及び特定ヒドロキシ末端ポリジメチルシロキサン以外のシリコーンの含有割合の合計が１０〜１００質量部であり、鉱物油及びエステルの含有割合の合計が、残りの０〜９０質量部であることが好ましい。
【００２１】
（帯電防止剤）
本発明の処理剤には制電性を強化する目的で用いられる帯電防止剤が含有されていてもよい。帯電防止剤はイオン性の剤が挙げられるが、なかでもリン酸エステル、リン酸エステルの金属塩、リン酸エステルのアミン塩、スルホン酸の金属塩、スルホン酸のオニウム塩、ジメチル硫酸４級化物及びジエチル硫酸４級化物が好ましい。リン酸エステル、リン酸エステルの金属塩、リン酸エステルのアミン塩としては、例えば、有機アルコール及び有機アルコール１モルに対し炭素数２〜４のアルキレンオキシドを１〜１０モルの割合で付加させた化合物から選ばれる少なくとも一つと、五酸化二リン又はオキシハロゲン化リンとを反応させて得られるリン酸エステル、リン酸エステルの金属塩、リン酸エステルのアミン塩である。具体的には以下の化合物から選ばれる少なくとも一つが挙げられる。
【００２２】
（１）ヘキシルリン酸エステルナトリウム塩、オクチルリン酸エステルナトリウム塩、デシルリン酸エステルナトリウム塩、ドデシルリン酸エステルナトリウム塩、トリデシルリン酸エステルナトリウム塩、テトラデシルリン酸エステルナトリウム塩、ペンタデシルリン酸エステルナトリウム塩、ヘキサデシルリン酸エステルナトリウム塩、ヘプタデシルリン酸エステルナトリウム塩、オクタデシルリン酸エステルナトリウム塩、ベヘニルリン酸エステルナトリウム塩、トリオクタコサニルリン酸エステルナトリウム塩、オクタデセニルリン酸エステルナトリウム塩、ヘキシルリン酸エステルカリウム塩、オクチルリン酸エステルカリウム塩、デシルリン酸エステルカリウム塩、ドデシルリン酸エステルカリウム塩、トリデシルリン酸エステルカリウム塩、テトラデシルリン酸エステルカリウム塩、ペンタデシルリン酸エステルカリウム塩、ヘキサデシルリン酸エステルカリウム塩、ヘプタデシルリン酸エステルカリウム塩、オクタデシルリン酸エステルカリウム塩、ベヘニルリン酸エステルカリウム塩、トリオクタコサニルリン酸エステルカリウム塩、オクタデセニルリン酸エステルカリウム塩等の脂肪族アルコールが直鎖アルコールのリン酸エステルアルカリ金属塩。
【００２３】
（２）ヘキシルリン酸エステルマグネシウム塩、オクチルリン酸エステルマグネシウム塩、デシルリン酸エステルマグネシウム塩、ドデシルリン酸エステルマグネシウム塩、トリデシルリン酸エステルマグネシウム塩、テトラデシルリン酸エステルマグネシウム塩、ペンタデシルリン酸エステルマグネシウム塩、ヘキサデシルリン酸エステルマグネシウム塩、ヘプタデシルリン酸エステルマグネシウム塩、オクタデシルリン酸エステルマグネシウム塩、ベヘニルリン酸エステルマグネシウム塩、トリオクタコサニルリン酸エステルマグネシウム塩、オクタデセニルリン酸エステルマグネシウム塩、ヘキシルリン酸エステルカルシウム塩、オクチルリン酸エステルカルシウム塩、デシルリン酸エステルカルシウム塩、ドデシルリン酸エステルカルシウム塩、トリデシルリン酸エステルカルシウム塩、テトラデシルリン酸エステルカルシウム塩、ペンタデシルリン酸エステルカルシウム塩、ヘキサデシルリン酸エステルカルシウム塩、ヘプタデシルリン酸エステルカルシウム塩、オクタデシルリン酸エステルカルシウム塩、ベヘニルリン酸エステルカルシウム塩、トリオクタコサニルリン酸エステルカルシウム塩、オクタデセニルリン酸エステルカルシウム塩等の脂肪族アルコールが直鎖アルコールであるリン酸エステルアルカリ土類金属塩。
【００２４】
（３）ヘキシルリン酸エステルオクチルアミン塩、オクチルリン酸エステルオクチルアミン塩、デシルリン酸エステルオクチルアミン塩、ドデシルリン酸エステルオクチルアミン塩、トリデシルリン酸エステルオクチルアミン塩、テトラデシルリン酸エステルオクチルアミン塩、ペンタデシルリン酸エステルオクチルアミン塩、ヘキサデシルリン酸エステルオクチルアミン塩、ヘプタデシルリン酸エステルオクチルアミン塩、オクタデシルリン酸エステルオクチルアミン塩、ベヘニルリン酸エステルオクチルアミン塩、トリオクタコサニルリン酸エステルオクチルアミン塩、オクタデセニルリン酸エステルオクチルアミン塩、ヘキシルリン酸エステルジオクチルアミン塩、オクチルリン酸エステルジオクチルアミン塩、デシルリン酸エステルジオクチルアミン塩、ドデシルリン酸エステルジオクチルアミン塩、トリデシルリン酸エステルジオクチルアミン塩、テトラデシルリン酸エステルジオクチルアミン塩、ペンタデシルリン酸エステルジオクチルアミン塩、ヘキサデシルリン酸エステルジオクチルアミン塩、ヘプタデシルリン酸エステルジオクチルアミン塩、オクタデシルリン酸エステルジオクチルアミン塩、ベヘニルリン酸エステルジオクチルアミン塩、トリオクタコサニルリン酸エステルジオクチルアミン塩、オクタデセニルリン酸エステルジオクチルアミン塩、ヘキシルリン酸エステルジメチルドデシルアミン塩、オクチルリン酸エステルジメチルドデシルアミン塩、デシルリン酸エステルジメチルドデシルアミン塩、ドデシルリン酸エステルジメチルドデシルアミン塩、トリデシルリン酸エステルジメチルドデシルアミン塩、テトラデシルリン酸エステルジメチルドデシルアミン塩、ペンタデシルリン酸エステルジメチルドデシルアミン塩、ヘキサデシルリン酸エステルジメチルドデシルアミン塩、ヘプタデシルリン酸エステルジメチルドデシルアミン塩、オクタデシルリン酸エステルジメチルドデシルアミン塩、ベヘニルリン酸エステルジメチルドデシルアミン塩、トリオクタコサニルリン酸エステルジメチルドデシルアミン塩、オクタデセニルリン酸エステルジメチルドデシルアミン塩、ヘキシルリン酸エステルジブチルエタノールアミン塩、オクチルリン酸エステルジブチルエタノールアミン塩、デシルリン酸エステルジブチルエタノールアミン塩、ドデシルリン酸エステルジブチルエタノールアミン塩、トリデシルリン酸エステルジブチルエタノールアミン塩、テトラデシルリン酸エステルジブチルエタノールアミン塩、ペンタデシルリン酸エステルジブチルエタノールアミン塩、ヘキサデシルリン酸エステルジブチルエタノールアミン塩、ヘプタデシルリン酸エステルジブチルエタノールアミン塩、オクタデシルリン酸エステルジブチルエタノールアミン塩、ベヘニルリン酸エステルジブチルエタノールアミン塩、トリオクタコサニルリン酸エステルジブチルエタノールアミン塩、オクタデセニルリン酸エステルジブチルエタノールアミン塩、ヘキシルリン酸エステルドデシルジエタノールアミン塩、オクチルリン酸エステルドデシルジエタノールアミン塩、デシルリン酸エステルドデシルジエタノールアミン塩、ドデシルリン酸エステルドデシルジエタノールアミン塩、トリデシルリン酸エステルドデシルジエタノールアミン塩、テトラデシルリン酸エステルドデシルジエタノールアミン塩、ペンタデシルリン酸エステルドデシルジエタノールアミン塩、ヘキサデシルリン酸エステルドデシルジエタノールアミン塩、ヘプタデシルリン酸エステルドデシルジエタノールアミン塩、オクタデシルリン酸エステルドデシルジエタノールアミン塩、ベヘニルリン酸エステルドデシルジエタノールアミン塩、トリオクタコサニルリン酸エステルドデシルジエタノールアミン塩、オクタデセニルリン酸エステルドデシルジエタノールアミン塩等の脂肪族アルコールが直鎖アルコールであるリン酸エステルアミン塩。
【００２５】
（４）２−エチル−１−ヘキシルリン酸エステルカリウム塩、６−メチル−１−ヘキシルリン酸エステルカリウム塩、７−メチル−１−へプチルリン酸エステルカリウム塩、２，６−ジメチル−４−ヘプチルリン酸エステルカリウム塩、２−プロピル−１−へプチルリン酸エステルカリウム塩、１０−メチル−１−デシルリン酸エステルカリウム塩、２−ブチル−１−オクチルリン酸エステルカリウム塩、２−ブチル−１−デシルリン酸エステルカリウム塩、１１−メチル−１−ドデシルリン酸エステルカリウム塩、２−ヘキシル−１−オクチルリン酸エステルカリウム塩、２−ヘキシル−１−デシルリン酸エステルカリウム塩、２−ヘキシル−１−ドデシルリン酸エステルカリウム塩、２−オクチル−１−デシルリン酸エステルカリウム塩、２−オクチル−１−ドデシルリン酸エステルカリウム塩、２−デシル−１−テトラデシルリン酸エステルカリウム塩、２−（１，３，３−トリメチルブチル）−５，７，７−トリメチル−１−オクチルリン酸エステルカリウム塩、２−（４−メチルヘキシル）−８−メチル−１−デシルリン酸エステルカリウム塩、２−（１，５−ジメチルヘキシル）−５，９−ジメチル−１−デシルリン酸エステルカリウム塩、２−エチル−１−ヘキシルリン酸エステルナトリウム塩、６−メチル−１−ヘキシルリン酸エステルナトリウム塩、７−メチル−１−へプチルリン酸エステルナトリウム塩、２，６−ジメチル−４−ヘプチルリン酸エステルナトリウム塩、２−プロピル−１−へプチルリン酸エステルナトリウム塩、１０−メチル−１−デシルリン酸エステルナトリウム塩、２−ブチル−１−オクチルリン酸エステルナトリウム塩、２−ブチル−１−デシルリン酸エステルナトリウム塩、１１−メチル−１−ドデシルリン酸エステルナトリウム塩、２−ヘキシル−１−オクチルリン酸エステルナトリウム塩、２−ヘキシル−１−デシルリン酸エステルナトリウム塩、２−ヘキシル−１−ドデシルリン酸エステルナトリウム塩、２−オクチル−１−デシルリン酸エステルナトリウム塩、２−オクチル−１−ドデシルリン酸エステルナトリウム塩、２−デシル−１−テトラデシルリン酸エステルナトリウム塩、２−（１，３，３−トリメチルブチル）−５，７，７−トリメチル−１−オクチルリン酸エステルナトリウム塩、２−（４−メチルヘキシル）−８−メチル−１−デシルリン酸エステルナトリウム塩、２−（１，５−ジメチルヘキシル）−５，９−ジメチル−１−デシルリン酸エステルナトリウム塩等の脂肪族アルコールが分岐アルコールであるリン酸エステルアルカリ金属塩。
【００２６】
（５）２−エチル−１−ヘキシルリン酸エステルマグネシウム塩、６−メチル−１−ヘキシルリン酸エステルマグネシウム塩、７−メチル−１−へプチルリン酸エステルマグネシウム塩、２，６−ジメチル−４−ヘプチルリン酸エステルマグネシウム塩、２−プロピル−１−へプチルリン酸エステルマグネシウム塩、１０−メチル−１−デシルリン酸エステルマグネシウム塩、２−ブチル−１−オクチルリン酸エステルマグネシウム塩、２−ブチル−１−デシルリン酸エステルマグネシウム塩、１１−メチル−１−ドデシルリン酸エステルマグネシウム塩、２−ヘキシル−１−オクチルリン酸エステルマグネシウム塩、２−ヘキシル−１−デシルリン酸エステルマグネシウム塩、２−ヘキシル−１−ドデシルリン酸エステルマグネシウム塩、２−オクチル−１−デシルリン酸エステルマグネシウム塩、２−オクチル−１−ドデシルリン酸エステルマグネシウム塩、２−デシル−１−テトラデシルリン酸エステルマグネシウム塩、２−（１，３，３−トリメチルブチル）−５，７，７−トリメチル−１−オクチルリン酸エステルマグネシウム塩、２−（４−メチルヘキシル）−８−メチル−１−デシルリン酸エステルマグネシウム塩、２−（１，５−ジメチルヘキシル）−５，９−ジメチル−１−デシルリン酸エステルマグネシウム塩、２−エチル−１−ヘキシルリン酸エステルカルシウム塩、６−メチル−１−ヘキシルリン酸エステルカルシウム塩、７−メチル−１−へプチルリン酸エステルカルシウム塩、２，６−ジメチル−４−ヘプチルリン酸エステルカルシウム塩、２−プロピル−１−へプチルリン酸エステルカルシウム塩、１０−メチル−１−デシルリン酸エステルカルシウム塩、２−ブチル−１−オクチルリン酸エステルカルシウム塩、２−ブチル−１−デシルリン酸エステルカルシウム塩、１１−メチル−１−ドデシルリン酸エステルカルシウム塩、２−ヘキシル−１−オクチルリン酸エステルカルシウム塩、２−ヘキシル−１−デシルリン酸エステルカルシウム塩、２−ヘキシル−１−ドデシルリン酸エステルカルシウム塩、２−オクチル−１−デシルリン酸エステルカルシウム塩、２−オクチル−１−ドデシルリン酸エステルカルシウム塩、２−デシル−１−テトラデシルリン酸エステルカルシウム塩、２−（１，３，３−トリメチルブチル）−５，７，７−トリメチル−１−オクチルリン酸エステルカルシウム塩、２−（４−メチルヘキシル）−８−メチル−１−デシルリン酸エステルカルシウム塩、２−（１，５−ジメチルヘキシル）−５，９−ジメチル−１−デシルリン酸エステルカルシウム塩、等の脂肪族アルコールが分岐アルコールであるリン酸エステルアルカリ土類金属塩。
【００２７】
（６）２−エチル−１−ヘキシルリン酸エステルオクチルアミン塩、６−メチル−１−ヘキシルリン酸エステルオクチルアミン塩、７−メチル−１−へプチルリン酸エステルオクチルアミン塩、２，６−ジメチル−４−ヘプチルリン酸エステルオクチルアミン塩、２−プロピル−１−へプチルリン酸エステルオクチルアミン塩、１０−メチル−１−デシルリン酸エステルオクチルアミン塩、２−ブチル−１−オクチルリン酸エステルオクチルアミン塩、２−ブチル−１−デシルリン酸エステルオクチルアミン塩、１１−メチル−１−ドデシルリン酸エステルオクチルアミン塩、２−ヘキシル−１−オクチルリン酸エステルオクチルアミン塩、２−ヘキシル−１−デシルリン酸エステルオクチルアミン塩、２−ヘキシル−１−ドデシルリン酸エステルオクチルアミン塩、２−オクチル−１−デシルリン酸エステルオクチルアミン塩、２−オクチル−１−ドデシルリン酸エステルオクチルアミン塩、２−デシル−１−テトラデシルリン酸エステルオクチルアミン塩、２−（１，３，３−トリメチルブチル）−５，７，７−トリメチル−１−オクチルリン酸エステルオクチルアミン塩、２−（４−メチルヘキシル）−８−メチル−１−デシルリン酸エステルオクチルアミン塩、２−（１，５−ジメチルヘキシル）−５，９−ジメチル−１−デシルリン酸エステルオクチルアミン塩、２−エチル−１−ヘキシルリン酸エステルジオクチルアミン塩、６−メチル−１−ヘキシルリン酸エステルジオクチルアミン塩、７−メチル−１−へプチルリン酸エステルジオクチルアミン塩、２，６−ジメチル−４−ヘプチルリン酸エステルジオクチルアミン塩、２−プロピル−１−へプチルリン酸エステルジオクチルアミン塩、１０−メチル−１−デシルリン酸エステルジオクチルアミン塩、２−ブチル−１−オクチルリン酸エステルジオクチルアミン塩、２−ブチル−１−デシルリン酸エステルジオクチルアミン塩、１１−メチル−１−ドデシルリン酸エステルジオクチルアミン塩、２−ヘキシル−１−オクチルリン酸エステルジオクチルアミン塩、２−ヘキシル−１−デシルリン酸エステルジオクチルアミン塩、２−ヘキシル−１−ドデシルリン酸エステルジオクチルアミン塩、２−オクチル−１−デシルリン酸エステルジオクチルアミン塩、２−オクチル−１−ドデシルリン酸エステルジオクチルアミン塩、２−デシル−１−テトラデシルリン酸エステルジオクチルアミン塩、２−（１，３，３−トリメチルブチル）−５，７，７−トリメチル−１−オクチルリン酸エステルジオクチルアミン塩、２−（４−メチルヘキシル）−８−メチル−１−デシルリン酸エステルジオクチルアミン塩、２−（１，５−ジメチルヘキシル）−５，９−ジメチル−１−デシルリン酸エステルジオクチルアミン塩、２−エチル−１−ヘキシルリン酸エステルジメチルドデシルアミン塩、６−メチル−１−ヘキシルリン酸エステルジメチルドデシルアミン塩、７−メチル−１−へプチルリン酸エステルジメチルドデシルアミン塩、２，６−ジメチル−４−ヘプチルリン酸エステルジメチルドデシルアミン塩、２−プロピル−１−へプチルリン酸エステルジメチルドデシルアミン塩、１０−メチル−１−デシルリン酸エステルジメチルドデシルアミン塩、２−ブチル−１−オクチルリン酸エステルジメチルドデシルアミン塩、２−ブチル−１−デシルリン酸エステルジメチルドデシルアミン塩、１１−メチル−１−ドデシルリン酸エステルジメチルドデシルアミン塩、２−ヘキシル−１−オクチルリン酸エステルジメチルドデシルアミン塩、２−ヘキシル−１−デシルリン酸エステルジメチルドデシルアミン塩、２−ヘキシル−１−ドデシルリン酸エステルジメチルドデシルアミン塩、２−オクチル−１−デシルリン酸エステルジメチルドデシルアミン塩、２−オクチル−１−ドデシルリン酸エステルジメチルドデシルアミン塩、２−デシル−１−テトラデシルリン酸エステルジメチルドデシルアミン塩、２−（１，３，３−トリメチルブチル）−５，７，７−トリメチル−１−オクチルリン酸エステルジメチルドデシルアミン塩、２−（４−メチルヘキシル）−８−メチル−１−デシルリン酸エステルジメチルドデシルアミン塩、２−（１，５−ジメチルヘキシル）−５，９−ジメチル−１−デシルリン酸エステルジメチルドデシルアミン塩、２−エチル−１−ヘキシルリン酸エステルジブチルエタノールアミン塩、６−メチル−１−ヘキシルリン酸エステルジブチルエタノールアミン塩、７−メチル−１−へプチルリン酸エステルジブチルエタノールアミン塩、２，６−ジメチル−４−ヘプチルリン酸エステルジブチルエタノールアミン塩、２−プロピル−１−へプチルリン酸エステルジブチルエタノールアミン塩、１０−メチル−１−デシルリン酸エステルジブチルエタノールアミン塩、２−ブチル−１−オクチルリン酸エステルジブチルエタノールアミン塩、２−ブチル−１−デシルリン酸エステルジブチルエタノールアミン塩、１１−メチル−１−ドデシルリン酸エステルジブチルエタノールアミン塩、２−ヘキシル−１−オクチルリン酸エステルジブチルエタノールアミン塩、２−ヘキシル−１−デシルリン酸エステルジブチルエタノールアミン塩、２−ヘキシル−１−ドデシルリン酸エステルジブチルエタノールアミン塩、２−オクチル−１−デシルリン酸エステルジブチルエタノールアミン塩、２−オクチル−１−ドデシルリン酸エステルジブチルエタノールアミン塩、２−デシル−１−テトラデシルリン酸エステルジブチルエタノールアミン塩、２−（１，３，３−トリメチルブチル）−５，７，７−トリメチル−１−オクチルリン酸エステルジブチルエタノールアミン塩、２−（４−メチルヘキシル）−８−メチル−１−デシルリン酸エステルジブチルエタノールアミン塩、２−（１，５−ジメチルヘキシル）−５，９−ジメチル−１−デシルリン酸エステルジブチルエタノールアミン塩、２−エチル−１−ヘキシルリン酸エステルドデシルジエタノールアミン塩、６−メチル−１−ヘキシルリン酸エステルドデシルジエタノールアミン塩、７−メチル−１−へプチルリン酸エステルドデシルジエタノールアミン塩、２，６−ジメチル−４−ヘプチルリン酸エステルドデシルジエタノールアミン塩、２−プロピル−１−へプチルリン酸エステルドデシルジエタノールアミン塩、１０−メチル−１−デシルリン酸エステルドデシルジエタノールアミン塩、２−ブチル−１−オクチルリン酸エステルドデシルジエタノールアミン塩、２−ブチル−１−デシルリン酸エステルドデシルジエタノールアミン塩、１１−メチル−１−ドデシルリン酸エステルドデシルジエタノールアミン塩、２−ヘキシル−１−オクチルリン酸エステルドデシルジエタノールアミン塩、２−ヘキシル−１−デシルリン酸エステルドデシルジエタノールアミン塩、２−ヘキシル−１−ドデシルリン酸エステルドデシルジエタノールアミン塩、２−オクチル−１−デシルリン酸エステルドデシルジエタノールアミン塩、２−オクチル−１−ドデシルリン酸エステルドデシルジエタノールアミン塩、２−デシル−１−テトラデシルリン酸エステルドデシルジエタノールアミン塩、２−（１，３，３−トリメチルブチル）−５，７，７−トリメチル−１−オクチルリン酸エステルドデシルジエタノールアミン塩、２−（４−メチルヘキシル）−８−メチル−１−デシルリン酸エステルドデシルジエタノールアミン塩、２−（１，５−ジメチルヘキシル）−５，９−ジメチル−１−デシルリン酸エステルドデシルジエタノールアミン塩等の脂肪族アルコールが分岐アルコールであるリン酸エステルアミン塩。
【００２８】
（７）ポリオキシエチレン２モル付加ドデシルエーテルリン酸エステルナトリウム塩、ポリオキシエチレン４モル付加デシルエーテルリン酸エステルナトリウム塩、ポリオキシエチレン２モル付加ドデシルエーテルリン酸エステルカリウム塩、ポリオキシエチレン４モル付加デシルエーテルリン酸エステルカリウム塩等の直鎖アルコール１モルに対し炭素数２〜４のアルキレンオキサイドを１〜１０モルの割合で付加させたものを原料としたリン酸エステルのアルカリ金属塩
（８）ポリオキシエチレン２モル付加ドデシルエーテルリン酸エステルマグネシウム塩、ポリオキシエチレン４モル付加デシルエーテルリン酸エステルマグネシウム塩、ポリオキシエチレン２モル付加ドデシルエーテルリン酸エステルカルシウム塩、ポリオキシエチレン４モル付加デシルエーテルリン酸エステルカルシウム塩等の直鎖アルコール１モルに対し炭素数２〜４のアルキレンオキサイドを１〜１０モルの割合で付加させたものを原料としたリン酸エステルのアルカリ土類金属塩
（９）ポリオキシエチレン２モル付加ドデシルエーテルリン酸エステルオクチルアミン塩、ポリオキシエチレン４モル付加デシルエーテルリン酸エステルオクチルアミン塩、ポリオキシエチレン２モル付加ドデシルエーテルリン酸エステルジオクチルアミン塩、ポリオキシエチレン４モル付加デシルエーテルリン酸エステルジオクチルアミン塩、ポリオキシエチレン２モル付加ドデシルエーテルリン酸エステルジメチルドデシルアミン塩、ポリオキシエチレン４モル付加デシルエーテルリン酸エステルジメチルドデシルアミン塩、ポリオキシエチレン２モル付加ドデシルエーテルリン酸エステルジブチルエタノールアミン塩、ポリオキシエチレン４モル付加デシルエーテルリン酸エステルジブチルエタノールアミン塩、ポリオキシエチレン２モル付加ドデシルエーテルリン酸エステルドデシルジエタノールアミン塩、ポリオキシエチレン４モル付加デシルエーテルリン酸エステルドデシルジエタノールアミン塩等の直鎖アルコール１モルに対し炭素数２〜４のアルキレンオキサイドを１〜１０モルの割合で付加させたものを原料としたリン酸エステルのアミン塩。
【００２９】
（１０）ポリオキシエチレン２モル付加２−エチル−１−ヘキシルエーテルリン酸エステルカリウム塩、ポリオキシエチレン２モル付加２−ヘキシル−１−デシルエーテルリン酸エステルカリウム塩、ポリオキシエチレン２モル付加２−オクチル−１−デシルエーテルリン酸エステルカリウム塩、ポリオキシエチレン２モル付加２−ヘキシル−１−ドデシルエーテルリン酸エステルカリウム塩、ポリオキシエチレン２モル付加２−オクチル−１−ドデシルエーテルリン酸エステルカリウム塩、ポリオキシエチレン５モル付加２−ヘキシル−１−デシルエーテルリン酸エステルカリウム塩、ポリオキシエチレン４モル付加ポリオキシプロピレン３モル付加２−ブチル−１−オクチルエーテルリン酸エステルカリウム塩、ポリオキシエチレン２モル付加２−エチル−１−ヘキシルエーテルリン酸エステルナトリウム塩、ポリオキシエチレン２モル付加２−ヘキシル−１−デシルエーテルリン酸エステルナトリウム塩、ポリオキシエチレン２モル付加２−オクチル−１−デシルエーテルリン酸エステルナトリウム塩、ポリオキシエチレン２モル付加２−ヘキシル−１−ドデシルエーテルリン酸エステルナトリウム塩、ポリオキシエチレン２モル付加２−オクチル−１−ドデシルエーテルリン酸エステルナトリウム塩、ポリオキシエチレン５モル付加２−ヘキシル−１−デシルエーテルリン酸エステルナトリウム塩、ポリオキシエチレン４モル付加ポリオキシプロピレン３モル付加２−ブチル−１−オクチルエーテルリン酸エステルナトリウム塩等の分岐アルコール１モルに対し炭素数２〜４のアルキレンオキサイドを１〜１０モルの割合で付加させたものを原料としたリン酸エステルのアルカリ金属塩。
【００３０】
（１１）ポリオキシエチレン２モル付加２−エチル−１−ヘキシルエーテルリン酸エステルマグネシウム塩、ポリオキシエチレン２モル付加２−ヘキシル−１−デシルエーテルリン酸エステルマグネシウム塩、ポリオキシエチレン２モル付加２−オクチル−１−デシルエーテルリン酸エステルマグネシウム塩、ポリオキシエチレン２モル付加２−ヘキシル−１−ドデシルエーテルリン酸エステルマグネシウム塩、ポリオキシエチレン２モル付加２−オクチル−１−ドデシルエーテルリン酸エステルマグネシウム塩、ポリオキシエチレン５モル付加２−ヘキシル−１−デシルエーテルリン酸エステルマグネシウム塩、ポリオキシエチレン４モル付加ポリオキシプロピレン３モル付加２−ブチル−１−オクチルエーテルリン酸エステルマグネシウム塩、ポリオキシエチレン２モル付加２−エチル−１−ヘキシルエーテルリン酸エステルカルシウム塩、ポリオキシエチレン２モル付加２−ヘキシル−１−デシルエーテルリン酸エステルカルシウム塩、ポリオキシエチレン２モル付加２−オクチル−１−デシルエーテルリン酸エステルカルシウム塩、ポリオキシエチレン２モル付加２−ヘキシル−１−ドデシルエーテルリン酸エステルカルシウム塩、ポリオキシエチレン２モル付加２−オクチル−１−ドデシルエーテルリン酸エステルカルシウム塩、ポリオキシエチレン５モル付加２−ヘキシル−１−デシルエーテルリン酸エステルカルシウム塩、ポリオキシエチレン４モル付加ポリオキシプロピレン３モル付加２−ブチル−１−オクチルエーテルリン酸エステルカルシウム塩等の分岐アルコール１モルに対し炭素数２〜４のアルキレンオキサイドを１〜１０モルの割合で付加させたものを原料としたリン酸エステルのアルカリ土類金属塩。
【００３１】
（１２）ポリオキシエチレン２モル付加２−エチル−１−ヘキシルエーテルリン酸エステルオクチルアミン塩、ポリオキシエチレン２モル付加２−ヘキシル−１−デシルエーテルリン酸エステルオクチルアミン塩、ポリオキシエチレン２モル付加２−オクチル−１−デシルエーテルリン酸エステルオクチルアミン塩、ポリオキシエチレン２モル付加２−ヘキシル−１−ドデシルエーテルリン酸エステルオクチルアミン塩、ポリオキシエチレン２モル付加２−オクチル−１−ドデシルエーテルリン酸エステルオクチルアミン塩、ポリオキシエチレン５モル付加２−ヘキシル−１−デシルエーテルリン酸エステルオクチルアミン塩、ポリオキシエチレン４モル付加ポリオキシプロピレン３モル付加２−ブチル−１−オクチルエーテルリン酸エステルオクチルアミン塩、ポリオキシエチレン２モル付加２−エチル−１−ヘキシルエーテルリン酸エステルジオクチルアミン塩、ポリオキシエチレン２モル付加２−ヘキシル−１−デシルエーテルリン酸エステルジオクチルアミン塩、ポリオキシエチレン２モル付加２−オクチル−１−デシルエーテルリン酸エステルジオクチルアミン塩、ポリオキシエチレン２モル付加２−ヘキシル−１−ドデシルエーテルリン酸エステルジオクチルアミン塩、ポリオキシエチレン２モル付加２−オクチル−１−ドデシルエーテルリン酸エステルジオクチルアミン塩、ポリオキシエチレン５モル付加２−ヘキシル−１−デシルエーテルリン酸エステルジオクチルアミン塩、ポリオキシエチレン４モル付加ポリオキシプロピレン３モル付加２−ブチル−１−オクチルエーテルリン酸エステルジオクチルアミン塩、ポリオキシエチレン２モル付加２−エチル−１−ヘキシルエーテルリン酸エステルジメチルドデシルアミン塩、ポリオキシエチレン２モル付加２−ヘキシル−１−デシルエーテルリン酸エステルジメチルドデシルアミン塩、ポリオキシエチレン２モル付加２−オクチル−１−デシルエーテルリン酸エステルジメチルドデシルアミン塩、ポリオキシエチレン２モル付加２−ヘキシル−１−ドデシルエーテルリン酸エステルジメチルドデシルアミン塩、ポリオキシエチレン２モル付加２−オクチル−１−ドデシルエーテルリン酸エステルジメチルドデシルアミン塩、ポリオキシエチレン５モル付加２−ヘキシル−１−デシルエーテルリン酸エステルジメチルドデシルアミン塩、ポリオキシエチレン４モル付加ポリオキシプロピレン３モル付加２−ブチル−１−オクチルエーテルリン酸エステルジメチルドデシルアミン塩、ポリオキシエチレン２モル付加２−エチル−１−ヘキシルエーテルリン酸エステルジブチルエタノールアミン塩、ポリオキシエチレン２モル付加２−ヘキシル−１−デシルエーテルリン酸エステルジブチルエタノールアミン塩、ポリオキシエチレン２モル付加２−オクチル−１−デシルエーテルリン酸エステルジブチルエタノールアミン塩、ポリオキシエチレン２モル付加２−ヘキシル−１−ドデシルエーテルリン酸エステルジブチルエタノールアミン塩、ポリオキシエチレン２モル付加２−オクチル−１−ドデシルエーテルリン酸エステルジブチルエタノールアミン塩、ポリオキシエチレン５モル付加２−ヘキシル−１−デシルエーテルリン酸エステルジブチルエタノールアミン塩、ポリオキシエチレン４モル付加ポリオキシプロピレン３モル付加２−ブチル−１−オクチルエーテルリン酸エステルジブチルエタノールアミン塩、ポリオキシエチレン２モル付加２−エチル−１−ヘキシルエーテルリン酸エステルドデシルジエタノールアミン塩、ポリオキシエチレン２モル付加２−ヘキシル−１−デシルエーテルリン酸エステルドデシルジエタノールアミン塩、ポリオキシエチレン２モル付加２−オクチル−１−デシルエーテルリン酸エステルドデシルジエタノールアミン塩、ポリオキシエチレン２モル付加２−ヘキシル−１−ドデシルエーテルリン酸エステルドデシルジエタノールアミン塩、ポリオキシエチレン２モル付加２−オクチル−１−ドデシルエーテルリン酸エステルドデシルジエタノールアミン塩、ポリオキシエチレン５モル付加２−ヘキシル−１−デシルエーテルリン酸エステルドデシルジエタノールアミン塩、ポリオキシエチレン４モル付加ポリオキシプロピレン３モル付加２−ブチル−１−オクチルエーテルリン酸エステルドデシルジエタノールアミン塩等の分岐アルコール１モルに対し炭素数２〜４のアルキレンオキサイドを１〜１０モルの割合で付加させたものを原料としたリン酸エステルのアミン塩。
【００３２】
（１３）ヘキシルリン酸エステル、オクチルリン酸エステル、デシルリン酸エステル、ドデシルリン酸エステル、トリデシルリン酸エステル、テトラデシルリン酸エステル、ペンタデシルリン酸エステル、ヘキサデシルリン酸エステル、ヘプタデシルリン酸エステル、オクタデシルリン酸エステル、ベヘニルリン酸エステル、トリオクタコサニルリン酸エステル、オクタデセニルリン酸エステル等の脂肪族アルコールが直鎖アルコールのリン酸エステル。
【００３３】
（１４）２−エチル−１−ヘキシルリン酸エステル、６−メチル−１−ヘキシルリン酸エステル、７−メチル−１−へプチルリン酸エステル、２，６−ジメチル−４−ヘプチルリン酸エステル、２−プロピル−１−へプチルリン酸エステル、１０−メチル−１−デシルリン酸エステル、２−ブチル−１−オクチルリン酸エステル、２−ブチル−１−デシルリン酸エステル、１１−メチル−１−ドデシルリン酸エステル、２−ヘキシル−１−オクチルリン酸エステル、２−ヘキシル−１−デシルリン酸エステル、２−ヘキシル−１−ドデシルリン酸エステル、２−オクチル−１−デシルリン酸エステル、２−オクチル−１−ドデシルリン酸エステル、２−デシル−１−テトラデシルリン酸エステル、２−（１，３，３−トリメチルブチル）−５，７，７−トリメチル−１−オクチルリン酸エステル、２−（４−メチルヘキシル）−８−メチル−１−デシルリン酸エステル、２−（１，５−ジメチルヘキシル）−５，９−ジメチル−１−デシルリン酸エステル等の脂肪族アルコールが分岐アルコールであるリン酸エステル。
【００３４】
（１５）メタンスルホン酸のナトリウム塩、フルオロスルホン酸のナトリウム塩、オクチルスルホン酸のナトリウム塩、ベンゼンスルホン酸のナトリウム塩、ｐ−トルエンスルホン酸のナトリウム塩、ドデシル−６−スルホン酸のナトリウム塩、テトラデシル−７−スルホン酸のナトリウム塩、ヘキサデシル−８−スルホン酸のナトリウム塩、オクタデシル−９−スルホン酸のナトリウム塩、分岐ノニルベンゼンスルホン酸のナトリウム塩、直鎖デシルベンゼンスルホン酸のナトリウム塩、分岐デシルベンゼンスルホン酸のナトリウム塩、直鎖ドデシルベンゼンスルホン酸のナトリウム塩、分岐ドデシルベンゼンスルホン酸のナトリウム塩、分岐トリデシルベンゼンスルホン酸のナトリウム塩、直鎖テトラデシルベンゼンスルホン酸のナトリウム塩、分岐テトラデシルベンゼンスルホン酸のナトリウム塩、分岐ヘキサデシルベンゼンスルホン酸のナトリウム塩、ジ（２−エチルヘキシル）スルホコハク酸のナトリウム塩、ジドデシルスルホコハク酸のナトリウム塩、メタンスルホン酸のカリウム塩、フルオロスルホン酸のカリウム塩、オクチルスルホン酸のカリウム塩、ベンゼンスルホン酸のカリウム塩、ｐ−トルエンスルホン酸のカリウム塩、ドデシル−６−スルホン酸のカリウム塩、テトラデシル−７−スルホン酸のカリウム塩、ヘキサデシル−８−スルホン酸のカリウム塩、オクタデシル−９−スルホン酸のカリウム塩、分岐ノニルベンゼンスルホン酸のカリウム塩、直鎖デシルベンゼンスルホン酸のカリウム塩、分岐デシルベンゼンスルホン酸のカリウム塩、直鎖ドデシルベンゼンスルホン酸のカリウム塩、分岐ドデシルベンゼンスルホン酸のカリウム塩、分岐トリデシルベンゼンスルホン酸のカリウム塩、直鎖テトラデシルベンゼンスルホン酸のカリウム塩、分岐テトラデシルベンゼンスルホン酸のカリウム塩、分岐ヘキサデシルベンゼンスルホン酸のカリウム塩、ジ（２−エチルヘキシル）スルホコハク酸のカリウム塩、ジドデシルスルホコハク酸のカリウム塩、メタンスルホン酸のマグネシウム塩、フルオロスルホン酸のマグネシウム塩、オクチルスルホン酸のマグネシウム塩、ベンゼンスルホン酸のマグネシウム塩、ｐ−トルエンスルホン酸のマグネシウム塩、ドデシル−６−スルホン酸のマグネシウム塩、テトラデシル−７−スルホン酸のマグネシウム塩、ヘキサデシル−８−スルホン酸のマグネシウム塩、オクタデシル−９−スルホン酸のマグネシウム塩、分岐ノニルベンゼンスルホン酸のマグネシウム塩、直鎖デシルベンゼンスルホン酸のマグネシウム塩、分岐デシルベンゼンスルホン酸のマグネシウム塩、直鎖ドデシルベンゼンスルホン酸のマグネシウム塩、分岐ドデシルベンゼンスルホン酸のマグネシウム塩、分岐トリデシルベンゼンスルホン酸のマグネシウム塩、直鎖テトラデシルベンゼンスルホン酸のマグネシウム塩、分岐テトラデシルベンゼンスルホン酸のマグネシウム塩、分岐ヘキサデシルベンゼンスルホン酸のマグネシウム塩、ジ（２−エチルヘキシル）スルホコハク酸のマグネシウム塩、ジドデシルスルホコハク酸のマグネシウム塩、メタンスルホン酸のカルシウム塩、フルオロスルホン酸のカルシウム塩、オクチルスルホン酸のカルシウム塩、ベンゼンスルホン酸のカルシウム塩、ｐ−トルエンスルホン酸のカルシウム塩、ドデシル−６−スルホン酸のカルシウム塩、テトラデシル−７−スルホン酸のカルシウム塩、ヘキサデシル−８−スルホン酸のカルシウム塩、オクタデシル−９−スルホン酸のカルシウム塩、分岐ノニルベンゼンスルホン酸のカルシウム塩、直鎖デシルベンゼンスルホン酸のカルシウム塩、分岐デシルベンゼンスルホン酸のカルシウム塩、直鎖ドデシルベンゼンスルホン酸のカルシウム塩、分岐ドデシルベンゼンスルホン酸のカルシウム塩、分岐トリデシルベンゼンスルホン酸のカルシウム塩、直鎖テトラデシルベンゼンスルホン酸のカルシウム塩、分岐テトラデシルベンゼンスルホン酸のカルシウム塩、分岐ヘキサデシルベンゼンスルホン酸のカルシウム塩、ジ（２−エチルヘキシル）スルホコハク酸のカルシウム塩、ジドデシルスルホコハク酸のカルシウム塩などのスルホン酸の金属塩。
【００３５】
（１６）メタンスルホン酸のテトラブチルアンモニウム塩、フルオロスルホン酸のテトラブチルアンモニウム塩、オクチルスルホン酸のテトラブチルアンモニウム塩、ベンゼンスルホン酸のテトラブチルアンモニウム塩、ｐ−トルエンスルホン酸のテトラブチルアンモニウム塩、ドデシル−６−スルホン酸のテトラブチルアンモニウム塩、テトラデシル−７−スルホン酸のテトラブチルアンモニウム塩、ヘキサデシル−８−スルホン酸のテトラブチルアンモニウム塩、オクタデシル−９−スルホン酸のテトラブチルアンモニウム塩、分岐ノニルベンゼンスルホン酸のテトラブチルアンモニウム塩、直鎖デシルベンゼンスルホン酸のテトラブチルアンモニウム塩、分岐デシルベンゼンスルホン酸のテトラブチルアンモニウム塩、直鎖ドデシルベンゼンスルホン酸のテトラブチルアンモニウム塩、分岐ドデシルベンゼンスルホン酸のテトラブチルアンモニウム塩、分岐トリデシルベンゼンスルホン酸のテトラブチルアンモニウム塩、直鎖テトラデシルベンゼンスルホン酸のテトラブチルアンモニウム塩、分岐テトラデシルベンゼンスルホン酸のテトラブチルアンモニウム塩、分岐ヘキサデシルベンゼンスルホン酸のテトラブチルアンモニウム塩、ジ（２−エチルヘキシル）スルホコハク酸のテトラブチルアンモニウム塩、ジドデシルスルホコハク酸のテトラブチルアンモニウム塩、メタンスルホン酸のテトラブチルホスホニウム塩、フルオロスルホン酸のテトラブチルホスホニウム塩、オクチルスルホン酸のテトラブチルホスホニウム塩、ベンゼンスルホン酸のテトラブチルホスホニウム塩、ｐ−トルエンスルホン酸のテトラブチルホスホニウム塩、ドデシル−６−スルホン酸のテトラブチルホスホニウム塩、テトラデシル−７−スルホン酸のテトラブチルホスホニウム塩、ヘキサデシル−８−スルホン酸のテトラブチルホスホニウム塩、オクタデシル−９−スルホン酸のテトラブチルホスホニウム塩、分岐ノニルベンゼンスルホン酸のテトラブチルホスホニウム塩、直鎖デシルベンゼンスルホン酸のテトラブチルホスホニウム塩、分岐デシルベンゼンスルホン酸のテトラブチルホスホニウム塩、直鎖ドデシルベンゼンスルホン酸のテトラブチルホスホニウム塩、分岐ドデシルベンゼンスルホン酸のテトラブチルホスホニウム塩、分岐トリデシルベンゼンスルホン酸のテトラブチルホスホニウム塩、直鎖テトラデシルベンゼンスルホン酸のテトラブチルホスホニウム塩、分岐テトラデシルベンゼンスルホン酸のテトラブチルホスホニウム塩、分岐ヘキサデシルベンゼンスルホン酸のテトラブチルホスホニウム塩、ジ（２−エチルヘキシル）スルホコハク酸のテトラブチルホスホニウム塩、ジドデシルスルホコハク酸のテトラブチルホスホニウム塩、メタンスルホン酸のオクチルジメチルエチルアンモニウム塩、メタンスルホン酸のジドデシルジメチルアンモニウム塩、メタンスルホン酸のジデシルジメチルアンモニウム塩、メタンスルホン酸のオクチルジメチルヒドロキシエチルアンモニウム塩、メタンスルホン酸のドデシルジメチルヒドロキシエチルアンモニウム塩、メタンスルホン酸のジデシルメチルヒドロキシエチルアンモニウム塩等のスルホン酸のオニウム塩。
【００３６】
（１７）ラウリン酸ジメチルアミノプロピルアミドのジメチル硫酸４級化物、ステアリン酸ジメチルアミノプロピルアミドのジメチル硫酸４級化物、イソステアリン酸ジメチルアミノプロピルアミドのジメチル硫酸４級化物等のジメチル硫酸４級化物、１−メチル−２−（ヘプタデセニル）−４，５−ジハイドロ−３−（２−ハイドロキシエチル）−１Ｈ−イミダゾリニウムのメチル硫酸塩、１−メチル−２−（ヘプタデシル）−４，５−ジハイドロ−３−（２−ハイドロキシエチル）−１Ｈ−イミダゾリニウムのメチル硫酸塩、１−メチル−２−（イソヘプタデシル）−４，５−ジハイドロ−３−（２−ハイドロキシエチル）−１Ｈ−イミダゾリニウムのメチル硫酸塩、１−メチル−２−（ペンタデシル）−４，５−ジハイドロ−３−（２−ハイドロキシエチル）−１Ｈ−イミダゾリニウムのメチル硫酸塩、１−メチル−２−（ヘプタデセニル）−４，５−ジハイドロ−３−（オクタデセニルアミドエチル）−１Ｈ−イミダゾリニウムのメチル硫酸塩、１−メチル−２−（ヘプタデセニル）−４，５−ジハイドロ−３−（オクタデシルアミドエチル）−１Ｈ−イミダゾリニウムのメチル硫酸塩、１−メチル−２−（ヘプタデセニル）−４，５−ジハイドロ−３−（イソオクタデシルアミドエチル）−１Ｈ−イミダゾリニウムのメチル硫酸塩、１−メチル−２−（ヘプタデシル）−４，５−ジハイドロ−３−（オクタデセニルアミドエチル）−１Ｈ−イミダゾリニウムのメチル硫酸塩、１−メチル−２−（ヘプタデシル）−４，５−ジハイドロ−３−（オクタデシルアミドエチル）−１Ｈ−イミダゾリニウムのメチル硫酸塩、３−メチル−２−（ヘプタデセニル）−４，５−ジハイドロ−３−（２−ハイドロキシエチル）−１Ｈ−イミダゾリウムのメチル硫酸塩、３−メチル−２−（ヘプタデシル）−４，５−ジハイドロ−３−（２−ハイドロキシエチル）−１Ｈ−イミダゾリウムのメチル硫酸塩、３−メチル−２−（イソヘプタデシル）−４，５−ジハイドロ−３−（２−ハイドロキシエチル）−１Ｈ−イミダゾリウムのメチル硫酸塩、３−メチル−２−（ペンタデシル）−４，５−ジハイドロ−３−（２−ハイドロキシエチル）−１Ｈ−イミダゾリニウムのメチル硫酸塩、１−メチル−３−（オクタデシル）−２，４，５−トリハイドロ−１Ｈ−イミダゾリウムのメチル硫酸塩、１−メチル−３−（イソオクタデシル）−２，４，５−トリハイドロ−１Ｈ−イミダゾリウムのメチル硫酸塩、１−メチル−３−（オクタデセニル）−２，４，５−トリハイドロ−１Ｈ−イミダゾリウムのメチル硫酸塩、１−メチル−３−（ヘキサデシル）−２，４，５−トリハイドロ−１Ｈ−イミダゾリウムのメチル硫酸塩、Ｎ−ヘキサデシル−Ｎ−メチル−モルフォリニウムのメチル硫酸塩、Ｎ−オクタデシル−Ｎ−メチル−モルフォリニウムのメチル硫酸塩、Ｎ−オクタデセニル−Ｎ−メチル−モルフォリニウムのメチル硫酸塩、Ｎ，Ｎ−ジメチル−Ｎ，Ｎ−ジオクチル−アンモニウムのメチル硫酸塩、Ｎ，Ｎ−ジメチル−Ｎ，Ｎ−ジドデシル−Ｎ−アンモニウムのメチル硫酸塩、Ｎ，Ｎ−ジメチル−Ｎ，Ｎ−ジオクタデシル−アンモニウムのメチル硫酸塩、Ｎ，Ｎ−ジメチル−Ｎ，Ｎ−ジイソオクタデシル−Ｎ−アンモニウムのメチル硫酸塩、Ｎ，Ｎ−ジメチル−Ｎ−オクチル−Ｎ−（２−ハイドロキシエチル）−アンモニウムのメチル硫酸塩、Ｎ，Ｎ−ジメチル−Ｎ−ドデシル−Ｎ−（２−ハイドロキシエチル）−アンモニウムのメチル硫酸塩、Ｎ，Ｎ−ジメチル−Ｎ−ヘキサデシル−Ｎ−（２−ハイドロキシエチル）−アンモニウムのメチル硫酸塩、Ｎ，Ｎ−ジメチル−Ｎ−オクタデシル−Ｎ−（２−ハイドロキシエチル）−アンモニウムのメチル硫酸塩、Ｎ，Ｎ−ジメチル−Ｎ−イソオクタデシル−Ｎ−（２−ハイドロキシエチル）−アンモニウムのメチル硫酸塩、オクチルジメチルエチルアンモニウムのメチル硫酸塩、ドデシルジメチルアンモニウムのメチル硫酸塩、ジデシルジメチルアンモニウムのメチル硫酸塩、オクチルジメチルエタノールアンモニウムのメチル硫酸塩、ドデシルジメチルエタノールアンモニウムのメチル硫酸塩、ジデシルメチルエタノールアンモニウムのメチル硫酸塩等のジメチル硫酸４級化物。
【００３７】
（１８）ラウリン酸ジメチルアミノプロピルアミドのジエチル硫酸４級化物、ステアリン酸ジメチルアミノプロピルアミドのジエチル硫酸４級化物、イソステアリン酸ジメチルアミノプロピルアミドのジエチル硫酸４級化物等のジエチル硫酸４級化物、１−エチル−２−（ヘプタデセニル）−４，５−ジハイドロ−３−（２−ハイドロキシエチル）−１Ｈ−イミダゾリニウムのエチル硫酸塩、１−エチル−２−（ヘプタデシル）−４，５−ジハイドロ−３−（２−ハイドロキシエチル）−１Ｈ−イミダゾリニウムのエチル硫酸塩、１−エチル−２−（イソヘプタデシル）−４，５−ジハイドロ−３−（２−ハイドロキシエチル）−１Ｈ−イミダゾリニウムのエチル硫酸塩、１−エチル−２−（ペンタデシル）−４，５−ジハイドロ−３−（２−ハイドロキシエチル）−１Ｈ−イミダゾリニウムのエチル硫酸塩、１−エチル−２−（ヘプタデセニル）−４，５−ジハイドロ−３−（オクタデセニルアミドエチル）−１Ｈ−イミダゾリニウムのエチル硫酸塩、１−エチル−２−（ヘプタデセニル）−４，５−ジハイドロ−３−（オクタデシルアミドエチル）−１Ｈ−イミダゾリニウムのエチル硫酸塩、１−エチル−２−（ヘプタデセニル）−４，５−ジハイドロ−３−（イソオクタデシルアミドエチル）−１Ｈ−イミダゾリニウムのエチル硫酸塩、１−エチル−２−（ヘプタデシル）−４，５−ジハイドロ−３−（オクタデセニルアミドエチル）−１Ｈ−イミダゾリニウムのエチル硫酸塩、１−エチル−２−（ヘプタデシル）−４，５−ジハイドロ−３−（オクタデシルアミドエチル）−１Ｈ−イミダゾリニウムのエチル硫酸塩、３−エチル−２−（ヘプタデセニル）−４，５−ジハイドロ−３−（２−ハイドロキシエチル）−１Ｈ−イミダゾリウムのエチル硫酸塩、３−エチル−２−（ヘプタデシル）−４，５−ジハイドロ−３−（２−ハイドロキシエチル）−１Ｈ−イミダゾリウムのエチル硫酸塩、３−エチル−２−（イソヘプタデシル）−４，５−ジハイドロ−３−（２−ハイドロキシエチル）−１Ｈ−イミダゾリウムのエチル硫酸塩、３−エチル−２−（ペンタデシル）−４，５−ジハイドロ−３−（２−ハイドロキシエチル）−１Ｈ−イミダゾリニウムのエチル硫酸塩、１−エチル−３−（オクタデシル）−２，４，５−トリハイドロ−１Ｈ−イミダゾリウムのエチル硫酸塩、１−エチル−３−（イソオクタデシル）−２，４，５−トリハイドロ−１Ｈ−イミダゾリウムのエチル硫酸塩、１−エチル−３−（オクタデセニル）−２，４，５−トリハイドロ−１Ｈ−イミダゾリウムのエチル硫酸塩、１−エチル−３−（ヘキサデシル）−２，４，５−トリハイドロ−１Ｈ−イミダゾリウムのエチル硫酸塩、Ｎ−ヘキサデシル−Ｎ−エチル−モルフォリニウムのエチル硫酸塩、Ｎ−オクタデシル−Ｎ−エチル−モルフォリニウムのエチル硫酸塩、Ｎ−オクタデセニル−Ｎ−エチル−モルフォリニウムのエチル硫酸塩、Ｎ−メチル−Ｎ−エチル−Ｎ，Ｎ−ジオクチル−アンモニウムのエチル硫酸塩、Ｎ−メチル−Ｎ−エチル−Ｎ，Ｎ−ジドデシル−Ｎ−アンモニウムのエチル硫酸塩、Ｎ−メチル−Ｎ−エチル−Ｎ，Ｎ−ジオクタデシル−アンモニウムのエチル硫酸塩、Ｎ−メチル−Ｎ−エチル−Ｎ，Ｎ−ジイソオクタデシル−Ｎ−アンモニウムのエチル硫酸塩、Ｎ−メチル−Ｎ−エチル−Ｎ−オクチル−Ｎ−（２−ハイドロキシエチル）−アンモニウムのエチル硫酸塩、Ｎ−メチル−Ｎ−エチル−Ｎ−ドデシル−Ｎ−（２−ハイドロキシエチル）−アンモニウムのエチル硫酸塩、Ｎ−メチル−Ｎ−エチル−Ｎ−ヘキサデシル−Ｎ−（２−ハイドロキシエチル）−アンモニウムのエチル硫酸塩、Ｎ−メチル−Ｎ−エチル−Ｎ−オクタデシル−Ｎ−（２−ハイドロキシエチル）−アンモニウムのエチル硫酸塩、Ｎ−メチル−Ｎ−エチル−Ｎ−イソオクタデシル−Ｎ−（２−ハイドロキシエチル）−アンモニウムのエチル硫酸塩等のジエチル硫酸４級化物から選ばれる少なくとも一つが挙げられる。
【００３８】
なかでも、上記の（４）、（５）、（６）、（１０）、（１１）、（１２）、（１４）、（１５）、（１６）、（１７）、（１８）に分類される化合物から選ばれる少なくとも一つであることが好ましい。
【００３９】
（膠着防止剤）
本発明には解舒性を強化する目的で用いられる膠着防止剤が含有されていてもよい。膠着防止剤としては、例えば、タルク、ハイドロタルサイト、シリカ、シリコーンレジン、固体パラフィンワックス、メチレンビスステアリルアミド、エチレンビスステアリルアミド、ウレタンワックス、モンタン酸ワックス、高級脂肪酸金属塩等が挙げられるが、なかでもシリコーンレジン、高級脂肪酸金属塩から選ばれる少なくとも１種が好ましく、ＧＰＣによる重量平均分子量が３０００〜１０００００のシリコーンレジン及び炭素数１０〜２２の脂肪酸のアルカリ土類金属塩から選ばれる少なくとも１種が更に好ましい。
【００４０】
ＧＰＣによる重量平均分子量は以下の測定条件にて求めることができる。
機種      ：ＨＬＣ−８１２０ＧＰＣ（東ソー株式会社製液体クロマトグラフ）
カラム    ：ＴＳＫ  ｇｅｌ  Ｓｕｐｅｒ  Ｈ４０００（東ソー株式会社製）
＋ＴＳＫ  ｇｅｌ  Ｓｕｐｅｒ  Ｈ３０００（東ソー株式会社製）
＋ＴＳＫ  ｇｅｌ  Ｓｕｐｅｒ  Ｈ２０００（東ソー株式会社製）
カラム温度：４０℃
検出器    ：ＲＩ（Ｒｅｆｒａｃｔｉｖｅ  Ｉｎｄｅｘ）
溶媒      ：テトラヒドロフラン
流速      ：０．５ｍｌ／分
試料濃度  ：０．２５質量％
注入量    ：１０μｌ
標準      ：ポリスチレン（東ソー株式会社製；ＴＳＫ  ＳＴＡＮＤＡＲＤ  ＰＯＬＹＳＴＹＲＥＮＥ）
シリコーンレジンに関しては、ＭＱシリコーンレジン、ＭＤＱシリコーンレジン、Ｔシリコーンレジン及びＭＴＱシリコーンレジンから選ばれる少なくとも一つであることが好ましく、Ｍ／Ｑ比が０．５〜１．５である場合のものが最も好ましい。炭素数１０〜２２の脂肪酸のアルカリ土類金属塩に関しては、ステアリン酸マグネシウムであることが好ましい。ステアリン酸マグネシウムとしては特に制限はなく、何れのメーカーの商品でも使用できるが、例えば、株式会社サンエース社製のＳＡＫ−ＭＳ−Ｐ、日油株式会社製のマグネシウムステアレートＧ、日油株式会社製のマグネシウムステアレートＧＦ−２００、日油株式会社製のマグネシウムステアレートＧＲ、日油株式会社製の工マグネシウムステアレート、日油株式会社製の日局ステアリン酸マグネシウム、日東化成工業株式会社製のＭｇ−Ｓｔ、日東化成工業株式会社製のＭｇ−ＬＦ、株式会社サンエース社製のＳＡＫ−ＭＳ−Ｐ／ＵＳＰ等の製品が挙げられる。
【００４１】
ここで、シリコーンレジンに関して記載したＭ、Ｄ、Ｔ、Ｑについて説明する。これらの表記方法はシリコーンレジンを構成する成分の表記方法として一般的に使用されており、Ｍとは、１官能性構成単位Ｒ５Ｒ６Ｒ７ＳｉＯ１／２であり、Ｄとは、２官能性構成単位Ｒ８Ｒ９ＳｉＯ２／２であり、Ｔとは、３官能性構成単位Ｒ１０ＳｉＯ３／２であり、Ｑとは、４官能性構成単位ＳｉＯ４／２である。Ｒ５〜Ｒ１０は炭素数１〜２４の炭化水素基、−ＲａＮＨＲｂＮＨ２（式中、ＲａおよびＲｂは炭素数２又は３の炭化水素基）や−ＲｃＮＨ２（式中、Ｒｃは炭素数２又は３の炭化水素基）等で示される有機アミノ基、ビニル基、カルビノール基である。
【００４２】
（その他の成分）
本発明の処理剤には、本発明の効果を損なわない範囲内にて、必要に応じその他の成分を併用することもできる。かかるその他の成分としては、アミノ変性ポリジメチルシロキサン、ポリエーテル変性ポリジメチルシロキサン、カルボキシ変性ポリジメチルシロキサン、エポキシ変性ポリジメチルシロキサン、メルカプト変性ポリジメチルシロキサン、アルキル変性ポリジメチルシロキサン、エステル変性ポリジメチルシロキサン等の変性シリコーンオイル、非イオン性界面活性剤や高級アルコールに代表されるつなぎ剤、濡れ性向上剤、紫外線吸収剤、酸化防止剤、防腐剤等、繊維処理剤として公知の成分が挙げられる。
【００４３】
以上説明した本発明の処理剤に使用される特定ヒドロキシ末端ポリジメチルシロキサン、特定ヒドロキシ末端ポリジメチルシロキサン以外のシリコーン、鉱物油、エステル、帯電防止剤、膠着防止剤等の各成分はいずれも公知の方法によって容易に製造できる。本発明の処理剤の調製それ自体には、公知の方法を適用できる。
【００４４】
本発明の処理剤の調製それ自体には、公知の方法を適用できる。
本発明の処理剤の動粘度に特に制限は無いが、給油時の処理剤の飛散や粘性抵抗による断糸発生有無の観点から２５℃で２〜１００ｍｍ２／ｓが好ましい。
【００４５】
次に、本発明に係る合成繊維（以下、本発明の合成繊維という）について説明する。本発明の合成繊維は、本発明の処理剤が付着している合成繊維である。合成繊維に対する本発明の処理剤の付着量については特に制限はないが、０．１〜１０質量％の割合で付着していることが好ましい。
【００４６】
合成繊維としては、例えば１）ポリエチレンテレフタレート、ポリプロピレンテレフタレート、ポリ乳酸エステル等のポリエステル系繊維、２）ナイロン６、ナイロン６６等のポリアミド系繊維、３）ポリアクリル、モダアクリル等のポリアクリル系繊維、４）ポリエチレン、ポリプロピレン等のポリオレフィン系繊維、５）ポリエステル、ポリアミド、ポリオレフィン、ポリウレタン等の弾性繊維等が挙げられるが、なかでも弾性繊維が好ましく、ポリウレタン系弾性繊維が更に好ましい。
【００４７】
また、本発明の処理剤の給油方法としては、希釈することなくニート給油法により、合成繊維の紡糸工程において合成繊維に付着させる方法が挙げられる。付着方法としては、ローラー給油法、ガイド給油法、スプレー給油法等の公知の方法が適用できる。給油ローラーは、通常口金から巻き取りトラバースまでの間に位置することが一般的であるが、なかでも延伸ローラーと延伸ローラーとの間に位置する給油ローラーにて本発明の処理剤をポリウレタン系弾性繊維に付着させることが効果の発現が顕著で好ましい。
【００４８】
本発明の合成繊維の製造方法は特に限定されず、公知の方法で製造が可能であるが、例えば、湿式紡糸法、溶融紡糸法、乾式紡糸法がある。なかでも、合成繊維の品質や製造効率の点から乾式紡糸法が好ましい。
【００４９】
以上説明したように、特定ヒドロキシ末端ポリジメチルシロキサンを含む本発明の処理剤によると、合成繊維に優れた制電性と解舒性を付与し、加工時の摩擦変動と綾落ちが同時に抑えられるという効果がある。
【実施例】
【００５０】
以下、本発明の構成及び効果をより具体的にするため、実施例等を挙げるが、本発明がこれらの実施例に限定されるというものではない。
試験区分１（特定ヒドロキシ末端ポリジメチルシロキサンの調製）
特定ヒドロキシ末端ポリジメチルシロキサンＳ−１の調整：特開平３−１６９８８５号公報記載の方法と同様にして特定ヒドロキシ末端ポリジメチルシロキサンＳ−１を調製した。特定ヒドロキシ末端ポリジメチルシロキサンＳ−１の２５℃における動粘度（以下、２５℃粘度という）を表１に示す。
【００５１】
特定ヒドロキシ末端ポリジメチルシロキサンＳ−２〜Ｓ−４の調整：特定ヒドロキシ末端ポリジメチルシロキサンＳ−１と同様の方法で特定ヒドロキシ末端ポリジメチルシロキサンＳ−２〜Ｓ−４を調製した。特定ヒドロキシ末端ポリジメチルシロキサンＳ−２〜Ｓ−４の２５℃粘度を表１に示す。
【００５２】
特定ヒドロキシ末端ポリジメチルシロキサンＳ−５の調整：特開平７−２２４０７２号公報記載の方法と同様にして特定ヒドロキシ末端ポリジメチルシロキサンＳ−５を調製した。特定ヒドロキシ末端ポリジメチルシロキサンＳ−５の２５℃粘度を表１に示す。
【００５３】
試験区分２（合成繊維用処理剤の調製）
実施例、比較例に用いた合成繊維用処理剤は下記調製方法により調製し、その内容を表２に纏めた。
【００５４】
実施例１：表１に示した特定ヒドロキシ末端ポリジメチルシロキサンＳ−１（５質量部）と、特定ヒドロキシ末端ポリジメチルシロキサン以外のシリコーンＡ−１（６５質量部）と、鉱物油Ａ−２（３０質量部）とをよく混合して均一にすることで実施例１の処理剤を調製し、その２５℃粘度をキャノンフェンスケにて測定した。実施例１の２５℃粘度を表２に示す。
【００５５】
実施例２〜９、参考例１〜２、比較例１：実施例１と同様にして実施例２〜９、参考例１〜２、比較例１の処理剤を調製し、その２５℃粘度を測定した。実施例２〜９、参考例１〜２、比較例１の２５℃粘度を表２に示す。
【００５６】
【表１】
2020045595.tif 000006
【００５７】
【表２】
2020045595.tif 000007
表２に記載した各成分は以下のとおりである。
【００５８】
Ａ−１：ジメチルシリコーン（信越化学工業株式会社製の商品名ＫＦ９６−１０ｃｓ）、２５℃粘度：１０ｍｍ２／ｓ
Ａ−２：鉱物油（コスモ石油ルブリカンツ株式会社製の商品名コスモピュアスピンＲＣ）、２５℃粘度：１２ｍｍ２／ｓ
Ａ−３：鉱物油（出光興産株式会社製の商品名ダイアナフレシア  Ｇ９）、２５℃粘度：１２ｍｍ２／ｓ
Ａ−４：鉱物油（ＳＫ  Ｌｕｂｒｉｃａｎｔｓ社製の商品名ＹＵＢＡＳＥ  ３）、２５℃粘度：２０ｍｍ２／ｓ
Ａ−５：鉱物油（日本サン石油社製の商品名ＳＵＮ  ６０Ｎ）、２５℃粘度：１２ｍｍ２／ｓ
Ａ−６：パルミチン酸２−エチルヘキシル（当栄ケミカル株式会社製の商品名ＴＯＥＮＯＬ＃５０１６）、２５℃粘度：１２ｍｍ２／ｓ
Ｂ−１：シリコーン部分／ポリエーテル部分の質量比８０／２０、ポリエーテル部分がＥＯ／ＰＯ＝８０／２０で２５℃粘度１０００ｍｍ２／ｓであるＡＢｎ型ポリエーテル変性シリコーン
Ｂ−２：ステアリン酸マグネシウム
Ｂ−３：アミノ当量７０００、２５℃粘度３００ｍｍ２／ｓであるアミノ変性シリコーン
Ｂ−４：２−ヘキシル−１−デカノール
Ｂ−５：ドデシルスルホン酸のテトラブチルホスホニウム塩
Ｂ−６：２−エチル−１−ヘキシルリン酸エステルマグネシウム塩
Ｂ−７：２−（１，３，３−トリメチルブチル）−５，７，７−トリメチル−１−オクチルリン酸エステルジブチルエタノールアミン塩
試験区分２（合成繊維の製造）
分子量２９００のテトラメチレンエーテルグリコール、ビス−（ｐ−イソシアネートフェニル）−メタンおよびエチレンジアミンからなるポリウレタンのＮ，Ｎ−ジメチルアセトアミド溶液（３５質量％）を重合しポリマー溶液（Ａ）とした。
【００５９】
次に、酸化防止剤として、ｔ−ブチルジエタノールアミンとメチレン−ビス−（４−シクロヘキシルイソシアネート）との反応によって生成せしめたポリウレタン（デュポン社製“メタクロール”（登録商標）２４６２）とｐ−クレゾールとジビニルベンゼンの縮合重合体（デュポン社製“メタクロール”（登録商標）２３９０）との２対１（質量比）の混合物を用い、この混合物のＮ，Ｎ−ジメチルアセトアミド溶液（３５質量％）を調製し、その他添加剤溶液（Ｂ）とした。
【００６０】
上記の溶液（Ａ）、（Ｂ）それぞれを９６対４（質量比）の割合で均一に混合し、紡糸原液とした。
こうして得られた紡糸原液を用いて、公知のスパンデックスで用いられる乾式紡糸方法により、４４ｄｔｅｘ／３ｆｉｌのマルチフィラメントのポリウレタン系弾性繊維を紡糸して、巻き取り前の延伸ローラーと延伸ローラーとの間に位置する給油ローラーから、実施例１〜９、参考例１〜２、比較例１に示す処理剤をニートの状態でローラー給油した。かくしてローラー給油したものを、巻き取り速度が６００ｍ／分で、長さ５８ｍｍの円筒状紙管に、巻き幅３８ｍｍを与えるトラバースガイドを介して、サーフェイスドライブの巻取機を用いて巻き取り、乾式紡糸ポリウレタン系弾性繊維のパッケージ５００ｇを得た。ポリウレタン系弾性繊維用処理剤の付着量の調節は、給油ローラーの回転数を調整することで何れも５質量％となるように行なった。こうして得られた乾式紡糸ポリウレタン系弾性繊維のパッケージを用いて下記の測定及び評価に供し、結果を表２にまとめて示した。
【００６１】
試験区分３（合成繊維用処理剤及び合成繊維の評価）
・綾落ち
上記で得られた紡糸直後の乾式紡糸ポリウレタン系弾性繊維パッケージ（５００ｇ巻き）を送り出し２０ｍ／分、巻き取り４０ｍ／分で１０００ｍ巻き取った場合のパッケージの綾落ちによる断糸の回数を次の基準で評価した。
【００６２】
○：綾落ちによる断糸が０回以上３回未満。
×：綾落ちによる断糸が３回以上。
・摩擦測定
摩擦測定メーター（エイコー測器社製、ＳＡＭＰＬＥ  ＦＲＩＣＴＩＯＮ  ＵＮＩＴ  ＭＯＤＥＬ  ＴＢ−１）を用い、二つのフリーローラー間に直径１ｃｍで表面粗度２Ｓのクロムメッキ梨地ピンを配置し、このクロムメッキ梨地ピンに対し、前記のパッケージ（５００ｇ巻き）から引き出したポリウレタン系弾性繊維の接触角度が９０度となるようにした。２５℃で６０％ＲＨの条件下、入側で初期張力（Ｔ１）５ｇをかけ、１００ｍ／分の速度で走行させたときの出側の２次張力（Ｔ２）を０．１秒毎に１分間測定した。下記式（１）から摩擦係数を求め、次の基準で評価した。
【００６３】
◎：摩擦係数が０．１５０以上０．２２０未満。
○：摩擦係数が０．２２０以上０．２６０未満。
△：摩擦係数が０．２６０以上０．３００未満。
【００６４】
×：摩擦係数が０．３００以上。
【００６５】
【数１】
2020045595.tif 000008
・解舒張力
片側に第１駆動ローラーとこれに常時接する第１遊離ローラーとで送り出し部を構成し、また反対側に第２駆動ローラーとこれに常時接する第２遊離ローラーとで巻き取り部を構成して、該送り出し部に対し該巻き取り部を水平方向で２０ｃｍ離して設置した。第１駆動ローラーに上記で得られた紡糸直後の乾式紡糸ポリウレタン系弾性繊維のパッケージを装着し、糸巻の厚さが２ｍｍになるまで解舒して、第２駆動ローラーに巻き取った。第１駆動ローラーからのポリウレタン系弾性繊維の送り出し速度を５０ｍ／分で固定する一方、第２駆動ローラーへのポリウレタン系弾性繊維の巻き取り速度を５０ｍ／分より徐々に上げて、ポリウレタン系弾性繊維をパッケージから強制解舒した。この強制解舒時において、送り出し部分と巻き取り部分との間でポリウレタン系弾性繊維の踊りがなくなる時点での巻き取り速度Ｖ（ｍ／分）を測定し、下記の式（２）から解舒性（％）を求め、次の基準で評価した。
【００６６】
○：解舒性が１８０％未満（糸切れの発生は無く、安定に解舒できる）
×：解舒性が１８０％以上（糸の引き出しに抵抗があり、糸切れもあって、操業に問題がある）
【００６７】
【数２】
2020045595.tif 000009
以上、表２の結果からも明らかなように、本発明によれば、合成繊維に優れた摩擦特性と解舒性を付与し、加工時の綾落ちが抑えられるという効果がある。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
合成繊維に付着させて用いられる合成繊維用処理剤であって、
ポリマー鎖の末端ケイ素原子に直接、ヒドロキシ基が結合したヒドロキシ末端ポリジメチルシロキサンと、
前記ヒドロキシ末端ポリジメチルシロキサン以外のシリコーンとを含み、
前記合成繊維用処理剤全体を１００質量部とした場合、前記ヒドロキシ末端ポリジメチルシロキサンの含有割合が０．０１〜１０質量部であることを特徴とする合成繊維用処理剤。
【請求項２】
前記ヒドロキシ末端ポリジメチルシロキサンの２５℃における動粘度が、１０〜１００００ｍｍ２／ｓである請求項１に記載の合成繊維用処理剤。
【請求項３】
前記合成繊維用処理剤の２５℃における動粘度が、２〜１００ｍｍ２／ｓである請求項１又は２に記載の合成繊維用処理剤。
【請求項４】
更に、鉱物油及びエステルから選ばれる少なくとも一つを含む請求項１〜３のいずれか一項に記載の合成繊維用処理剤。
【請求項５】
前記ヒドロキシ末端ポリジメチルシロキサン、前記ヒドロキシ末端ポリジメチルシロキサン以外のシリコーン、前記鉱物油及び前記エステルの含有割合の合計を１００質量部とした場合、前記ヒドロキシ末端ポリジメチルシロキサン及び前記ヒドロキシ末端ポリジメチルシロキサン以外のシリコーンの含有割合の合計が１０質量部以上である請求項４に記載の合成繊維用処理剤。
【請求項６】
前記合成繊維が弾性繊維である請求項１〜５のいずれか一項に記載の合成繊維用処理剤。
【請求項７】
請求項１〜６のいずれか一項に記載の合成繊維用処理剤が付着していることを特徴とする合成繊維。
【手続補正２】
【補正対象書類名】明細書
【補正対象項目名】全文
【補正方法】変更
【補正の内容】
【発明の詳細な説明】
【技術分野】
【０００１】
本発明は、合成繊維に優れた摩擦特性と解舒性を付与し、加工時の綾落ちが抑えられる合成繊維用処理剤及びかかる合成繊維用処理剤が付着している合成繊維に関する。
【背景技術】
【０００２】
従来、合成繊維用処理剤として、２５℃における動粘度が２〜５０ｃＳｔのジメチルシリコーンおよび／または鉱物油９０〜９９．９８重量％、高級脂肪酸の金属塩が０．０１〜５質量％とポリエーテル変性シリコーン０．０１〜５重量％よりなるポリウレタン弾性繊維用油剤（例えば、特許文献１参照）等の提案がある。しかし、これら従来の合成繊維用処理剤では解舒性、摩擦特性は良好なものの、加工時において表層の綾落ちによる断糸が発生する問題がある。このため、現状の技術では優れた解舒性、摩擦特性を保ちつつ加工時の綾落ちを抑制することを同時に達成することなどの問題に十分対応できていなかった。
【先行技術文献】
【特許文献】
【０００３】
【特許文献１】特開２０００−３２８４５９号公報
【発明の概要】
【発明が解決しようとする課題】
【０００４】
本発明が解決しようとする課題は、合成繊維に優れた摩擦特性と解舒性を付与し、加工時の綾落ちを抑えられる合成繊維用処理剤及びかかる合成繊維用処理剤が付着している合成繊維を提供する処にある。
【課題を解決するための手段】
【０００５】
しかして本発明者らは、前記の課題を解決するべく研究した結果、ポリマー鎖の末端ケイ素原子に直接、ヒドロキシ基が結合したヒドロキシ末端ポリジメチルシロキサンを含有して成る合成繊維用処理剤が正しく好適であることを見出した。
【０００６】
上記課題を解決する合成繊維用処理剤は、合成繊維に付着させて用いられる合成繊維用処理剤であって、ポリマー鎖の末端ケイ素原子に直接、ヒドロキシ基が結合したヒドロキシ末端ポリジメチルシロキサンと、前記ヒドロキシ末端ポリジメチルシロキサン以外のシリコーンとを含み、前記合成繊維用処理剤全体を１００質量部とした場合、前記ヒドロキシ末端ポリジメチルシロキサンの含有割合が０．０１〜１０質量部である。
【０００７】
前記ヒドロキシ末端ポリジメチルシロキサンの２５℃における動粘度が、１０〜１００００ｍｍ２／ｓであることが好ましい。
前記合成繊維用処理剤の２５℃における動粘度が、２〜１００ｍｍ２／ｓであることが好ましい。
【０００８】
鉱物油及びエステルから選ばれる少なくとも一つを含むことが好ましい。
前記ヒドロキシ末端ポリジメチルシロキサン、前記ヒドロキシ末端ポリジメチルシロキサン以外のシリコーン、前記鉱物油及び前記エステルの含有割合の合計を１００質量部とした場合、前記ヒドロキシ末端ポリジメチルシロキサン及び前記ヒドロキシ末端ポリジメチルシロキサン以外のシリコーンの含有割合の合計が１０質量部以上であることが好ましい。
【０００９】
前記合成繊維が弾性繊維であることが好ましい。
上記課題を解決する合成繊維は、上記合成繊維用処理剤が付着している。
【発明の効果】
【００１０】
本発明によれば、合成繊維に優れた制電性と解舒性を付与し、加工時の摩擦変動と綾落ちが同時に抑えられる。
【発明を実施するための形態】
【００１１】
本発明は、特定のヒドロキシ末端ポリジメチルシロキサンを含有して成る合成繊維用処理剤に係る。また、本発明はかかる合成繊維用処理剤が付着している合成繊維に係る。
先ず、本発明に係る合成繊維用処理剤（以下、本発明の処理剤という）について説明する。
【００１２】
本発明の処理剤は、特定のヒドロキシ末端ポリジメチルシロキサンを含有する。また、本発明の処理剤は、特定のヒドロキシ末端ポリジメチルシロキサン以外のシリコーンを含有する。また、本発明の処理剤は、鉱物油及びエステルを含有することができ、これらのうちの少なくとも一つを含有することが好ましい。
【００１３】
（特定ヒドロキシ末端ポリジメチルシロキサン）
本発明の処理剤に使用するヒドロキシ末端ポリジメチルシロキサンは、ポリマー鎖の末端ケイ素原子に直接、ヒドロキシ基（シラノール基とも表現する）が結合したジメチルシロキサン化合物である。以下では、ポリマー鎖の末端ケイ素原子に直接、ヒドロキシ基が結合したジメチルシロキサン化合物を特定ヒドロキシ末端ポリジメチルシロキサンと記載する。特定ヒドロキシ末端ポリジメチルシロキサンは、公知の製造方法で容易に製造できる。その動粘度に特に制限はないが、２５℃で１０〜１００００ｍｍ２／ｓであるものが好ましい。特定ヒドロキシ末端ポリジメチルシロキサンとしては、例えば信越化学工業株式会社製の商品名ＫＦ９７０１、信越化学工業株式会社製の商品名Ｘ−２１−３１５３、信越化学工業株式会社製の商品名Ｘ−２１−５８４１、モメンティブ・パフォーマンス・マテリアルズ社製の商品名ＸＣ９６−７２３、モメンティブ・パフォーマンス・マテリアルズ社製の商品名ＹＦ３８００、モメンティブ・パフォーマンス・マテリアルズ社製の商品名ＸＦ３９０５、モメンティブ・パフォーマンス・マテリアルズ社製の商品名ＹＦ３０５７、モメンティブ・パフォーマンス・マテリアルズ社製の商品名ＹＦ３８０７、モメンティブ・パフォーマンス・マテリアルズ社製の商品名ＹＦ３８０２、モメンティブ・パフォーマンス・マテリアルズ社製の商品名ＹＦ３８９７等が挙げられる。特定ヒドロキシ末端ポリジメチルシロキサンは、１種を単独で使用してもよく、２種以上を併用してもよい。
【００１４】
（特定ヒドロキシ末端ポリジメチルシロキサン以外のシリコーン）
本発明の処理剤に使用する特定ヒドロキシ末端ポリジメチルシロキサン以外のシリコーンとしては特定ヒドロキシ末端ポリジメチルシロキサン以外であれば特に限定は無いが、例えば、信越化学工業株式会社製の商品名ＫＦ−９６−１０ｃｓ、信越化学工業株式会社製の商品名ＫＦ−９６−２０ｃｓ、信越化学工業株式会社製の商品名ＫＦ−９６−５０ｃｓ、信越化学工業株式会社製の商品名ＫＦ−９６−１００ｃｓ、信越化学工業株式会社製の商品名ＫＦ−９６−１０００ｃｓ、信越化学工業株式会社製の商品名ＫＦ−９６−１万ｃｓ、信越化学工業株式会社製の商品名ＫＦ−５０−１００ｃｓ、信越化学工業株式会社製の商品名ＫＦ−４００３、信越化学工業株式会社製の商品名ＫＦ−４９１７、モメンティブ・パフォーマンス・マテリアルズ社製の商品名ＴＳＦ４５１−１０、モメンティブ・パフォーマンス・マテリアルズ社製の商品名ＴＳＦ４５１−２０、東レ・ダウコーニング株式会社製の商品名ＳＨ２００−１０ＣＳ、東レ・ダウコーニング株式会社製の商品名ＳＨ５１０−１００ＣＳ、旭化成ワッカーシリコーン株式会社製の商品名ＷＡＣＫＥＲ  ＳＩＬＩＣＯＮＥ  ＦＬＵＩＤ  ＡＫ１０、旭化成ワッカーシリコーン株式会社製の商品名ＷＡＣＫＥＲ  ＳＩＬＩＣＯＮＥ  ＦＬＵＩＤ  ＡＫ２０、旭化成ワッカーシリコーン株式会社製の商品名ＷＡＣＫＥＲ  ＳＩＬＩＣＯＮＥ  ＦＬＵＩＤ  ＡＫ５０等のポリジメチルシロキサン、ポリアルキルシロキサン、ポリアルキルフェニルシロキサン等を挙げることができ、１種または２種以上を併用してもよい。
【００１５】
（鉱物油）
本発明の処理剤に使用する鉱物油としては、例えば、ｓｏｎｎｅｂｏｒｎ社製の商品名Ｓｅｍｔｏｌ４０、ｓｏｎｎｅｂｏｒｎ社製の商品名Ｃａｒｎａｔｉｏｎ、コスモ石油ルブリカンツ株式会社製の商品名コスモピュアスピンＤ、コスモ石油ルブリカンツ株式会社製の商品名コスモピュアスピンＲＣ、コスモ石油ルブリカンツ株式会社製の商品名コスモピュアスピンＲＢ、富士興産株式会社製の商品名フッコールＮＴ−６０、富士興産株式会社製の商品名フッコールＮＴ−１００、Ｓ−ＯＩＬ社製の商品名Ｕｌｔｒａ−Ｓ  ２、Ｓ−ＯＩＬ社製の商品名Ｕｌｔｒａ−Ｓ  ３、ＳＫ  Ｌｕｂｒｉｃａｎｔｓ社製の商品名ＹＵＢＡＳＥ  ３、ＳＫ  Ｌｕｂｒｉｃａｎｔｓ社製の商品名ＹＵＢＡＳＥ  ４、出光興産株式会社製の商品名ダイアナフレシア  Ｗ８、出光興産株式会社製の商品名ダイアナフレシア  Ｗ３２、出光興産株式会社製の商品名ダイアナフレシア  Ｇ９、出光興産株式会社製の商品名ダイアナフレシア  Ｋ８、エクソンモービル社製の商品名クリストール  Ｎ７２、日本サン石油社製の商品名ＳＵＮ  ６０Ｎ等の２５℃における動粘度が２〜１００ｍｍ２／ｓのスピンドル油や流動パラフィン、ポリαオレフィン等を挙げることができ、１種または２種以上を併用してもよい。
【００１６】
本発明の処理剤に使用するポリαオレフィンとしては、例えば、エチレン、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン等のαオレフィンから合成されたものが挙げられる。具体的には新日鉄住金化学社製の商品名ＰＡＯ２０１、新日鉄住金化学社製の商品名ＰＡＯ４０１、新日鉄住金化学社製の商品名ＰＡＯ６０１、新日鉄住金化学社製の商品名ＰＡＯ８０１、ライオン・スペシャリティ・ケミカルズ株式会社製の商品名リポルーブ４０、ライオン・スペシャリティ・ケミカルズ株式会社製の商品名リポルーブ６０、ライオン・スペシャリティ・ケミカルズ株式会社製の商品名リポルーブ８０等が挙げられる。
【００１７】
（エステル）
本発明の処理剤に使用するエステルとしては、例えば、ブチルステアラート、オクチルステアラート、オレイルラウラート、オレイルオレアート、イソトリデシルステアラート、イソペンタコサニルイソステアラート、パルミチン酸２−エチルヘキシル等の脂肪族１価アルコールと脂肪族モノカルボン酸とのエステル、１，６−ヘキサンジオールジデカノアート、トリメチロールプロパンモノオレアートモノラウラート、トリメチロールプロパントリラウラート、ひまし油等の天然油脂等の脂肪族多価アルコールと脂肪族モノカルボン酸とのエステル、アジピン酸ジラウリル、アゼライン酸ジオレイル等の脂肪族１価アルコールと脂肪族多価カルボン酸とのエステル等が挙げられる。エステルは、１種を単独で使用してもよく、２種以上を併用してもよい。
【００１８】
（特定ヒドロキシ末端ポリジメチルシロキサン、特定ヒドロキシ末端ポリジメチルシロキサン以外のシリコーン、鉱物油、エステルの含有割合）
本発明の処理剤における特定ヒドロキシ末端ポリジメチルシロキサンの含有割合は、特定ヒドロキシ末端ポリジメチルシロキサン、特定ヒドロキシ末端ポリジメチルシロキサン以外のシリコーン、鉱物油、エステル、及びその他成分（後述する帯電防止剤、膠着防止剤、及びその他の成分）を含めた処理剤全体を１００質量部とした場合に、当該処理剤全体中に占める特定ヒドロキシ末端ポリジメチルシロキサンの含有割合が０．０１〜１０質量部である。また、参考例として、処理剤全体を１００質量部とした場合に、当該処理剤全体中に占める特定ヒドロキシ末端ポリジメチルシロキサンの含有割合が０．０１〜５０質量部である場合を例示する。
【００１９】
また、特定ヒドロキシ末端ポリジメチルシロキサン、特定ヒドロキシ末端ポリジメチルシロキサン以外のシリコーン、鉱物油及びエステルの含有割合の合計を１００質量部とした場合、特定ヒドロキシ末端ポリジメチルシロキサンの含有割合は、０．０１〜１００質量部であることが好ましく、０．０１〜５０質量部であることがより好ましい。
【００２０】
本発明の処理剤における特定ヒドロキシ末端ポリジメチルシロキサン以外のシリコーン、鉱物油及びエステルの含有割合に特に制限は無いが、特定ヒドロキシ末端ポリジメチルシロキサン、特定ヒドロキシ末端ポリジメチルシロキサン以外のシリコーン、鉱物油及びエステルの含有割合の合計を１００質量部とした場合、特定ヒドロキシ末端ポリジメチルシロキサン及び特定ヒドロキシ末端ポリジメチルシロキサン以外のシリコーンの含有割合の合計が１０〜１００質量部であり、鉱物油及びエステルの含有割合の合計が、残りの０〜９０質量部であることが好ましい。
【００２１】
（帯電防止剤）
本発明の処理剤には制電性を強化する目的で用いられる帯電防止剤が含有されていてもよい。帯電防止剤はイオン性の剤が挙げられるが、なかでもリン酸エステル、リン酸エステルの金属塩、リン酸エステルのアミン塩、スルホン酸の金属塩、スルホン酸のオニウム塩、ジメチル硫酸４級化物及びジエチル硫酸４級化物が好ましい。リン酸エステル、リン酸エステルの金属塩、リン酸エステルのアミン塩としては、例えば、有機アルコール及び有機アルコール１モルに対し炭素数２〜４のアルキレンオキシドを１〜１０モルの割合で付加させた化合物から選ばれる少なくとも一つと、五酸化二リン又はオキシハロゲン化リンとを反応させて得られるリン酸エステル、リン酸エステルの金属塩、リン酸エステルのアミン塩である。具体的には以下の化合物から選ばれる少なくとも一つが挙げられる。
【００２２】
（１）ヘキシルリン酸エステルナトリウム塩、オクチルリン酸エステルナトリウム塩、デシルリン酸エステルナトリウム塩、ドデシルリン酸エステルナトリウム塩、トリデシルリン酸エステルナトリウム塩、テトラデシルリン酸エステルナトリウム塩、ペンタデシルリン酸エステルナトリウム塩、ヘキサデシルリン酸エステルナトリウム塩、ヘプタデシルリン酸エステルナトリウム塩、オクタデシルリン酸エステルナトリウム塩、ベヘニルリン酸エステルナトリウム塩、トリオクタコサニルリン酸エステルナトリウム塩、オクタデセニルリン酸エステルナトリウム塩、ヘキシルリン酸エステルカリウム塩、オクチルリン酸エステルカリウム塩、デシルリン酸エステルカリウム塩、ドデシルリン酸エステルカリウム塩、トリデシルリン酸エステルカリウム塩、テトラデシルリン酸エステルカリウム塩、ペンタデシルリン酸エステルカリウム塩、ヘキサデシルリン酸エステルカリウム塩、ヘプタデシルリン酸エステルカリウム塩、オクタデシルリン酸エステルカリウム塩、ベヘニルリン酸エステルカリウム塩、トリオクタコサニルリン酸エステルカリウム塩、オクタデセニルリン酸エステルカリウム塩等の脂肪族アルコールが直鎖アルコールのリン酸エステルアルカリ金属塩。
【００２３】
（２）ヘキシルリン酸エステルマグネシウム塩、オクチルリン酸エステルマグネシウム塩、デシルリン酸エステルマグネシウム塩、ドデシルリン酸エステルマグネシウム塩、トリデシルリン酸エステルマグネシウム塩、テトラデシルリン酸エステルマグネシウム塩、ペンタデシルリン酸エステルマグネシウム塩、ヘキサデシルリン酸エステルマグネシウム塩、ヘプタデシルリン酸エステルマグネシウム塩、オクタデシルリン酸エステルマグネシウム塩、ベヘニルリン酸エステルマグネシウム塩、トリオクタコサニルリン酸エステルマグネシウム塩、オクタデセニルリン酸エステルマグネシウム塩、ヘキシルリン酸エステルカルシウム塩、オクチルリン酸エステルカルシウム塩、デシルリン酸エステルカルシウム塩、ドデシルリン酸エステルカルシウム塩、トリデシルリン酸エステルカルシウム塩、テトラデシルリン酸エステルカルシウム塩、ペンタデシルリン酸エステルカルシウム塩、ヘキサデシルリン酸エステルカルシウム塩、ヘプタデシルリン酸エステルカルシウム塩、オクタデシルリン酸エステルカルシウム塩、ベヘニルリン酸エステルカルシウム塩、トリオクタコサニルリン酸エステルカルシウム塩、オクタデセニルリン酸エステルカルシウム塩等の脂肪族アルコールが直鎖アルコールであるリン酸エステルアルカリ土類金属塩。
【００２４】
（３）ヘキシルリン酸エステルオクチルアミン塩、オクチルリン酸エステルオクチルアミン塩、デシルリン酸エステルオクチルアミン塩、ドデシルリン酸エステルオクチルアミン塩、トリデシルリン酸エステルオクチルアミン塩、テトラデシルリン酸エステルオクチルアミン塩、ペンタデシルリン酸エステルオクチルアミン塩、ヘキサデシルリン酸エステルオクチルアミン塩、ヘプタデシルリン酸エステルオクチルアミン塩、オクタデシルリン酸エステルオクチルアミン塩、ベヘニルリン酸エステルオクチルアミン塩、トリオクタコサニルリン酸エステルオクチルアミン塩、オクタデセニルリン酸エステルオクチルアミン塩、ヘキシルリン酸エステルジオクチルアミン塩、オクチルリン酸エステルジオクチルアミン塩、デシルリン酸エステルジオクチルアミン塩、ドデシルリン酸エステルジオクチルアミン塩、トリデシルリン酸エステルジオクチルアミン塩、テトラデシルリン酸エステルジオクチルアミン塩、ペンタデシルリン酸エステルジオクチルアミン塩、ヘキサデシルリン酸エステルジオクチルアミン塩、ヘプタデシルリン酸エステルジオクチルアミン塩、オクタデシルリン酸エステルジオクチルアミン塩、ベヘニルリン酸エステルジオクチルアミン塩、トリオクタコサニルリン酸エステルジオクチルアミン塩、オクタデセニルリン酸エステルジオクチルアミン塩、ヘキシルリン酸エステルジメチルドデシルアミン塩、オクチルリン酸エステルジメチルドデシルアミン塩、デシルリン酸エステルジメチルドデシルアミン塩、ドデシルリン酸エステルジメチルドデシルアミン塩、トリデシルリン酸エステルジメチルドデシルアミン塩、テトラデシルリン酸エステルジメチルドデシルアミン塩、ペンタデシルリン酸エステルジメチルドデシルアミン塩、ヘキサデシルリン酸エステルジメチルドデシルアミン塩、ヘプタデシルリン酸エステルジメチルドデシルアミン塩、オクタデシルリン酸エステルジメチルドデシルアミン塩、ベヘニルリン酸エステルジメチルドデシルアミン塩、トリオクタコサニルリン酸エステルジメチルドデシルアミン塩、オクタデセニルリン酸エステルジメチルドデシルアミン塩、ヘキシルリン酸エステルジブチルエタノールアミン塩、オクチルリン酸エステルジブチルエタノールアミン塩、デシルリン酸エステルジブチルエタノールアミン塩、ドデシルリン酸エステルジブチルエタノールアミン塩、トリデシルリン酸エステルジブチルエタノールアミン塩、テトラデシルリン酸エステルジブチルエタノールアミン塩、ペンタデシルリン酸エステルジブチルエタノールアミン塩、ヘキサデシルリン酸エステルジブチルエタノールアミン塩、ヘプタデシルリン酸エステルジブチルエタノールアミン塩、オクタデシルリン酸エステルジブチルエタノールアミン塩、ベヘニルリン酸エステルジブチルエタノールアミン塩、トリオクタコサニルリン酸エステルジブチルエタノールアミン塩、オクタデセニルリン酸エステルジブチルエタノールアミン塩、ヘキシルリン酸エステルドデシルジエタノールアミン塩、オクチルリン酸エステルドデシルジエタノールアミン塩、デシルリン酸エステルドデシルジエタノールアミン塩、ドデシルリン酸エステルドデシルジエタノールアミン塩、トリデシルリン酸エステルドデシルジエタノールアミン塩、テトラデシルリン酸エステルドデシルジエタノールアミン塩、ペンタデシルリン酸エステルドデシルジエタノールアミン塩、ヘキサデシルリン酸エステルドデシルジエタノールアミン塩、ヘプタデシルリン酸エステルドデシルジエタノールアミン塩、オクタデシルリン酸エステルドデシルジエタノールアミン塩、ベヘニルリン酸エステルドデシルジエタノールアミン塩、トリオクタコサニルリン酸エステルドデシルジエタノールアミン塩、オクタデセニルリン酸エステルドデシルジエタノールアミン塩等の脂肪族アルコールが直鎖アルコールであるリン酸エステルアミン塩。
【００２５】
（４）２−エチル−１−ヘキシルリン酸エステルカリウム塩、６−メチル−１−ヘキシルリン酸エステルカリウム塩、７−メチル−１−へプチルリン酸エステルカリウム塩、２，６−ジメチル−４−ヘプチルリン酸エステルカリウム塩、２−プロピル−１−へプチルリン酸エステルカリウム塩、１０−メチル−１−デシルリン酸エステルカリウム塩、２−ブチル−１−オクチルリン酸エステルカリウム塩、２−ブチル−１−デシルリン酸エステルカリウム塩、１１−メチル−１−ドデシルリン酸エステルカリウム塩、２−ヘキシル−１−オクチルリン酸エステルカリウム塩、２−ヘキシル−１−デシルリン酸エステルカリウム塩、２−ヘキシル−１−ドデシルリン酸エステルカリウム塩、２−オクチル−１−デシルリン酸エステルカリウム塩、２−オクチル−１−ドデシルリン酸エステルカリウム塩、２−デシル−１−テトラデシルリン酸エステルカリウム塩、２−（１，３，３−トリメチルブチル）−５，７，７−トリメチル−１−オクチルリン酸エステルカリウム塩、２−（４−メチルヘキシル）−８−メチル−１−デシルリン酸エステルカリウム塩、２−（１，５−ジメチルヘキシル）−５，９−ジメチル−１−デシルリン酸エステルカリウム塩、２−エチル−１−ヘキシルリン酸エステルナトリウム塩、６−メチル−１−ヘキシルリン酸エステルナトリウム塩、７−メチル−１−へプチルリン酸エステルナトリウム塩、２，６−ジメチル−４−ヘプチルリン酸エステルナトリウム塩、２−プロピル−１−へプチルリン酸エステルナトリウム塩、１０−メチル−１−デシルリン酸エステルナトリウム塩、２−ブチル−１−オクチルリン酸エステルナトリウム塩、２−ブチル−１−デシルリン酸エステルナトリウム塩、１１−メチル−１−ドデシルリン酸エステルナトリウム塩、２−ヘキシル−１−オクチルリン酸エステルナトリウム塩、２−ヘキシル−１−デシルリン酸エステルナトリウム塩、２−ヘキシル−１−ドデシルリン酸エステルナトリウム塩、２−オクチル−１−デシルリン酸エステルナトリウム塩、２−オクチル−１−ドデシルリン酸エステルナトリウム塩、２−デシル−１−テトラデシルリン酸エステルナトリウム塩、２−（１，３，３−トリメチルブチル）−５，７，７−トリメチル−１−オクチルリン酸エステルナトリウム塩、２−（４−メチルヘキシル）−８−メチル−１−デシルリン酸エステルナトリウム塩、２−（１，５−ジメチルヘキシル）−５，９−ジメチル−１−デシルリン酸エステルナトリウム塩等の脂肪族アルコールが分岐アルコールであるリン酸エステルアルカリ金属塩。
【００２６】
（５）２−エチル−１−ヘキシルリン酸エステルマグネシウム塩、６−メチル−１−ヘキシルリン酸エステルマグネシウム塩、７−メチル−１−へプチルリン酸エステルマグネシウム塩、２，６−ジメチル−４−ヘプチルリン酸エステルマグネシウム塩、２−プロピル−１−へプチルリン酸エステルマグネシウム塩、１０−メチル−１−デシルリン酸エステルマグネシウム塩、２−ブチル−１−オクチルリン酸エステルマグネシウム塩、２−ブチル−１−デシルリン酸エステルマグネシウム塩、１１−メチル−１−ドデシルリン酸エステルマグネシウム塩、２−ヘキシル−１−オクチルリン酸エステルマグネシウム塩、２−ヘキシル−１−デシルリン酸エステルマグネシウム塩、２−ヘキシル−１−ドデシルリン酸エステルマグネシウム塩、２−オクチル−１−デシルリン酸エステルマグネシウム塩、２−オクチル−１−ドデシルリン酸エステルマグネシウム塩、２−デシル−１−テトラデシルリン酸エステルマグネシウム塩、２−（１，３，３−トリメチルブチル）−５，７，７−トリメチル−１−オクチルリン酸エステルマグネシウム塩、２−（４−メチルヘキシル）−８−メチル−１−デシルリン酸エステルマグネシウム塩、２−（１，５−ジメチルヘキシル）−５，９−ジメチル−１−デシルリン酸エステルマグネシウム塩、２−エチル−１−ヘキシルリン酸エステルカルシウム塩、６−メチル−１−ヘキシルリン酸エステルカルシウム塩、７−メチル−１−へプチルリン酸エステルカルシウム塩、２，６−ジメチル−４−ヘプチルリン酸エステルカルシウム塩、２−プロピル−１−へプチルリン酸エステルカルシウム塩、１０−メチル−１−デシルリン酸エステルカルシウム塩、２−ブチル−１−オクチルリン酸エステルカルシウム塩、２−ブチル−１−デシルリン酸エステルカルシウム塩、１１−メチル−１−ドデシルリン酸エステルカルシウム塩、２−ヘキシル−１−オクチルリン酸エステルカルシウム塩、２−ヘキシル−１−デシルリン酸エステルカルシウム塩、２−ヘキシル−１−ドデシルリン酸エステルカルシウム塩、２−オクチル−１−デシルリン酸エステルカルシウム塩、２−オクチル−１−ドデシルリン酸エステルカルシウム塩、２−デシル−１−テトラデシルリン酸エステルカルシウム塩、２−（１，３，３−トリメチルブチル）−５，７，７−トリメチル−１−オクチルリン酸エステルカルシウム塩、２−（４−メチルヘキシル）−８−メチル−１−デシルリン酸エステルカルシウム塩、２−（１，５−ジメチルヘキシル）−５，９−ジメチル−１−デシルリン酸エステルカルシウム塩、等の脂肪族アルコールが分岐アルコールであるリン酸エステルアルカリ土類金属塩。
【００２７】
（６）２−エチル−１−ヘキシルリン酸エステルオクチルアミン塩、６−メチル−１−ヘキシルリン酸エステルオクチルアミン塩、７−メチル−１−へプチルリン酸エステルオクチルアミン塩、２，６−ジメチル−４−ヘプチルリン酸エステルオクチルアミン塩、２−プロピル−１−へプチルリン酸エステルオクチルアミン塩、１０−メチル−１−デシルリン酸エステルオクチルアミン塩、２−ブチル−１−オクチルリン酸エステルオクチルアミン塩、２−ブチル−１−デシルリン酸エステルオクチルアミン塩、１１−メチル−１−ドデシルリン酸エステルオクチルアミン塩、２−ヘキシル−１−オクチルリン酸エステルオクチルアミン塩、２−ヘキシル−１−デシルリン酸エステルオクチルアミン塩、２−ヘキシル−１−ドデシルリン酸エステルオクチルアミン塩、２−オクチル−１−デシルリン酸エステルオクチルアミン塩、２−オクチル−１−ドデシルリン酸エステルオクチルアミン塩、２−デシル−１−テトラデシルリン酸エステルオクチルアミン塩、２−（１，３，３−トリメチルブチル）−５，７，７−トリメチル−１−オクチルリン酸エステルオクチルアミン塩、２−（４−メチルヘキシル）−８−メチル−１−デシルリン酸エステルオクチルアミン塩、２−（１，５−ジメチルヘキシル）−５，９−ジメチル−１−デシルリン酸エステルオクチルアミン塩、２−エチル−１−ヘキシルリン酸エステルジオクチルアミン塩、６−メチル−１−ヘキシルリン酸エステルジオクチルアミン塩、７−メチル−１−へプチルリン酸エステルジオクチルアミン塩、２，６−ジメチル−４−ヘプチルリン酸エステルジオクチルアミン塩、２−プロピル−１−へプチルリン酸エステルジオクチルアミン塩、１０−メチル−１−デシルリン酸エステルジオクチルアミン塩、２−ブチル−１−オクチルリン酸エステルジオクチルアミン塩、２−ブチル−１−デシルリン酸エステルジオクチルアミン塩、１１−メチル−１−ドデシルリン酸エステルジオクチルアミン塩、２−ヘキシル−１−オクチルリン酸エステルジオクチルアミン塩、２−ヘキシル−１−デシルリン酸エステルジオクチルアミン塩、２−ヘキシル−１−ドデシルリン酸エステルジオクチルアミン塩、２−オクチル−１−デシルリン酸エステルジオクチルアミン塩、２−オクチル−１−ドデシルリン酸エステルジオクチルアミン塩、２−デシル−１−テトラデシルリン酸エステルジオクチルアミン塩、２−（１，３，３−トリメチルブチル）−５，７，７−トリメチル−１−オクチルリン酸エステルジオクチルアミン塩、２−（４−メチルヘキシル）−８−メチル−１−デシルリン酸エステルジオクチルアミン塩、２−（１，５−ジメチルヘキシル）−５，９−ジメチル−１−デシルリン酸エステルジオクチルアミン塩、２−エチル−１−ヘキシルリン酸エステルジメチルドデシルアミン塩、６−メチル−１−ヘキシルリン酸エステルジメチルドデシルアミン塩、７−メチル−１−へプチルリン酸エステルジメチルドデシルアミン塩、２，６−ジメチル−４−ヘプチルリン酸エステルジメチルドデシルアミン塩、２−プロピル−１−へプチルリン酸エステルジメチルドデシルアミン塩、１０−メチル−１−デシルリン酸エステルジメチルドデシルアミン塩、２−ブチル−１−オクチルリン酸エステルジメチルドデシルアミン塩、２−ブチル−１−デシルリン酸エステルジメチルドデシルアミン塩、１１−メチル−１−ドデシルリン酸エステルジメチルドデシルアミン塩、２−ヘキシル−１−オクチルリン酸エステルジメチルドデシルアミン塩、２−ヘキシル−１−デシルリン酸エステルジメチルドデシルアミン塩、２−ヘキシル−１−ドデシルリン酸エステルジメチルドデシルアミン塩、２−オクチル−１−デシルリン酸エステルジメチルドデシルアミン塩、２−オクチル−１−ドデシルリン酸エステルジメチルドデシルアミン塩、２−デシル−１−テトラデシルリン酸エステルジメチルドデシルアミン塩、２−（１，３，３−トリメチルブチル）−５，７，７−トリメチル−１−オクチルリン酸エステルジメチルドデシルアミン塩、２−（４−メチルヘキシル）−８−メチル−１−デシルリン酸エステルジメチルドデシルアミン塩、２−（１，５−ジメチルヘキシル）−５，９−ジメチル−１−デシルリン酸エステルジメチルドデシルアミン塩、２−エチル−１−ヘキシルリン酸エステルジブチルエタノールアミン塩、６−メチル−１−ヘキシルリン酸エステルジブチルエタノールアミン塩、７−メチル−１−へプチルリン酸エステルジブチルエタノールアミン塩、２，６−ジメチル−４−ヘプチルリン酸エステルジブチルエタノールアミン塩、２−プロピル−１−へプチルリン酸エステルジブチルエタノールアミン塩、１０−メチル−１−デシルリン酸エステルジブチルエタノールアミン塩、２−ブチル−１−オクチルリン酸エステルジブチルエタノールアミン塩、２−ブチル−１−デシルリン酸エステルジブチルエタノールアミン塩、１１−メチル−１−ドデシルリン酸エステルジブチルエタノールアミン塩、２−ヘキシル−１−オクチルリン酸エステルジブチルエタノールアミン塩、２−ヘキシル−１−デシルリン酸エステルジブチルエタノールアミン塩、２−ヘキシル−１−ドデシルリン酸エステルジブチルエタノールアミン塩、２−オクチル−１−デシルリン酸エステルジブチルエタノールアミン塩、２−オクチル−１−ドデシルリン酸エステルジブチルエタノールアミン塩、２−デシル−１−テトラデシルリン酸エステルジブチルエタノールアミン塩、２−（１，３，３−トリメチルブチル）−５，７，７−トリメチル−１−オクチルリン酸エステルジブチルエタノールアミン塩、２−（４−メチルヘキシル）−８−メチル−１−デシルリン酸エステルジブチルエタノールアミン塩、２−（１，５−ジメチルヘキシル）−５，９−ジメチル−１−デシルリン酸エステルジブチルエタノールアミン塩、２−エチル−１−ヘキシルリン酸エステルドデシルジエタノールアミン塩、６−メチル−１−ヘキシルリン酸エステルドデシルジエタノールアミン塩、７−メチル−１−へプチルリン酸エステルドデシルジエタノールアミン塩、２，６−ジメチル−４−ヘプチルリン酸エステルドデシルジエタノールアミン塩、２−プロピル−１−へプチルリン酸エステルドデシルジエタノールアミン塩、１０−メチル−１−デシルリン酸エステルドデシルジエタノールアミン塩、２−ブチル−１−オクチルリン酸エステルドデシルジエタノールアミン塩、２−ブチル−１−デシルリン酸エステルドデシルジエタノールアミン塩、１１−メチル−１−ドデシルリン酸エステルドデシルジエタノールアミン塩、２−ヘキシル−１−オクチルリン酸エステルドデシルジエタノールアミン塩、２−ヘキシル−１−デシルリン酸エステルドデシルジエタノールアミン塩、２−ヘキシル−１−ドデシルリン酸エステルドデシルジエタノールアミン塩、２−オクチル−１−デシルリン酸エステルドデシルジエタノールアミン塩、２−オクチル−１−ドデシルリン酸エステルドデシルジエタノールアミン塩、２−デシル−１−テトラデシルリン酸エステルドデシルジエタノールアミン塩、２−（１，３，３−トリメチルブチル）−５，７，７−トリメチル−１−オクチルリン酸エステルドデシルジエタノールアミン塩、２−（４−メチルヘキシル）−８−メチル−１−デシルリン酸エステルドデシルジエタノールアミン塩、２−（１，５−ジメチルヘキシル）−５，９−ジメチル−１−デシルリン酸エステルドデシルジエタノールアミン塩等の脂肪族アルコールが分岐アルコールであるリン酸エステルアミン塩。
【００２８】
（７）ポリオキシエチレン２モル付加ドデシルエーテルリン酸エステルナトリウム塩、ポリオキシエチレン４モル付加デシルエーテルリン酸エステルナトリウム塩、ポリオキシエチレン２モル付加ドデシルエーテルリン酸エステルカリウム塩、ポリオキシエチレン４モル付加デシルエーテルリン酸エステルカリウム塩等の直鎖アルコール１モルに対し炭素数２〜４のアルキレンオキサイドを１〜１０モルの割合で付加させたものを原料としたリン酸エステルのアルカリ金属塩
（８）ポリオキシエチレン２モル付加ドデシルエーテルリン酸エステルマグネシウム塩、ポリオキシエチレン４モル付加デシルエーテルリン酸エステルマグネシウム塩、ポリオキシエチレン２モル付加ドデシルエーテルリン酸エステルカルシウム塩、ポリオキシエチレン４モル付加デシルエーテルリン酸エステルカルシウム塩等の直鎖アルコール１モルに対し炭素数２〜４のアルキレンオキサイドを１〜１０モルの割合で付加させたものを原料としたリン酸エステルのアルカリ土類金属塩
（９）ポリオキシエチレン２モル付加ドデシルエーテルリン酸エステルオクチルアミン塩、ポリオキシエチレン４モル付加デシルエーテルリン酸エステルオクチルアミン塩、ポリオキシエチレン２モル付加ドデシルエーテルリン酸エステルジオクチルアミン塩、ポリオキシエチレン４モル付加デシルエーテルリン酸エステルジオクチルアミン塩、ポリオキシエチレン２モル付加ドデシルエーテルリン酸エステルジメチルドデシルアミン塩、ポリオキシエチレン４モル付加デシルエーテルリン酸エステルジメチルドデシルアミン塩、ポリオキシエチレン２モル付加ドデシルエーテルリン酸エステルジブチルエタノールアミン塩、ポリオキシエチレン４モル付加デシルエーテルリン酸エステルジブチルエタノールアミン塩、ポリオキシエチレン２モル付加ドデシルエーテルリン酸エステルドデシルジエタノールアミン塩、ポリオキシエチレン４モル付加デシルエーテルリン酸エステルドデシルジエタノールアミン塩等の直鎖アルコール１モルに対し炭素数２〜４のアルキレンオキサイドを１〜１０モルの割合で付加させたものを原料としたリン酸エステルのアミン塩。
【００２９】
（１０）ポリオキシエチレン２モル付加２−エチル−１−ヘキシルエーテルリン酸エステルカリウム塩、ポリオキシエチレン２モル付加２−ヘキシル−１−デシルエーテルリン酸エステルカリウム塩、ポリオキシエチレン２モル付加２−オクチル−１−デシルエーテルリン酸エステルカリウム塩、ポリオキシエチレン２モル付加２−ヘキシル−１−ドデシルエーテルリン酸エステルカリウム塩、ポリオキシエチレン２モル付加２−オクチル−１−ドデシルエーテルリン酸エステルカリウム塩、ポリオキシエチレン５モル付加２−ヘキシル−１−デシルエーテルリン酸エステルカリウム塩、ポリオキシエチレン４モル付加ポリオキシプロピレン３モル付加２−ブチル−１−オクチルエーテルリン酸エステルカリウム塩、ポリオキシエチレン２モル付加２−エチル−１−ヘキシルエーテルリン酸エステルナトリウム塩、ポリオキシエチレン２モル付加２−ヘキシル−１−デシルエーテルリン酸エステルナトリウム塩、ポリオキシエチレン２モル付加２−オクチル−１−デシルエーテルリン酸エステルナトリウム塩、ポリオキシエチレン２モル付加２−ヘキシル−１−ドデシルエーテルリン酸エステルナトリウム塩、ポリオキシエチレン２モル付加２−オクチル−１−ドデシルエーテルリン酸エステルナトリウム塩、ポリオキシエチレン５モル付加２−ヘキシル−１−デシルエーテルリン酸エステルナトリウム塩、ポリオキシエチレン４モル付加ポリオキシプロピレン３モル付加２−ブチル−１−オクチルエーテルリン酸エステルナトリウム塩等の分岐アルコール１モルに対し炭素数２〜４のアルキレンオキサイドを１〜１０モルの割合で付加させたものを原料としたリン酸エステルのアルカリ金属塩。
【００３０】
（１１）ポリオキシエチレン２モル付加２−エチル−１−ヘキシルエーテルリン酸エステルマグネシウム塩、ポリオキシエチレン２モル付加２−ヘキシル−１−デシルエーテルリン酸エステルマグネシウム塩、ポリオキシエチレン２モル付加２−オクチル−１−デシルエーテルリン酸エステルマグネシウム塩、ポリオキシエチレン２モル付加２−ヘキシル−１−ドデシルエーテルリン酸エステルマグネシウム塩、ポリオキシエチレン２モル付加２−オクチル−１−ドデシルエーテルリン酸エステルマグネシウム塩、ポリオキシエチレン５モル付加２−ヘキシル−１−デシルエーテルリン酸エステルマグネシウム塩、ポリオキシエチレン４モル付加ポリオキシプロピレン３モル付加２−ブチル−１−オクチルエーテルリン酸エステルマグネシウム塩、ポリオキシエチレン２モル付加２−エチル−１−ヘキシルエーテルリン酸エステルカルシウム塩、ポリオキシエチレン２モル付加２−ヘキシル−１−デシルエーテルリン酸エステルカルシウム塩、ポリオキシエチレン２モル付加２−オクチル−１−デシルエーテルリン酸エステルカルシウム塩、ポリオキシエチレン２モル付加２−ヘキシル−１−ドデシルエーテルリン酸エステルカルシウム塩、ポリオキシエチレン２モル付加２−オクチル−１−ドデシルエーテルリン酸エステルカルシウム塩、ポリオキシエチレン５モル付加２−ヘキシル−１−デシルエーテルリン酸エステルカルシウム塩、ポリオキシエチレン４モル付加ポリオキシプロピレン３モル付加２−ブチル−１−オクチルエーテルリン酸エステルカルシウム塩等の分岐アルコール１モルに対し炭素数２〜４のアルキレンオキサイドを１〜１０モルの割合で付加させたものを原料としたリン酸エステルのアルカリ土類金属塩。
【００３１】
（１２）ポリオキシエチレン２モル付加２−エチル−１−ヘキシルエーテルリン酸エステルオクチルアミン塩、ポリオキシエチレン２モル付加２−ヘキシル−１−デシルエーテルリン酸エステルオクチルアミン塩、ポリオキシエチレン２モル付加２−オクチル−１−デシルエーテルリン酸エステルオクチルアミン塩、ポリオキシエチレン２モル付加２−ヘキシル−１−ドデシルエーテルリン酸エステルオクチルアミン塩、ポリオキシエチレン２モル付加２−オクチル−１−ドデシルエーテルリン酸エステルオクチルアミン塩、ポリオキシエチレン５モル付加２−ヘキシル−１−デシルエーテルリン酸エステルオクチルアミン塩、ポリオキシエチレン４モル付加ポリオキシプロピレン３モル付加２−ブチル−１−オクチルエーテルリン酸エステルオクチルアミン塩、ポリオキシエチレン２モル付加２−エチル−１−ヘキシルエーテルリン酸エステルジオクチルアミン塩、ポリオキシエチレン２モル付加２−ヘキシル−１−デシルエーテルリン酸エステルジオクチルアミン塩、ポリオキシエチレン２モル付加２−オクチル−１−デシルエーテルリン酸エステルジオクチルアミン塩、ポリオキシエチレン２モル付加２−ヘキシル−１−ドデシルエーテルリン酸エステルジオクチルアミン塩、ポリオキシエチレン２モル付加２−オクチル−１−ドデシルエーテルリン酸エステルジオクチルアミン塩、ポリオキシエチレン５モル付加２−ヘキシル−１−デシルエーテルリン酸エステルジオクチルアミン塩、ポリオキシエチレン４モル付加ポリオキシプロピレン３モル付加２−ブチル−１−オクチルエーテルリン酸エステルジオクチルアミン塩、ポリオキシエチレン２モル付加２−エチル−１−ヘキシルエーテルリン酸エステルジメチルドデシルアミン塩、ポリオキシエチレン２モル付加２−ヘキシル−１−デシルエーテルリン酸エステルジメチルドデシルアミン塩、ポリオキシエチレン２モル付加２−オクチル−１−デシルエーテルリン酸エステルジメチルドデシルアミン塩、ポリオキシエチレン２モル付加２−ヘキシル−１−ドデシルエーテルリン酸エステルジメチルドデシルアミン塩、ポリオキシエチレン２モル付加２−オクチル−１−ドデシルエーテルリン酸エステルジメチルドデシルアミン塩、ポリオキシエチレン５モル付加２−ヘキシル−１−デシルエーテルリン酸エステルジメチルドデシルアミン塩、ポリオキシエチレン４モル付加ポリオキシプロピレン３モル付加２−ブチル−１−オクチルエーテルリン酸エステルジメチルドデシルアミン塩、ポリオキシエチレン２モル付加２−エチル−１−ヘキシルエーテルリン酸エステルジブチルエタノールアミン塩、ポリオキシエチレン２モル付加２−ヘキシル−１−デシルエーテルリン酸エステルジブチルエタノールアミン塩、ポリオキシエチレン２モル付加２−オクチル−１−デシルエーテルリン酸エステルジブチルエタノールアミン塩、ポリオキシエチレン２モル付加２−ヘキシル−１−ドデシルエーテルリン酸エステルジブチルエタノールアミン塩、ポリオキシエチレン２モル付加２−オクチル−１−ドデシルエーテルリン酸エステルジブチルエタノールアミン塩、ポリオキシエチレン５モル付加２−ヘキシル−１−デシルエーテルリン酸エステルジブチルエタノールアミン塩、ポリオキシエチレン４モル付加ポリオキシプロピレン３モル付加２−ブチル−１−オクチルエーテルリン酸エステルジブチルエタノールアミン塩、ポリオキシエチレン２モル付加２−エチル−１−ヘキシルエーテルリン酸エステルドデシルジエタノールアミン塩、ポリオキシエチレン２モル付加２−ヘキシル−１−デシルエーテルリン酸エステルドデシルジエタノールアミン塩、ポリオキシエチレン２モル付加２−オクチル−１−デシルエーテルリン酸エステルドデシルジエタノールアミン塩、ポリオキシエチレン２モル付加２−ヘキシル−１−ドデシルエーテルリン酸エステルドデシルジエタノールアミン塩、ポリオキシエチレン２モル付加２−オクチル−１−ドデシルエーテルリン酸エステルドデシルジエタノールアミン塩、ポリオキシエチレン５モル付加２−ヘキシル−１−デシルエーテルリン酸エステルドデシルジエタノールアミン塩、ポリオキシエチレン４モル付加ポリオキシプロピレン３モル付加２−ブチル−１−オクチルエーテルリン酸エステルドデシルジエタノールアミン塩等の分岐アルコール１モルに対し炭素数２〜４のアルキレンオキサイドを１〜１０モルの割合で付加させたものを原料としたリン酸エステルのアミン塩。
【００３２】
（１３）ヘキシルリン酸エステル、オクチルリン酸エステル、デシルリン酸エステル、ドデシルリン酸エステル、トリデシルリン酸エステル、テトラデシルリン酸エステル、ペンタデシルリン酸エステル、ヘキサデシルリン酸エステル、ヘプタデシルリン酸エステル、オクタデシルリン酸エステル、ベヘニルリン酸エステル、トリオクタコサニルリン酸エステル、オクタデセニルリン酸エステル等の脂肪族アルコールが直鎖アルコールのリン酸エステル。
【００３３】
（１４）２−エチル−１−ヘキシルリン酸エステル、６−メチル−１−ヘキシルリン酸エステル、７−メチル−１−へプチルリン酸エステル、２，６−ジメチル−４−ヘプチルリン酸エステル、２−プロピル−１−へプチルリン酸エステル、１０−メチル−１−デシルリン酸エステル、２−ブチル−１−オクチルリン酸エステル、２−ブチル−１−デシルリン酸エステル、１１−メチル−１−ドデシルリン酸エステル、２−ヘキシル−１−オクチルリン酸エステル、２−ヘキシル−１−デシルリン酸エステル、２−ヘキシル−１−ドデシルリン酸エステル、２−オクチル−１−デシルリン酸エステル、２−オクチル−１−ドデシルリン酸エステル、２−デシル−１−テトラデシルリン酸エステル、２−（１，３，３−トリメチルブチル）−５，７，７−トリメチル−１−オクチルリン酸エステル、２−（４−メチルヘキシル）−８−メチル−１−デシルリン酸エステル、２−（１，５−ジメチルヘキシル）−５，９−ジメチル−１−デシルリン酸エステル等の脂肪族アルコールが分岐アルコールであるリン酸エステル。
【００３４】
（１５）メタンスルホン酸のナトリウム塩、フルオロスルホン酸のナトリウム塩、オクチルスルホン酸のナトリウム塩、ベンゼンスルホン酸のナトリウム塩、ｐ−トルエンスルホン酸のナトリウム塩、ドデシル−６−スルホン酸のナトリウム塩、テトラデシル−７−スルホン酸のナトリウム塩、ヘキサデシル−８−スルホン酸のナトリウム塩、オクタデシル−９−スルホン酸のナトリウム塩、分岐ノニルベンゼンスルホン酸のナトリウム塩、直鎖デシルベンゼンスルホン酸のナトリウム塩、分岐デシルベンゼンスルホン酸のナトリウム塩、直鎖ドデシルベンゼンスルホン酸のナトリウム塩、分岐ドデシルベンゼンスルホン酸のナトリウム塩、分岐トリデシルベンゼンスルホン酸のナトリウム塩、直鎖テトラデシルベンゼンスルホン酸のナトリウム塩、分岐テトラデシルベンゼンスルホン酸のナトリウム塩、分岐ヘキサデシルベンゼンスルホン酸のナトリウム塩、ジ（２−エチルヘキシル）スルホコハク酸のナトリウム塩、ジドデシルスルホコハク酸のナトリウム塩、メタンスルホン酸のカリウム塩、フルオロスルホン酸のカリウム塩、オクチルスルホン酸のカリウム塩、ベンゼンスルホン酸のカリウム塩、ｐ−トルエンスルホン酸のカリウム塩、ドデシル−６−スルホン酸のカリウム塩、テトラデシル−７−スルホン酸のカリウム塩、ヘキサデシル−８−スルホン酸のカリウム塩、オクタデシル−９−スルホン酸のカリウム塩、分岐ノニルベンゼンスルホン酸のカリウム塩、直鎖デシルベンゼンスルホン酸のカリウム塩、分岐デシルベンゼンスルホン酸のカリウム塩、直鎖ドデシルベンゼンスルホン酸のカリウム塩、分岐ドデシルベンゼンスルホン酸のカリウム塩、分岐トリデシルベンゼンスルホン酸のカリウム塩、直鎖テトラデシルベンゼンスルホン酸のカリウム塩、分岐テトラデシルベンゼンスルホン酸のカリウム塩、分岐ヘキサデシルベンゼンスルホン酸のカリウム塩、ジ（２−エチルヘキシル）スルホコハク酸のカリウム塩、ジドデシルスルホコハク酸のカリウム塩、メタンスルホン酸のマグネシウム塩、フルオロスルホン酸のマグネシウム塩、オクチルスルホン酸のマグネシウム塩、ベンゼンスルホン酸のマグネシウム塩、ｐ−トルエンスルホン酸のマグネシウム塩、ドデシル−６−スルホン酸のマグネシウム塩、テトラデシル−７−スルホン酸のマグネシウム塩、ヘキサデシル−８−スルホン酸のマグネシウム塩、オクタデシル−９−スルホン酸のマグネシウム塩、分岐ノニルベンゼンスルホン酸のマグネシウム塩、直鎖デシルベンゼンスルホン酸のマグネシウム塩、分岐デシルベンゼンスルホン酸のマグネシウム塩、直鎖ドデシルベンゼンスルホン酸のマグネシウム塩、分岐ドデシルベンゼンスルホン酸のマグネシウム塩、分岐トリデシルベンゼンスルホン酸のマグネシウム塩、直鎖テトラデシルベンゼンスルホン酸のマグネシウム塩、分岐テトラデシルベンゼンスルホン酸のマグネシウム塩、分岐ヘキサデシルベンゼンスルホン酸のマグネシウム塩、ジ（２−エチルヘキシル）スルホコハク酸のマグネシウム塩、ジドデシルスルホコハク酸のマグネシウム塩、メタンスルホン酸のカルシウム塩、フルオロスルホン酸のカルシウム塩、オクチルスルホン酸のカルシウム塩、ベンゼンスルホン酸のカルシウム塩、ｐ−トルエンスルホン酸のカルシウム塩、ドデシル−６−スルホン酸のカルシウム塩、テトラデシル−７−スルホン酸のカルシウム塩、ヘキサデシル−８−スルホン酸のカルシウム塩、オクタデシル−９−スルホン酸のカルシウム塩、分岐ノニルベンゼンスルホン酸のカルシウム塩、直鎖デシルベンゼンスルホン酸のカルシウム塩、分岐デシルベンゼンスルホン酸のカルシウム塩、直鎖ドデシルベンゼンスルホン酸のカルシウム塩、分岐ドデシルベンゼンスルホン酸のカルシウム塩、分岐トリデシルベンゼンスルホン酸のカルシウム塩、直鎖テトラデシルベンゼンスルホン酸のカルシウム塩、分岐テトラデシルベンゼンスルホン酸のカルシウム塩、分岐ヘキサデシルベンゼンスルホン酸のカルシウム塩、ジ（２−エチルヘキシル）スルホコハク酸のカルシウム塩、ジドデシルスルホコハク酸のカルシウム塩などのスルホン酸の金属塩。
【００３５】
（１６）メタンスルホン酸のテトラブチルアンモニウム塩、フルオロスルホン酸のテトラブチルアンモニウム塩、オクチルスルホン酸のテトラブチルアンモニウム塩、ベンゼンスルホン酸のテトラブチルアンモニウム塩、ｐ−トルエンスルホン酸のテトラブチルアンモニウム塩、ドデシル−６−スルホン酸のテトラブチルアンモニウム塩、テトラデシル−７−スルホン酸のテトラブチルアンモニウム塩、ヘキサデシル−８−スルホン酸のテトラブチルアンモニウム塩、オクタデシル−９−スルホン酸のテトラブチルアンモニウム塩、分岐ノニルベンゼンスルホン酸のテトラブチルアンモニウム塩、直鎖デシルベンゼンスルホン酸のテトラブチルアンモニウム塩、分岐デシルベンゼンスルホン酸のテトラブチルアンモニウム塩、直鎖ドデシルベンゼンスルホン酸のテトラブチルアンモニウム塩、分岐ドデシルベンゼンスルホン酸のテトラブチルアンモニウム塩、分岐トリデシルベンゼンスルホン酸のテトラブチルアンモニウム塩、直鎖テトラデシルベンゼンスルホン酸のテトラブチルアンモニウム塩、分岐テトラデシルベンゼンスルホン酸のテトラブチルアンモニウム塩、分岐ヘキサデシルベンゼンスルホン酸のテトラブチルアンモニウム塩、ジ（２−エチルヘキシル）スルホコハク酸のテトラブチルアンモニウム塩、ジドデシルスルホコハク酸のテトラブチルアンモニウム塩、メタンスルホン酸のテトラブチルホスホニウム塩、フルオロスルホン酸のテトラブチルホスホニウム塩、オクチルスルホン酸のテトラブチルホスホニウム塩、ベンゼンスルホン酸のテトラブチルホスホニウム塩、ｐ−トルエンスルホン酸のテトラブチルホスホニウム塩、ドデシル−６−スルホン酸のテトラブチルホスホニウム塩、テトラデシル−７−スルホン酸のテトラブチルホスホニウム塩、ヘキサデシル−８−スルホン酸のテトラブチルホスホニウム塩、オクタデシル−９−スルホン酸のテトラブチルホスホニウム塩、分岐ノニルベンゼンスルホン酸のテトラブチルホスホニウム塩、直鎖デシルベンゼンスルホン酸のテトラブチルホスホニウム塩、分岐デシルベンゼンスルホン酸のテトラブチルホスホニウム塩、直鎖ドデシルベンゼンスルホン酸のテトラブチルホスホニウム塩、分岐ドデシルベンゼンスルホン酸のテトラブチルホスホニウム塩、分岐トリデシルベンゼンスルホン酸のテトラブチルホスホニウム塩、直鎖テトラデシルベンゼンスルホン酸のテトラブチルホスホニウム塩、分岐テトラデシルベンゼンスルホン酸のテトラブチルホスホニウム塩、分岐ヘキサデシルベンゼンスルホン酸のテトラブチルホスホニウム塩、ジ（２−エチルヘキシル）スルホコハク酸のテトラブチルホスホニウム塩、ジドデシルスルホコハク酸のテトラブチルホスホニウム塩、メタンスルホン酸のオクチルジメチルエチルアンモニウム塩、メタンスルホン酸のジドデシルジメチルアンモニウム塩、メタンスルホン酸のジデシルジメチルアンモニウム塩、メタンスルホン酸のオクチルジメチルヒドロキシエチルアンモニウム塩、メタンスルホン酸のドデシルジメチルヒドロキシエチルアンモニウム塩、メタンスルホン酸のジデシルメチルヒドロキシエチルアンモニウム塩等のスルホン酸のオニウム塩。
【００３６】
（１７）ラウリン酸ジメチルアミノプロピルアミドのジメチル硫酸４級化物、ステアリン酸ジメチルアミノプロピルアミドのジメチル硫酸４級化物、イソステアリン酸ジメチルアミノプロピルアミドのジメチル硫酸４級化物等のジメチル硫酸４級化物、１−メチル−２−（ヘプタデセニル）−４，５−ジハイドロ−３−（２−ハイドロキシエチル）−１Ｈ−イミダゾリニウムのメチル硫酸塩、１−メチル−２−（ヘプタデシル）−４，５−ジハイドロ−３−（２−ハイドロキシエチル）−１Ｈ−イミダゾリニウムのメチル硫酸塩、１−メチル−２−（イソヘプタデシル）−４，５−ジハイドロ−３−（２−ハイドロキシエチル）−１Ｈ−イミダゾリニウムのメチル硫酸塩、１−メチル−２−（ペンタデシル）−４，５−ジハイドロ−３−（２−ハイドロキシエチル）−１Ｈ−イミダゾリニウムのメチル硫酸塩、１−メチル−２−（ヘプタデセニル）−４，５−ジハイドロ−３−（オクタデセニルアミドエチル）−１Ｈ−イミダゾリニウムのメチル硫酸塩、１−メチル−２−（ヘプタデセニル）−４，５−ジハイドロ−３−（オクタデシルアミドエチル）−１Ｈ−イミダゾリニウムのメチル硫酸塩、１−メチル−２−（ヘプタデセニル）−４，５−ジハイドロ−３−（イソオクタデシルアミドエチル）−１Ｈ−イミダゾリニウムのメチル硫酸塩、１−メチル−２−（ヘプタデシル）−４，５−ジハイドロ−３−（オクタデセニルアミドエチル）−１Ｈ−イミダゾリニウムのメチル硫酸塩、１−メチル−２−（ヘプタデシル）−４，５−ジハイドロ−３−（オクタデシルアミドエチル）−１Ｈ−イミダゾリニウムのメチル硫酸塩、３−メチル−２−（ヘプタデセニル）−４，５−ジハイドロ−３−（２−ハイドロキシエチル）−１Ｈ−イミダゾリウムのメチル硫酸塩、３−メチル−２−（ヘプタデシル）−４，５−ジハイドロ−３−（２−ハイドロキシエチル）−１Ｈ−イミダゾリウムのメチル硫酸塩、３−メチル−２−（イソヘプタデシル）−４，５−ジハイドロ−３−（２−ハイドロキシエチル）−１Ｈ−イミダゾリウムのメチル硫酸塩、３−メチル−２−（ペンタデシル）−４，５−ジハイドロ−３−（２−ハイドロキシエチル）−１Ｈ−イミダゾリニウムのメチル硫酸塩、１−メチル−３−（オクタデシル）−２，４，５−トリハイドロ−１Ｈ−イミダゾリウムのメチル硫酸塩、１−メチル−３−（イソオクタデシル）−２，４，５−トリハイドロ−１Ｈ−イミダゾリウムのメチル硫酸塩、１−メチル−３−（オクタデセニル）−２，４，５−トリハイドロ−１Ｈ−イミダゾリウムのメチル硫酸塩、１−メチル−３−（ヘキサデシル）−２，４，５−トリハイドロ−１Ｈ−イミダゾリウムのメチル硫酸塩、Ｎ−ヘキサデシル−Ｎ−メチル−モルフォリニウムのメチル硫酸塩、Ｎ−オクタデシル−Ｎ−メチル−モルフォリニウムのメチル硫酸塩、Ｎ−オクタデセニル−Ｎ−メチル−モルフォリニウムのメチル硫酸塩、Ｎ，Ｎ−ジメチル−Ｎ，Ｎ−ジオクチル−アンモニウムのメチル硫酸塩、Ｎ，Ｎ−ジメチル−Ｎ，Ｎ−ジドデシル−Ｎ−アンモニウムのメチル硫酸塩、Ｎ，Ｎ−ジメチル−Ｎ，Ｎ−ジオクタデシル−アンモニウムのメチル硫酸塩、Ｎ，Ｎ−ジメチル−Ｎ，Ｎ−ジイソオクタデシル−Ｎ−アンモニウムのメチル硫酸塩、Ｎ，Ｎ−ジメチル−Ｎ−オクチル−Ｎ−（２−ハイドロキシエチル）−アンモニウムのメチル硫酸塩、Ｎ，Ｎ−ジメチル−Ｎ−ドデシル−Ｎ−（２−ハイドロキシエチル）−アンモニウムのメチル硫酸塩、Ｎ，Ｎ−ジメチル−Ｎ−ヘキサデシル−Ｎ−（２−ハイドロキシエチル）−アンモニウムのメチル硫酸塩、Ｎ，Ｎ−ジメチル−Ｎ−オクタデシル−Ｎ−（２−ハイドロキシエチル）−アンモニウムのメチル硫酸塩、Ｎ，Ｎ−ジメチル−Ｎ−イソオクタデシル−Ｎ−（２−ハイドロキシエチル）−アンモニウムのメチル硫酸塩、オクチルジメチルエチルアンモニウムのメチル硫酸塩、ドデシルジメチルアンモニウムのメチル硫酸塩、ジデシルジメチルアンモニウムのメチル硫酸塩、オクチルジメチルエタノールアンモニウムのメチル硫酸塩、ドデシルジメチルエタノールアンモニウムのメチル硫酸塩、ジデシルメチルエタノールアンモニウムのメチル硫酸塩等のジメチル硫酸４級化物。
【００３７】
（１８）ラウリン酸ジメチルアミノプロピルアミドのジエチル硫酸４級化物、ステアリン酸ジメチルアミノプロピルアミドのジエチル硫酸４級化物、イソステアリン酸ジメチルアミノプロピルアミドのジエチル硫酸４級化物等のジエチル硫酸４級化物、１−エチル−２−（ヘプタデセニル）−４，５−ジハイドロ−３−（２−ハイドロキシエチル）−１Ｈ−イミダゾリニウムのエチル硫酸塩、１−エチル−２−（ヘプタデシル）−４，５−ジハイドロ−３−（２−ハイドロキシエチル）−１Ｈ−イミダゾリニウムのエチル硫酸塩、１−エチル−２−（イソヘプタデシル）−４，５−ジハイドロ−３−（２−ハイドロキシエチル）−１Ｈ−イミダゾリニウムのエチル硫酸塩、１−エチル−２−（ペンタデシル）−４，５−ジハイドロ−３−（２−ハイドロキシエチル）−１Ｈ−イミダゾリニウムのエチル硫酸塩、１−エチル−２−（ヘプタデセニル）−４，５−ジハイドロ−３−（オクタデセニルアミドエチル）−１Ｈ−イミダゾリニウムのエチル硫酸塩、１−エチル−２−（ヘプタデセニル）−４，５−ジハイドロ−３−（オクタデシルアミドエチル）−１Ｈ−イミダゾリニウムのエチル硫酸塩、１−エチル−２−（ヘプタデセニル）−４，５−ジハイドロ−３−（イソオクタデシルアミドエチル）−１Ｈ−イミダゾリニウムのエチル硫酸塩、１−エチル−２−（ヘプタデシル）−４，５−ジハイドロ−３−（オクタデセニルアミドエチル）−１Ｈ−イミダゾリニウムのエチル硫酸塩、１−エチル−２−（ヘプタデシル）−４，５−ジハイドロ−３−（オクタデシルアミドエチル）−１Ｈ−イミダゾリニウムのエチル硫酸塩、３−エチル−２−（ヘプタデセニル）−４，５−ジハイドロ−３−（２−ハイドロキシエチル）−１Ｈ−イミダゾリウムのエチル硫酸塩、３−エチル−２−（ヘプタデシル）−４，５−ジハイドロ−３−（２−ハイドロキシエチル）−１Ｈ−イミダゾリウムのエチル硫酸塩、３−エチル−２−（イソヘプタデシル）−４，５−ジハイドロ−３−（２−ハイドロキシエチル）−１Ｈ−イミダゾリウムのエチル硫酸塩、３−エチル−２−（ペンタデシル）−４，５−ジハイドロ−３−（２−ハイドロキシエチル）−１Ｈ−イミダゾリニウムのエチル硫酸塩、１−エチル−３−（オクタデシル）−２，４，５−トリハイドロ−１Ｈ−イミダゾリウムのエチル硫酸塩、１−エチル−３−（イソオクタデシル）−２，４，５−トリハイドロ−１Ｈ−イミダゾリウムのエチル硫酸塩、１−エチル−３−（オクタデセニル）−２，４，５−トリハイドロ−１Ｈ−イミダゾリウムのエチル硫酸塩、１−エチル−３−（ヘキサデシル）−２，４，５−トリハイドロ−１Ｈ−イミダゾリウムのエチル硫酸塩、Ｎ−ヘキサデシル−Ｎ−エチル−モルフォリニウムのエチル硫酸塩、Ｎ−オクタデシル−Ｎ−エチル−モルフォリニウムのエチル硫酸塩、Ｎ−オクタデセニル−Ｎ−エチル−モルフォリニウムのエチル硫酸塩、Ｎ−メチル−Ｎ−エチル−Ｎ，Ｎ−ジオクチル−アンモニウムのエチル硫酸塩、Ｎ−メチル−Ｎ−エチル−Ｎ，Ｎ−ジドデシル−Ｎ−アンモニウムのエチル硫酸塩、Ｎ−メチル−Ｎ−エチル−Ｎ，Ｎ−ジオクタデシル−アンモニウムのエチル硫酸塩、Ｎ−メチル−Ｎ−エチル−Ｎ，Ｎ−ジイソオクタデシル−Ｎ−アンモニウムのエチル硫酸塩、Ｎ−メチル−Ｎ−エチル−Ｎ−オクチル−Ｎ−（２−ハイドロキシエチル）−アンモニウムのエチル硫酸塩、Ｎ−メチル−Ｎ−エチル−Ｎ−ドデシル−Ｎ−（２−ハイドロキシエチル）−アンモニウムのエチル硫酸塩、Ｎ−メチル−Ｎ−エチル−Ｎ−ヘキサデシル−Ｎ−（２−ハイドロキシエチル）−アンモニウムのエチル硫酸塩、Ｎ−メチル−Ｎ−エチル−Ｎ−オクタデシル−Ｎ−（２−ハイドロキシエチル）−アンモニウムのエチル硫酸塩、Ｎ−メチル−Ｎ−エチル−Ｎ−イソオクタデシル−Ｎ−（２−ハイドロキシエチル）−アンモニウムのエチル硫酸塩等のジエチル硫酸４級化物から選ばれる少なくとも一つが挙げられる。
【００３８】
なかでも、上記の（４）、（５）、（６）、（１０）、（１１）、（１２）、（１４）、（１５）、（１６）、（１７）、（１８）に分類される化合物から選ばれる少なくとも一つであることが好ましい。
【００３９】
（膠着防止剤）
本発明には解舒性を強化する目的で用いられる膠着防止剤が含有されていてもよい。膠着防止剤としては、例えば、タルク、ハイドロタルサイト、シリカ、シリコーンレジン、固体パラフィンワックス、メチレンビスステアリルアミド、エチレンビスステアリルアミド、ウレタンワックス、モンタン酸ワックス、高級脂肪酸金属塩等が挙げられるが、なかでもシリコーンレジン、高級脂肪酸金属塩から選ばれる少なくとも１種が好ましく、ＧＰＣによる重量平均分子量が３０００〜１０００００のシリコーンレジン及び炭素数１０〜２２の脂肪酸のアルカリ土類金属塩から選ばれる少なくとも１種が更に好ましい。
【００４０】
ＧＰＣによる重量平均分子量は以下の測定条件にて求めることができる。
機種      ：ＨＬＣ−８１２０ＧＰＣ（東ソー株式会社製液体クロマトグラフ）
カラム    ：ＴＳＫ  ｇｅｌ  Ｓｕｐｅｒ  Ｈ４０００（東ソー株式会社製）
＋ＴＳＫ  ｇｅｌ  Ｓｕｐｅｒ  Ｈ３０００（東ソー株式会社製）
＋ＴＳＫ  ｇｅｌ  Ｓｕｐｅｒ  Ｈ２０００（東ソー株式会社製）
カラム温度：４０℃
検出器    ：ＲＩ（Ｒｅｆｒａｃｔｉｖｅ  Ｉｎｄｅｘ）
溶媒      ：テトラヒドロフラン
流速      ：０．５ｍｌ／分
試料濃度  ：０．２５質量％
注入量    ：１０μｌ
標準      ：ポリスチレン（東ソー株式会社製；ＴＳＫ  ＳＴＡＮＤＡＲＤ  ＰＯＬＹＳＴＹＲＥＮＥ）
シリコーンレジンに関しては、ＭＱシリコーンレジン、ＭＤＱシリコーンレジン、Ｔシリコーンレジン及びＭＴＱシリコーンレジンから選ばれる少なくとも一つであることが好ましく、Ｍ／Ｑ比が０．５〜１．５である場合のものが最も好ましい。炭素数１０〜２２の脂肪酸のアルカリ土類金属塩に関しては、ステアリン酸マグネシウムであることが好ましい。ステアリン酸マグネシウムとしては特に制限はなく、何れのメーカーの商品でも使用できるが、例えば、株式会社サンエース社製のＳＡＫ−ＭＳ−Ｐ、日油株式会社製のマグネシウムステアレートＧ、日油株式会社製のマグネシウムステアレートＧＦ−２００、日油株式会社製のマグネシウムステアレートＧＲ、日油株式会社製の工マグネシウムステアレート、日油株式会社製の日局ステアリン酸マグネシウム、日東化成工業株式会社製のＭｇ−Ｓｔ、日東化成工業株式会社製のＭｇ−ＬＦ、株式会社サンエース社製のＳＡＫ−ＭＳ−Ｐ／ＵＳＰ等の製品が挙げられる。
【００４１】
ここで、シリコーンレジンに関して記載したＭ、Ｄ、Ｔ、Ｑについて説明する。これらの表記方法はシリコーンレジンを構成する成分の表記方法として一般的に使用されており、Ｍとは、１官能性構成単位Ｒ５Ｒ６Ｒ７ＳｉＯ１／２であり、Ｄとは、２官能性構成単位Ｒ８Ｒ９ＳｉＯ２／２であり、Ｔとは、３官能性構成単位Ｒ１０ＳｉＯ３／２であり、Ｑとは、４官能性構成単位ＳｉＯ４／２である。Ｒ５〜Ｒ１０は炭素数１〜２４の炭化水素基、−ＲａＮＨＲｂＮＨ２（式中、ＲａおよびＲｂは炭素数２又は３の炭化水素基）や−ＲｃＮＨ２（式中、Ｒｃは炭素数２又は３の炭化水素基）等で示される有機アミノ基、ビニル基、カルビノール基である。
【００４２】
（その他の成分）
本発明の処理剤には、本発明の効果を損なわない範囲内にて、必要に応じその他の成分を併用することもできる。かかるその他の成分としては、アミノ変性ポリジメチルシロキサン、ポリエーテル変性ポリジメチルシロキサン、カルボキシ変性ポリジメチルシロキサン、エポキシ変性ポリジメチルシロキサン、メルカプト変性ポリジメチルシロキサン、アルキル変性ポリジメチルシロキサン、エステル変性ポリジメチルシロキサン等の変性シリコーンオイル、非イオン性界面活性剤や高級アルコールに代表されるつなぎ剤、濡れ性向上剤、紫外線吸収剤、酸化防止剤、防腐剤等、繊維処理剤として公知の成分が挙げられる。
【００４３】
以上説明した本発明の処理剤に使用される特定ヒドロキシ末端ポリジメチルシロキサン、特定ヒドロキシ末端ポリジメチルシロキサン以外のシリコーン、鉱物油、エステル、帯電防止剤、膠着防止剤等の各成分はいずれも公知の方法によって容易に製造できる。本発明の処理剤の調製それ自体には、公知の方法を適用できる。
【００４４】
本発明の処理剤の調製それ自体には、公知の方法を適用できる。
本発明の処理剤の動粘度に特に制限は無いが、給油時の処理剤の飛散や粘性抵抗による断糸発生有無の観点から２５℃で２〜１００ｍｍ２／ｓが好ましい。
【００４５】
次に、本発明に係る合成繊維（以下、本発明の合成繊維という）について説明する。本発明の合成繊維は、本発明の処理剤が付着している合成繊維である。合成繊維に対する本発明の処理剤の付着量については特に制限はないが、０．１〜１０質量％の割合で付着していることが好ましい。
【００４６】
合成繊維としては、例えば１）ポリエチレンテレフタレート、ポリプロピレンテレフタレート、ポリ乳酸エステル等のポリエステル系繊維、２）ナイロン６、ナイロン６６等のポリアミド系繊維、３）ポリアクリル、モダアクリル等のポリアクリル系繊維、４）ポリエチレン、ポリプロピレン等のポリオレフィン系繊維、５）ポリエステル、ポリアミド、ポリオレフィン、ポリウレタン等の弾性繊維等が挙げられるが、なかでも弾性繊維が好ましく、ポリウレタン系弾性繊維が更に好ましい。
【００４７】
また、本発明の処理剤の給油方法としては、希釈することなくニート給油法により、合成繊維の紡糸工程において合成繊維に付着させる方法が挙げられる。付着方法としては、ローラー給油法、ガイド給油法、スプレー給油法等の公知の方法が適用できる。給油ローラーは、通常口金から巻き取りトラバースまでの間に位置することが一般的であるが、なかでも延伸ローラーと延伸ローラーとの間に位置する給油ローラーにて本発明の処理剤をポリウレタン系弾性繊維に付着させることが効果の発現が顕著で好ましい。
【００４８】
本発明の合成繊維の製造方法は特に限定されず、公知の方法で製造が可能であるが、例えば、湿式紡糸法、溶融紡糸法、乾式紡糸法がある。なかでも、合成繊維の品質や製造効率の点から乾式紡糸法が好ましい。
【００４９】
以上説明したように、特定ヒドロキシ末端ポリジメチルシロキサンを含む本発明の処理剤によると、合成繊維に優れた制電性と解舒性を付与し、加工時の摩擦変動と綾落ちが同時に抑えられるという効果がある。
【実施例】
【００５０】
以下、本発明の構成及び効果をより具体的にするため、実施例等を挙げるが、本発明がこれらの実施例に限定されるというものではない。
試験区分１（特定ヒドロキシ末端ポリジメチルシロキサンの調製）
特定ヒドロキシ末端ポリジメチルシロキサンＳ−１の調整：特開平３−１６９８８５号公報記載の方法と同様にして特定ヒドロキシ末端ポリジメチルシロキサンＳ−１を調製した。特定ヒドロキシ末端ポリジメチルシロキサンＳ−１の２５℃における動粘度（以下、２５℃粘度という）を表１に示す。
【００５１】
特定ヒドロキシ末端ポリジメチルシロキサンＳ−２〜Ｓ−４の調整：特定ヒドロキシ末端ポリジメチルシロキサンＳ−１と同様の方法で特定ヒドロキシ末端ポリジメチルシロキサンＳ−２〜Ｓ−４を調製した。特定ヒドロキシ末端ポリジメチルシロキサンＳ−２〜Ｓ−４の２５℃粘度を表１に示す。
【００５２】
特定ヒドロキシ末端ポリジメチルシロキサンＳ−５の調整：特開平７−２２４０７２号公報記載の方法と同様にして特定ヒドロキシ末端ポリジメチルシロキサンＳ−５を調製した。特定ヒドロキシ末端ポリジメチルシロキサンＳ−５の２５℃粘度を表１に示す。
【００５３】
試験区分２（合成繊維用処理剤の調製）
実施例、比較例に用いた合成繊維用処理剤は下記調製方法により調製し、その内容を表２に纏めた。
【００５４】
実施例１：表１に示した特定ヒドロキシ末端ポリジメチルシロキサンＳ−１（５質量部）と、特定ヒドロキシ末端ポリジメチルシロキサン以外のシリコーンＡ−１（６５質量部）と、鉱物油Ａ−２（３０質量部）とをよく混合して均一にすることで実施例１の処理剤を調製し、その２５℃粘度をキャノンフェンスケにて測定した。実施例１の２５℃粘度を表２に示す。
【００５５】
実施例２〜９、参考例１〜２、比較例１：実施例１と同様にして実施例２〜９、参考例１〜２、比較例１の処理剤を調製し、その２５℃粘度を測定した。実施例２〜９、参考例１〜２、比較例１の２５℃粘度を表２に示す。
【００５６】
【表１】
2020045595.tif 000010
【００５７】
【表２】
2020045595.tif 000011
表２に記載した各成分は以下のとおりである。
【００５８】
Ａ−１：ジメチルシリコーン（信越化学工業株式会社製の商品名ＫＦ９６−１０ｃｓ）、２５℃粘度：１０ｍｍ２／ｓ
Ａ−２：鉱物油（コスモ石油ルブリカンツ株式会社製の商品名コスモピュアスピンＲＣ）、２５℃粘度：１２ｍｍ２／ｓ
Ａ−３：鉱物油（出光興産株式会社製の商品名ダイアナフレシア  Ｇ９）、２５℃粘度：１２ｍｍ２／ｓ
Ａ−４：鉱物油（ＳＫ  Ｌｕｂｒｉｃａｎｔｓ社製の商品名ＹＵＢＡＳＥ  ３）、２５℃粘度：２０ｍｍ２／ｓ
Ａ−５：鉱物油（日本サン石油社製の商品名ＳＵＮ  ６０Ｎ）、２５℃粘度：１２ｍｍ２／ｓ
Ａ−６：パルミチン酸２−エチルヘキシル（当栄ケミカル株式会社製の商品名ＴＯＥＮＯＬ＃５０１６）、２５℃粘度：１２ｍｍ２／ｓ
Ｂ−１：シリコーン部分／ポリエーテル部分の質量比８０／２０、ポリエーテル部分がＥＯ／ＰＯ＝８０／２０で２５℃粘度１０００ｍｍ２／ｓであるＡＢｎ型ポリエーテル変性シリコーン
Ｂ−２：ステアリン酸マグネシウム
Ｂ−３：アミノ当量７０００、２５℃粘度３００ｍｍ２／ｓであるアミノ変性シリコーン
Ｂ−４：２−ヘキシル−１−デカノール
Ｂ−５：ドデシルスルホン酸のテトラブチルホスホニウム塩
Ｂ−６：２−エチル−１−ヘキシルリン酸エステルマグネシウム塩
Ｂ−７：２−（１，３，３−トリメチルブチル）−５，７，７−トリメチル−１−オクチルリン酸エステルジブチルエタノールアミン塩
試験区分２（合成繊維の製造）
分子量２９００のテトラメチレンエーテルグリコール、ビス−（ｐ−イソシアネートフェニル）−メタンおよびエチレンジアミンからなるポリウレタンのＮ，Ｎ−ジメチルアセトアミド溶液（３５質量％）を重合しポリマー溶液（Ａ）とした。
【００５９】
次に、酸化防止剤として、ｔ−ブチルジエタノールアミンとメチレン−ビス−（４−シクロヘキシルイソシアネート）との反応によって生成せしめたポリウレタン（デュポン社製“メタクロール”（登録商標）２４６２）とｐ−クレゾールとジビニルベンゼンの縮合重合体（デュポン社製“メタクロール”（登録商標）２３９０）との２対１（質量比）の混合物を用い、この混合物のＮ，Ｎ−ジメチルアセトアミド溶液（３５質量％）を調製し、その他添加剤溶液（Ｂ）とした。
【００６０】
上記の溶液（Ａ）、（Ｂ）それぞれを９６対４（質量比）の割合で均一に混合し、紡糸原液とした。
こうして得られた紡糸原液を用いて、公知のスパンデックスで用いられる乾式紡糸方法により、４４ｄｔｅｘ／３ｆｉｌのマルチフィラメントのポリウレタン系弾性繊維を紡糸して、巻き取り前の延伸ローラーと延伸ローラーとの間に位置する給油ローラーから、実施例１〜９、参考例１〜２、比較例１に示す処理剤をニートの状態でローラー給油した。かくしてローラー給油したものを、巻き取り速度が６００ｍ／分で、長さ５８ｍｍの円筒状紙管に、巻き幅３８ｍｍを与えるトラバースガイドを介して、サーフェイスドライブの巻取機を用いて巻き取り、乾式紡糸ポリウレタン系弾性繊維のパッケージ５００ｇを得た。ポリウレタン系弾性繊維用処理剤の付着量の調節は、給油ローラーの回転数を調整することで何れも５質量％となるように行なった。こうして得られた乾式紡糸ポリウレタン系弾性繊維のパッケージを用いて下記の測定及び評価に供し、結果を表２にまとめて示した。
【００６１】
試験区分３（合成繊維用処理剤及び合成繊維の評価）
・綾落ち
上記で得られた紡糸直後の乾式紡糸ポリウレタン系弾性繊維パッケージ（５００ｇ巻き）を送り出し２０ｍ／分、巻き取り４０ｍ／分で１０００ｍ巻き取った場合のパッケージの綾落ちによる断糸の回数を次の基準で評価した。
【００６２】
○：綾落ちによる断糸が０回以上３回未満。
×：綾落ちによる断糸が３回以上。
・摩擦測定
摩擦測定メーター（エイコー測器社製、ＳＡＭＰＬＥ  ＦＲＩＣＴＩＯＮ  ＵＮＩＴ  ＭＯＤＥＬ  ＴＢ−１）を用い、二つのフリーローラー間に直径１ｃｍで表面粗度２Ｓのクロムメッキ梨地ピンを配置し、このクロムメッキ梨地ピンに対し、前記のパッケージ（５００ｇ巻き）から引き出したポリウレタン系弾性繊維の接触角度が９０度となるようにした。２５℃で６０％ＲＨの条件下、入側で初期張力（Ｔ１）５ｇをかけ、１００ｍ／分の速度で走行させたときの出側の２次張力（Ｔ２）を０．１秒毎に１分間測定した。下記式（１）から摩擦係数を求め、次の基準で評価した。
【００６３】
◎：摩擦係数が０．１５０以上０．２２０未満。
○：摩擦係数が０．２２０以上０．２６０未満。
△：摩擦係数が０．２６０以上０．３００未満。
【００６４】
×：摩擦係数が０．３００以上。
【００６５】
【数１】
2020045595.tif 000012
・解舒張力
片側に第１駆動ローラーとこれに常時接する第１遊離ローラーとで送り出し部を構成し、また反対側に第２駆動ローラーとこれに常時接する第２遊離ローラーとで巻き取り部を構成して、該送り出し部に対し該巻き取り部を水平方向で２０ｃｍ離して設置した。第１駆動ローラーに上記で得られた紡糸直後の乾式紡糸ポリウレタン系弾性繊維のパッケージを装着し、糸巻の厚さが２ｍｍになるまで解舒して、第２駆動ローラーに巻き取った。第１駆動ローラーからのポリウレタン系弾性繊維の送り出し速度を５０ｍ／分で固定する一方、第２駆動ローラーへのポリウレタン系弾性繊維の巻き取り速度を５０ｍ／分より徐々に上げて、ポリウレタン系弾性繊維をパッケージから強制解舒した。この強制解舒時において、送り出し部分と巻き取り部分との間でポリウレタン系弾性繊維の踊りがなくなる時点での巻き取り速度Ｖ（ｍ／分）を測定し、下記の式（２）から解舒性（％）を求め、次の基準で評価した。
【００６６】
○：解舒性が１８０％未満（糸切れの発生は無く、安定に解舒できる）
×：解舒性が１８０％以上（糸の引き出しに抵抗があり、糸切れもあって、操業に問題がある）
【００６７】
【数２】
2020045595.tif 000013
以上、表２の結果からも明らかなように、本発明によれば、合成繊維に優れた摩擦特性と解舒性を付与し、加工時の綾落ちが抑えられるという効果がある。